(57)【要約】本発明の実施形態は、第１のデバイスによって、第１の参照信号を第２のデバイスに送るステップを含み、第１の参照信号は、位相追従のために使用され、第１の参照信号は、第１のシンボルにマッピングされ、第１のシンボルは、データ信号を搬送し第２のシンボルに先行するシンボルを含み、第２のシンボルは、ＤＭＲＳを搬送する１つまたは複数の連続するシンボルであり、１つまたは複数のシンボルは、ＤＭＲＳを搬送する最初のシンボルを含む、信号送信方法を開示する。前述の解決策によれば、ＰＴ−ＲＳもまた、データチャネルがマッピングされＤＭＲＳを搬送するシンボルに先行するシンボルにマッピングされることを確実にし、それにより位相ノイズ推定性能を確保することができる。
2020516146.tif 000002
【特許請求の範囲】
【請求項１】
第１のデバイスによって、第１の参照信号を第２のデバイスに送るステップを含み、前記第１の参照信号は、位相追従のために使用され、前記第１の参照信号は、第１のシンボルにマッピングされ、前記第１のシンボルは、データ信号を搬送し時間領域単位において第２のシンボルに先行するシンボルを含み、前記第２のシンボルは、前記時間領域単位において復調参照信号を搬送する最初のシンボルであり、または、前記第２のシンボルは、前記時間領域単位において複数の連続するシンボルであり、前記複数の連続するシンボルは、前記復調参照信号を搬送する最初のシンボルを含む、信号送信方法。
【請求項２】
第１のデバイスによって送られた第１の参照信号を第２のデバイスによって受信するステップを含み、前記第１の参照信号は、位相追従のために使用され、前記第１の参照信号は、第１のシンボルにマッピングされ、前記第１のシンボルは、データ信号を搬送し第２のシンボルに先行するシンボルを含み、前記第２のシンボルは、時間領域単位において復調参照信号を搬送する最初のシンボルであり、または、前記第２のシンボルは、時間領域単位において複数の連続するシンボルであり、前記複数の連続するシンボルは、前記復調参照信号を搬送する最初のシンボルを含む、信号送信方法。
【請求項３】
データ信号を搬送する最初のシンボルから開始して、前記第１の参照信号は、前記第２のシンボルに先行するシンボルに均等にマッピングされる請求項１または２に記載の方法。
【請求項４】
前記第１の参照信号を搬送するために使用され前記第２のシンボルに先行するシンボルのインデックスが第１の差に関係付けられ、前記第１の差は、前記第２の参照信号を搬送する最初のシンボルのインデックスと前記データ信号を搬送する最初のシンボルのインデックスとの差である請求項１または２に記載の方法。
【請求項５】
前記第１の参照信号を搬送するために使用され前記第２のシンボルに先行する前記シンボルの前記インデックスｌは、
【数１】
2020516146.tif 000037
または
ｌ＝ｌ0−［Ｌ−（−Ｈ2）ｍｏｄＬ］−Ｌ×ｌ’
であり、
ここで、ｌ’＝０，１，２，．．．であり、
ｌ0は、前記第２の参照信号を搬送する最初のシンボルの前記インデックスを表し、Ｌは、前記第１の参照信号の時間領域密度の逆数を表し、Ｈ2は、前記第１の差を表す請求項４に記載の方法。
【請求項６】
時間領域において、前記第１の参照信号は、インデックスが前記第２のシンボルのインデックスより大きいシンボルに均等にマッピングされる請求項１乃至５のいずれか一項に記載の方法。
【請求項７】
前記第１の参照信号は、前記データ信号を搬送し前記第２のシンボルに続く最後のシンボルにマッピングされ、時間領域において、前記第１の参照信号は、前記第２のシンボルに続くシンボルに、シンボルのインデックス値の大きいものから均等にマッピングされる請求項６に記載の方法。
【請求項８】
前記第１の参照信号を搬送するために使用され前記第２のシンボルに続くシンボルのインデックスは、前記第２のシンボルに続くシンボルの量に関係付けられる請求項６に記載の方法。
【請求項９】
前記第１の参照信号を搬送するために使用され前記第２のシンボルに続く前記シンボルの前記インデックスｌは、
【数２】
2020516146.tif 000038
または
ｌ＝ｌDM-RS＋［Ｌ−（−Ｈ1）ｍｏｄＬ］＋ｌPT-RS×ｌ’
であり、
ここで、ｌ’＝０，１，２，．．．であり、
ｌDM-RSは、前記第２の参照信号を搬送する、前記第２のシンボルにおける最後のシンボルのインデックスを表し、Ｌは、前記第１の参照信号の前記時間領域密度の前記逆数を表し、Ｈ1は、前記第２のシンボルに続くシンボルの前記量を表す請求項８に記載の方法。
【請求項１０】
前記第１の参照信号は、第１のリソースセット以外のリソースにマッピングされ、前記第１のリソースセットは、以下の信号、すなわち物理ダウンリンク制御チャネル、物理アップリンク制御チャネル、同期信号ブロック、チャネル状態情報参照信号、サウンディング参照信号、または復調参照信号のうちの少なくとも１つを搬送するリソースを含む請求項１乃至９のいずれか一項に記載の方法。
【請求項１１】
第１の参照信号を第１のシンボルにマッピングするように構成された処理ユニットであって、前記第１の参照信号は、位相追従のために使用され、前記第１のシンボルは、データ信号を搬送し時間領域単位において第２のシンボルに先行するシンボルを含み、前記第２のシンボルは、前記時間領域単位において復調参照信号を搬送する最初のシンボルであり、または、前記第２のシンボルは、前記時間領域単位において複数の連続するシンボルであり、前記複数の連続するシンボルは、前記復調参照信号を搬送する最初のシンボルを含む、処理ユニットと、
前記第１の参照信号を第２のデバイスに送るように構成された送信ユニットと
を備える通信装置。
【請求項１２】
第１のデバイスによって送られた第１の参照信号を受信するように構成された受信ユニットであって、前記第１の参照信号は、位相追従のために使用され、前記第１の参照信号は、第１のシンボルにマッピングされ、前記第１のシンボルは、データ信号を搬送し第２のシンボルに先行するシンボルを含み、前記第２のシンボルは、時間領域単位において復調参照信号を搬送する最初のシンボルであり、または、前記第２のシンボルは、時間領域単位において複数の連続するシンボルであり、前記複数の連続するシンボルは、前記復調参照信号を搬送する最初のシンボルを含む、受信ユニットと、
前記第１の参照信号を使用することによって位相追従を実施するように構成された処理ユニットと
を備える通信装置。
【請求項１３】
前記データ信号を搬送する最初のシンボルから開始して、前記第１の参照信号は、前記第２のシンボルに先行するシンボルに均等にマッピングされる請求項１１または１２に記載の通信装置。
【請求項１４】
前記第１の参照信号を搬送するために使用され前記第２のシンボルに先行するシンボルのインデックスが第１の差に関係付けられ、前記第１の差は、前記第２の参照信号を搬送する最初のシンボルのインデックスと前記データ信号を搬送する最初のシンボルのインデックスとの差である請求項１１または１２に記載の通信装置。
【請求項１５】
前記第１の参照信号を搬送するために使用され前記第２のシンボルに先行する前記シンボルの前記インデックスｌは、
【数３】
2020516146.tif 000039
または
ｌ＝ｌ0−［Ｌ−（−Ｈ2）ｍｏｄＬ］−Ｌ×ｌ’
であり、
ここで、ｌ’＝０，１，２，．．．であり、
ｌ0は、前記第２の参照信号を搬送する最初のシンボルの前記インデックスを表し、Ｌは、前記第１の参照信号の時間領域密度の逆数を表し、Ｈ2は、前記第１の差を表す請求項１４に記載の通信装置。
【請求項１６】
時間領域において、前記第１の参照信号は、インデックスが前記第２のシンボルのインデックスより大きいシンボルに均等にマッピングされる請求項１１乃至１５のいずれか一項に記載の通信装置。
【請求項１７】
前記第１の参照信号は、前記データ信号を搬送し前記第２のシンボルに続く最後のシンボルにマッピングされ、時間領域において、前記第１の参照信号は、前記第２のシンボルに続くシンボルに、シンボルのインデックス値の大きいものから均等にマッピングされる請求項１６に記載の通信装置。
【請求項１８】
前記第１の参照信号を搬送するために使用され前記第２のシンボルに続くシンボルのインデックスは、前記第２のシンボルに続くシンボルの量に関係付けられる請求項１６に記載の通信装置。
【請求項１９】
前記第１の参照信号を搬送するために使用され前記第２のシンボルに続く前記シンボルの前記インデックスｌは、
【数４】
2020516146.tif 000040
または
ｌ＝ｌDM-RS＋［Ｌ−（−Ｈ1）ｍｏｄＬ］＋ｌPT-RS×ｌ’
であり、
ここで、ｌ’＝０，１，２，．．．であり、
ｌDM-RSは、前記第２の参照信号を搬送する、前記第２のシンボルにおける最後のシンボルのインデックスを表し、Ｌは、前記第１の参照信号の前記時間領域密度の前記逆数を表し、Ｈ1は、前記第２のシンボルに続くシンボルの前記量を表す請求項１８に記載の通信装置。
【請求項２０】
前記第１の参照信号は、第１のリソースセット以外のリソースにマッピングされ、前記第１のリソースセットは、以下の信号、すなわち物理ダウンリンク制御チャネル、物理アップリンク制御チャネル、同期信号ブロック、チャネル状態情報参照信号、サウンディング参照信号、または復調参照信号のうちの少なくとも１つを搬送するリソースを含む請求項１１乃至１９のいずれか一項に記載の通信装置。
【請求項２１】
ネットワークデバイスによって、第１のインジケーション情報を送るステップであって、前記第１のインジケーション情報は、第１の参照信号の少なくとも２つのグループによって占有される時間−周波数リソースの位置を示し、第１の参照信号の前記少なくとも２つのグループに別々に関連付けられたアンテナポートは、準同一位置にない、ステップと、
前記ネットワークデバイスによって、データ信号を送るステップであって、前記データ信号は、第１の参照信号の前記少なくとも２つのグループによって占有される前記時間−周波数リソースにマッピングされない、ステップと
を含む信号送信方法。
【請求項２２】
端末デバイスによって、第１のインジケーション情報を受信するステップであって、前記第１のインジケーション情報は、第１の参照信号の少なくとも２つのグループによって占有される時間−周波数リソースの位置を示し、第１の参照信号の前記少なくとも２つのグループに別々に関連付けられたアンテナポートは、準同一位置にない、ステップと、
前記端末デバイスによって、前記第１のインジケーション情報に基づいて、第１の参照信号の少なくとも２つのグループによって占有される前記時間−周波数リソースを決定するステップと、
前記端末デバイスによって、データ信号を受信するステップであって、前記データ信号は、第１の参照信号の前記少なくとも２つのグループによって占有される前記時間−周波数リソースにマッピングされない、ステップと
を含む信号送信方法。
【請求項２３】
前記第１のインジケーション情報は、第１の情報および第２の情報を含み、前記第１の情報は、前記第１の参照信号によって占有される副搬送波を決定するために使用され、前記第２の情報は、前記第１の参照信号によって占有されるシンボルを決定するために使用され、前記第１の情報は、前記第１の参照信号の送信許可情報、第３の参照信号アンテナポートのグループ内にあり前記第１の参照信号の前記アンテナポートに関連付けられる第３の参照信号アンテナポートのインジケーション情報、第３の参照信号アンテナポートの前記グループのインジケーション情報、または、前記第１の参照信号の周波数領域密度とスケジュール可能帯域幅閾値との間の関連付け関係のインジケーション情報のうちの少なくとも１つを含み、前記第２の情報は、前記第１の参照信号の時間領域密度と変調符号化方式閾値との間の関連付け関係のインジケーション情報を含む請求項２１または２２に記載の方法。
【請求項２４】
前記第１の参照信号によって占有される前記副搬送波は、第３のデバイスによって第４のデバイスに対してスケジューリングされる最大のスケジューリング可能帯域幅に対応する周波数領域密度での副搬送波を含む請求項２３に記載の方法。
【請求項２５】
前記第１の参照信号によって占有される前記シンボルは、前記第３のデバイスによって前記第４のデバイスに対してスケジューリングされる最大の変調符号化方式に対応する時間領域密度でのシンボルを含む請求項２３または２４に記載の方法。
【請求項２６】
第１のインジケーション情報を生成するように構成された処理ユニットであって、前記第１のインジケーション情報は、第１の参照信号の少なくとも２つのグループによって占有される時間−周波数リソースの位置を示し、第１の参照信号の前記少なくとも２つのグループに別々に関連付けられたアンテナポートは、準同一位置にない、処理ユニットと、
前記第１のインジケーション情報を送るように構成された送信ユニットと
を備え、
前記送信ユニットは、データ信号を送るようにさらに構成され、前記データ信号は、第１の参照信号の前記少なくとも２つのグループによって占有される前記時間−周波数リソースにマッピングされない、通信装置。
【請求項２７】
第１のインジケーション情報を受信するように構成された受信ユニットであって、前記第１のインジケーション情報は、第１の参照信号の少なくとも２つのグループによって占有される時間−周波数リソースの位置を示し、第１の参照信号の前記少なくとも２つのグループに別々に関連付けられたアンテナポートは、準同一位置にない、受信ユニットと、
前記第１のインジケーション情報に基づいて、第１の参照信号の少なくとも２つのグループによって占有される前記時間−周波数リソースを決定するように構成された処理ユニットと
を備え、
前記受信ユニットは、データ信号を受信するようにさらに構成され、前記データ信号は、第１の参照信号の前記少なくとも２つのグループによって占有される前記時間−周波数リソースにマッピングされない、通信装置。
【請求項２８】
前記第１のインジケーション情報は、第１の情報および第２の情報を含み、前記第１の情報は、前記第１の参照信号によって占有される副搬送波を決定するために使用され、前記第２の情報は、前記第１の参照信号によって占有されるシンボルを決定するために使用され、前記第１の情報は、前記第１の参照信号の送信許可情報、第３の参照信号アンテナポートのグループ内にあり前記第１の参照信号の前記アンテナポートに関連付けられる第３の参照信号アンテナポートのインジケーション情報、第３の参照信号アンテナポートの前記グループのインジケーション情報、または、前記第１の参照信号の周波数領域密度とスケジュール可能帯域幅閾値との間の関連付け関係のインジケーション情報のうちの少なくとも１つを含み、前記第２の情報は、前記第１の参照信号の時間領域密度と変調符号化方式閾値との間の関連付け関係のインジケーション情報を含む請求項２６または２７に記載の通信装置。
【請求項２９】
前記第１の参照信号によって占有される前記副搬送波は、第３のデバイスによって第４のデバイスに対してスケジューリングされる最大のスケジューリング可能帯域幅に対応する周波数領域密度での副搬送波を含む請求項２８に記載の通信装置。
【請求項３０】
前記第１の参照信号によって占有される前記シンボルは、前記第３のデバイスによって前記第４のデバイスに対してスケジューリングされる最大の変調符号化方式に対応する時間領域密度でのシンボルを含む請求項２８または２９に記載の通信装置。
【発明の詳細な説明】
【技術分野】
【０００１】
本願は、ワイヤレス通信技術の分野に関し、詳細には、信号送信方法、装置、およびシステムに関する。
【背景技術】
【０００２】
モバイルインターネット技術の発展に伴って、通信速度および通信容量に対する要件はますます大きくなり、既存の低スペクトルリソースは、ますます不足しており、これらの要件を満たすことができない。したがって、豊富なスペクトルリソースを有する高周波無線リソースがワイヤレス通信の研究の焦点になる。ワイヤレス通信システムでは、周波数デバイス、すなわち局部発振器は非理想的である。局部発振器のランダムジッタは、出力搬送波信号において位相ノイズを引き起こす。位相ノイズの大きさは、搬送波周波数に直接関係付けられる。すなわち、位相ノイズ電力は、２０ｌｏｇ（ｎ）に従って変化し、ここでｎは周波数増大の回数であり、位相ノイズ電力は、搬送波周波数が２倍になるごとに６ｄＢ増大することを意味する。したがって、位相ノイズの影響は、高周波ワイヤレス通信において無視することができない。将来の進化型ワイヤレスシステム、新無線（Ｎｅｗ  Ｒａｄｉｏ、ＮＲ）の場合、第３世代パートナーシッププロジェクト３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、高周波を採用されたスペクトル範囲に組み込んだ。したがって、関連の位相ノイズの影響もまた、設計中に検討されることを必要とする。
【０００３】
位相ノイズ推定のための最も一般的に使用されている方法は、挿入された位相追従参照信号（ｐｈａｓｅ  ｔｒａｃｋｉｎｇ  ｒｅｆｅｒｅｎｃｅ  ｓｉｇｎａｌ、ＰＴ−ＲＳ）を使用することによって位相エラーを推定することである。現在、新無線（Ｎｅｗ  Ｒａｄｉｏ、ＮＲ）は、ＰＴ−ＲＳの複数のタイプのシンボルレベル時間領域密度をサポートする。図１に示されているように、時間領域では、ＰＴ−ＲＳは、ＰＵＳＣＨ（またはＰＤＳＣＨ）のあらゆるシンボルに連続的にマッピングされ得（すなわち、図に示されている「時間領域密度１」）、またはＰＵＳＣＨ（またはＰＤＳＣＨ）のシンボル１つおきにマッピングされ得（すなわち、図に示されている「時間領域密度１／２」）、またはＰＵＳＣＨ（またはＰＤＳＣＨ）のシンボル３つおきにマッピングされ得る（すなわち、図に示されている「時間領域密度１／４」）。
【０００４】
ＮＲ通信技術標準に関するさらなる考察では、３ＧＰＰ作業グループは、以下の提案で合意している。
【０００５】
物理ダウンリンク制御チャネル（ｐｈｙｓｉｃａｌ  ダウンリンク  ｃｏｎｔｒｏｌ  ｃｈａｎｎｅｌ、ＰＤＣＣＨ）および物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）は、周波数分割を通じて同じシンボル上で送られてもよい。その結果、ＰＤＳＣＨはまた、復調参照信号（Ｄｅｍｏｄｕｌａｔｉｏｎ  Ｒｅｆｅｒｅｎｃｅ  Ｓｉｇｎａｌ、ＤＭＲＳ）を搬送するシンボルに先行するシンボルにマッピングされる。たとえば、図２に示されているように、ＤＭＲＳは、シンボル３およびシンボル４にマッピングされ、ＰＤＣＣＨは、シンボル０およびシンボル１にマッピングされ、ＰＤＳＣＨもまた、シンボル０およびシンボル１にマッピングされる。
【０００６】
さらに、現在、ＤＭＲＳの時間領域シンボル位置とＰＤＣＣＨのシンボルの量との間に決定されているバインド関係はない。同様に、ＰＤＳＣＨは、結果的にＤＭＲＳを搬送するシンボルに先行するシンボルにマッピングされる。たとえば、図２に示されているように、ＰＤＳＣＨは、ＤＭＲＳを搬送するシンボルに先行するシンボル２にマッピングされる。
【０００７】
しかし、図１に示されているすべての既存のＰＴ−ＲＳシンボルマッピング解決策では、ＤＭＲＳを搬送するシンボルに続くシンボルは、ＰＴ−ＲＳがマッピングされる開始シンボルとして決定され、ＰＴ−ＲＳは、ＤＭＲＳを搬送するシンボルに続くシンボルにマッピングされたデータチャネルの位相ノイズを推定するために使用することができるにすぎない。
【発明の概要】
【０００８】
本願は、ＰＴ−ＲＳもまた、データチャネルがマッピングされＤＭＲＳを搬送するシンボルに先行するシンボルにマッピングされることを確実にし、それにより位相ノイズ推定性能を確保するための信号送信方法、装置、およびシステムを提供する。
【０００９】
第１の態様によれば、本願は、信号送信方法を提供する。この方法は、第１のデバイス側（すなわち、送信端）に適用され、この方法は、第１のデバイスによって、第１の参照信号を第２のデバイスに送るステップを含み、第１の参照信号は、位相追従のために使用され、第１の参照信号は、第１のシンボルにマッピングされ、第１のシンボルは、データ信号を搬送し時間領域単位において第２のシンボルに先行するシンボルを含み、第２のシンボルは、時間領域単位において復調参照信号を搬送する最初のシンボルであり、または、第２のシンボルは、時間領域単位において複数の連続するシンボルであり、複数の連続するシンボルは、復調参照信号を搬送する最初のシンボルを含む。
【００１０】
第２の態様によれば、本願は、信号送信方法を提供する。この方法は、第２のデバイス側（すなわち、受信端）に適用される。この方法は、第１のデバイスによって送られた第１の参照信号を第２のデバイスによって受信するステップを含み、第１の参照信号は、第１のシンボルにマッピングされ、第１のシンボルは、データ信号を搬送し時間領域単位において第２のシンボルに先行するシンボルを含み、第２のシンボルは、時間領域単位において復調参照信号を搬送する最初のシンボルであり、または、第２のシンボルは、時間領域単位において複数の連続するシンボルであり、複数の連続するシンボルは、復調参照信号を搬送する最初のシンボルを含む。
【００１１】
本願では、第２のシンボルは、前方ＤＭＲＳ（ｆｒｏｎｔ−ｌｏａｄｅｄ  ＤＭＲＳ）を搬送するシンボルであり、第１の参照信号は、ＰＴ−ＲＳである。
【００１２】
第１の態様および第２の態様に記載の信号送信方法によれば、ＰＴ−ＲＳもまた、データチャネルがマッピングされＤＭＲＳを搬送するシンボルに先行するシンボルにマッピングされることを確実にし、それにより位相ノイズ推定性能を確保することができる。
【００１３】
第１の態様または第２の態様を参照すると、ＰＴ−ＲＳマッピングは、以下の２つの部分を含み得る。
【００１４】
１．データ信号を搬送し第２のシンボル（前方ＤＭＲＳを搬送するシンボル）に先行するシンボルに対するＰＴ−ＲＳマッピング。
【００１５】
２．データ信号を搬送し第２のシンボル（前方ＤＭＲＳを搬送するシンボル）に続くシンボルに対するＰＴ−ＲＳマッピング。
【００１６】
本明細書において、第２のシンボルに先行するシンボルは、そのインデックスが第２のシンボルのインデックスより小さいシンボルであり、第２のシンボルに続くシンボルは、そのインデックスが第２のシンボルのインデックスより大きいシンボルである。
【００１７】
（１）第２のシンボルに先行するシンボルに対する時間領域ＰＴ−ＲＳマッピングの規則
【００１８】
第１のマッピング規則によれば、ＰＴ−ＲＳは、データ信号を搬送し第２のシンボルに先行する最初のシンボルにマッピングされ得る。換言すれば、ＰＴ−ＲＳマッピングは、データチャネル（ＰＵＳＣＨ／ＰＤＳＣＨ）の最初のシンボルから始まる。このようにして、ＰＴ−ＲＳもまた、データチャネルがマッピングされ第２のシンボルに先行するシンボルにマッピングされることを確実にし、それにより位相ノイズ推定性能を確保することができる。
【００１９】
第２のマッピング規則によれば、ＰＴ−ＲＳを搬送するために使用され第２のシンボルに先行するシンボルのインデックスが、第１の差に関係付けられる。第１の差（Ｈ2）は、ＤＭＲＳを搬送する最初のシンボルのインデックス（ｌ0）とデータ信号を搬送する最初のシンボルのインデックスとの差である。換言すれば、ＰＴ−ＲＳを搬送するために使用され第２のシンボルに先行するシンボルのインデックスは、第２のシンボルに先行するシンボルの量に関係付けられる。
【００２０】
（２）第２のシンボルに続くシンボルに対する時間領域ＰＴ−ＲＳマッピングの規則
【００２１】
第１のマッピング規則によれば、ＰＴ−ＲＳがマッピングされ第２のシンボルに続く開始シンボルのインデックスは、ＰＴ−ＲＳの時間領域密度に基づいて決定され得る。さらに、シンボルのインデックス値の小さいものから、ＰＴ−ＲＳは、Ｌ個ごとのシンボルの中で最も小さいインデックスを有するシンボルにマッピングされる。Ｌは、ＰＴ−ＲＳの時間領域密度の逆数である。
【００２２】
具体的には、ＰＴ−ＲＳの時間領域密度は、ＣＰタイプ、副搬送波間隔、および変調符号化方式のうちの少なくとも１つに関係付けられ得る。後続の内容を参照されたい。詳細は、ここには記載されていない。具体的には、ＰＴ−ＲＳの時間領域密度およびＰＴ−ＲＳの時間領域密度とＰＴ−ＲＳがマッピングされる開始シンボルのインデックスとの間のマッピング関係は、プロトコルによって事前定義されても、より高いレイヤシグナリング（たとえば、ＲＲＣシグナリング）またはＰＤＣＣＨを使用することによってネットワークデバイスによって構成されてもよい。
【００２３】
第２のマッピング規則によれば、ＰＴ−ＲＳは、すべての時間領域シンボル（第２のシンボル、第２のシンボルに先行するシンボル、および第２のシンボルに続くシンボルを含む）に均等にマッピングされ得る。このようにして、ＰＴ−ＲＳもまた、第２のシンボルに続くシンボルに均等にマッピングされる。任意選択で、ＰＴ−ＲＳのマッピング優先順位は、ＰＤＣＣＨ、ＰＵＣＣＨ、ＳＳブロック、ＣＳＩ−ＲＳ、ＳＲＳなどのものより低い。
【００２４】
第３のマッピング規則によれば、ＰＴ−ＲＳは、データ信号を搬送し第２のシンボルに続く最後のシンボルにマッピングされ、第２のシンボルに続くシンボルに、シンボルのインデックス値の大きいものから均等にマッピングされる。
【００２５】
第４のマッピング規則によれば、ＰＴ−ＲＳを搬送するために使用され第２のシンボルに続くシンボルのインデックスは、第２のシンボルに続くシンボルの量に関係付けられる。
【００２６】
第１の態様または第２の態様を参照すると、前述の時間領域ＰＴ−ＲＳマッピング規則によれば、実施形態１では、ＰＴ−ＲＳは、時間領域単位においてデータ信号（ＰＤＳＣＨ／ＰＵＳＣＨ）を搬送する最初のシンボルにマッピングされる。任意選択で、時間領域単位において、シンボルのインデックス値の小さいものから、ＰＴ−ＲＳは、Ｌ個ごとのシンボルの中で最も小さいインデックスを有するシンボルにマッピングされる。換言すれば、データ信号を搬送する最初のシンボルから開始して、ＰＴ−ＲＳは、時間領域単位内で均等にマッピングされ得る。Ｌは、ＰＴ−ＲＳのシンボルレベル時間領域密度の逆数である。Ｌの値は、ＰＴ−ＲＳのシンボルレベル時間領域密度に基づいて決定され得る。たとえば、この値は、｛１，２，４｝となり得る。
【００２７】
第１の態様または第２の態様を参照すると、前述の時間領域ＰＴ−ＲＳマッピング規則によれば、実施形態２では、時間領域単位において、ＰＴ−ＲＳを搬送するシンボルの位置は、前方ＤＭＲＳを搬送するシンボル（すなわち、第２のシンボル）の位置、ならびにデータ信号（ＰＤＳＣＨ／ＰＵＳＣＨ）を搬送する最初のシンボルおよび最後のシンボルに関係付けられる。本明細書において、データ信号を搬送する最初のシンボルは、データ信号（ＰＤＳＣＨ／ＰＵＳＣＨ）を搬送する、時間領域単位におけるシンボルの中で最も小さいインデックスを有するシンボルである。データ信号を搬送する最後のシンボルは、データ信号（ＰＤＳＣＨ／ＰＵＳＣＨ）を搬送する、時間領域単位におけるシンボルの中で最も大きいインデックスを有するシンボルである。
【００２８】
具体的には、時間領域単位において、データ信号を搬送する最初のシンボルから開始して、ＰＴ−ＲＳは、第２のシンボルに先行するシンボルに、シンボルのインデックス値の小さいものから均等にマッピングされ得る。時間領域単位において、データ信号を搬送する最後のシンボルから開始して、ＰＴ−ＲＳは、第２のシンボルに続くシンボルに、シンボルのインデックス値の大きいものから均等にマッピングされ得る。
【００２９】
第１の態様または第２の態様を参照すると、前述の時間領域ＰＴ−ＲＳマッピング規則によれば、実施形態３において、ＰＴ−ＲＳを搬送するシンボルの位置は、前方ＤＭＲＳを搬送するシンボル（すなわち、第２のシンボル）の位置に関係付けられ得る。任意選択で、ＰＴ−ＲＳを搬送するシンボルの位置は、前方ＤＭＲＳを搬送するシンボル（すなわち、第２のシンボル）、時間領域単位における、そのシンボルインデックスが前方ＤＭＲＳを搬送する最初のシンボルのインデックスより小さいシンボルの量、および、時間領域単位における、そのシンボルインデックスが前方ＤＭＲＳを搬送する最後のシンボルのインデックスより大きいシンボルの量にさらに関係付けられる。
【００３０】
実施形態３では、具体的には、時間領域単位において、ＰＴ−ＲＳを搬送し第２のシンボルに先行する最後のシンボルのインデックスが、第１の差に関係付けられる。さらに、ＰＴ−ＲＳを搬送する最後のシンボルのインデックスから開始して、シンボルインデックスの大きいものから、ＰＴ−ＲＳは、データ信号を搬送し第２のシンボルに先行するシンボルに均等にマッピングされる。具体的には、時間領域単位において、ＰＴ−ＲＳを搬送し第２のシンボルに続く最初のシンボルのインデックスが、第２のシンボルに続くシンボルの量に関係付けられる。さらに、ＰＴ−ＲＳを搬送する最初のシンボルのインデックスから開始して、ＰＴ−ＲＳは、第２のシンボルに続くシンボルに、シンボルインデックスの小さいものから均等にマッピングされる。
【００３１】
実施形態３では、任意選択で、ＰＴ−ＲＳの時間領域密度が１／２、すなわちＬ＝２であるとき、前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1が奇数である場合、ＰＴ−ＲＳは、そのインデックスがｌDM-RS＋１であるシンボルにマッピングされる。任意選択で、そのインデックスがｌDM-RS＋１であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2が奇数である場合、ＰＴ−ＲＳは、そのインデックスがｌ0−１であるシンボルにマッピングされる。任意選択で、そのインデックスがｌ0−１であるシンボルから開始して、ＰＴ−ＲＳは、第２のシンボルに先行するシンボルに、シンボルインデックスの大きいものから均等にマッピングされてもよい。
【００３２】
実施形態３では、任意選択で、ＰＴ−ＲＳの時間領域密度が１／２、すなわちＬ＝２であるとき、前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1が偶数である場合、ＰＴ−ＲＳは、そのインデックスがｌDM-RS＋２であるシンボルにマッピングされる。任意選択で、そのインデックスがｌDM-RS＋２であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2が偶数である場合、ＰＴ−ＲＳは、そのインデックスがｌ0−２であるシンボルにマッピングされる。任意選択で、そのインデックスがｌ0−２であるシンボルから開始して、ＰＴ−ＲＳは、第２のシンボルに先行するシンボルに、シンボルインデックスの大きいものから均等にマッピングされてもよい。
【００３３】
実施形態３では、任意選択で、ＰＴ−ＲＳの時間領域密度が１／４、すなわちＬ＝４であるとき、前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1が４の整数倍である場合、ＰＴ−ＲＳは、そのインデックスがｌDM-RS＋４であるシンボルにマッピングされる。任意選択で、そのインデックスがｌDM-RS＋４であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2が４の整数倍である場合、ＰＴ−ＲＳは、そのインデックスがｌ0−４であるシンボルにマッピングされる。任意選択で、そのインデックスがｌ0−４であるシンボルから開始して、ＰＴ−ＲＳは、第２のシンボルに先行するシンボルに、シンボルインデックスの大きいものから均等にマッピングされてもよい。
【００３４】
実施形態３では、任意選択で、ＰＴ−ＲＳの時間領域密度が１／４、すなわちＬ＝４であるとき、前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1がＨ1ｍｏｄ４＝１を満たす場合、ＰＴ−ＲＳは、そのインデックスがｌDM-RS＋１であるシンボルにマッピングされる。任意選択で、そのインデックスがｌDM-RS＋１であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2がＨ2ｍｏｄ４＝２を満たす場合、ＰＴ−ＲＳは、そのインデックスがｌ0−１であるシンボルにマッピングされる。任意選択で、そのインデックスがｌ0−１であるシンボルから開始して、ＰＴ−ＲＳは、第２のシンボルに先行するシンボルに、シンボルインデックスの大きいものから均等にマッピングされてもよい。
【００３５】
実施形態３では、任意選択で、ＰＴ−ＲＳの時間領域密度が１／４、すなわちＬ＝４であるとき、前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1がＨ1ｍｏｄ４＝２を満たす場合、ＰＴ−ＲＳは、そのインデックスがｌDM-RS＋２であるシンボルにマッピングされる。任意選択で、そのインデックスがｌDM-RS＋２であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2がＨ2ｍｏｄ４＝２を満たす場合、ＰＴ−ＲＳは、そのインデックスがｌ0−２であるシンボルにマッピングされる。任意選択で、そのインデックスがｌ0−２であるシンボルから開始して、ＰＴ−ＲＳは、第２のシンボルに先行するシンボルに、シンボルインデックスの大きいものから均等にマッピングされてもよい。
【００３６】
実施形態３では、任意選択で、ＰＴ−ＲＳの時間領域密度が１／４、すなわちＬ＝４であるとき、前方ＤＭＲＳを搬送する最後のシンボルのインデックスとデータ信号（ＰＤＳＣＨ／ＰＵＳＣＨ）を搬送し、前方ＤＭＲＳを搬送するシンボルに続く最後のシンボルのインデックスとの差Ｈ1がＨ1ｍｏｄ４＝３を満たす場合、ＰＴ−ＲＳは、そのインデックスがｌDM-RS＋３であるシンボルにマッピングされる。任意選択で、そのインデックスがｌDM-RS＋３であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2がＨ2ｍｏｄ４＝３を満たす場合、ＰＴ−ＲＳは、そのインデックスがｌ0−３であるシンボルにマッピングされる。任意選択で、そのインデックスｌ0−３であるシンボルから開始して、ＰＴ−ＲＳは、第２のシンボルに先行するシンボルに、シンボルインデックスの大きいものから均等にマッピングされてもよい。
【００３７】
実施形態３では、ＰＴ−ＲＳを搬送するシンボルのインデックスｌは、以下の式、すなわち
【００３８】
【数１】
2020516146.tif 000003
【００３９】
または
【００４０】
【数２】
2020516146.tif 000004
【００４１】
を使用することによって表され得、ここで、ｌ’は、正の整数ｌ’＝０，１，２，．．．であり、Ｌは、ＰＴ−ＲＳのシンボルレベル時間領域密度の逆数を表し、Ｈ1は、第２のシンボルに続くシンボルの量を表し、Ｈ2は、前述の第１の差を表し、ｌ0は、前方ＤＭＲＳを搬送する最初のシンボルのインデックスを表し、ｌDM-RSは、前方ＤＭＲＳを搬送する最後のシンボルのインデックスを表す。
【００４２】
第１の態様または第２の態様を参照すると、いくつかの任意選択の実施形態では、位相追従参照信号（ＰＴ−ＲＳ）のマッピング優先順位は、物理ダウンリンク制御チャネル（ＰＤＣＣＨ）、物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、同期信号ブロック（ｓｙｎｃｈｒｏｎｉｚａｔｉｏｎ  ｓｉｇｎａｌ  ｂｌｏｃｋ、ＳＳブロック）、チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）、サウンディング参照信号（Ｓｏｕｎｄｉｎｇ  Ｒｅｆｅｒｅｎｃｅ  Ｓｉｇｎａｌ、ＳＲＳ）、復調参照信号（ＤＭＲＳ）などのうちの少なくとも１つのものより低くてもよい。換言すれば、ＰＴ−ＲＳは、前述の信号のいずれか１つがマッピングされることを必要とするリソースにマッピングされない。このようにして、ＰＴ−ＲＳならびに他の参照信号および物理チャネルのマッピング優先順位が決定され、したがって、ＰＴ−ＲＳと他の参照信号および物理チャネルとの間でリソース競合が発生したとき、競合は、ＰＴ−ＲＳをマッピングすることをスキップするようにして回避することができる。
【００４３】
第３の態様によれば、本願は、信号送信方法を提供する。この方法は、ネットワークデバイス側に適用される。この方法は、ネットワークデバイスによって、第１のインジケーション情報を送るステップであって、第１のインジケーション情報は、ここでは第１の参照信号の少なくとも２つのグループによって占有される時間−周波数リソースの位置を示し、第１の参照信号の少なくとも２つのグループに別々に関連付けられたアンテナポートは、準同一位置（ｑｕａｓｉ−ｃｏ−ｌｏｃａｔｅｄ）にない、ステップと、次いで、ネットワークデバイスによって、データ信号を送るステップであって、データ信号は、第１の参照信号の少なくとも２つのグループによって占有される時間−周波数リソースにマッピングされない、ステップとを含む。
【００４４】
第４の態様によれば、本願は、信号送信方法を提供する。この方法は、端末デバイス側に適用される。この方法は、端末デバイスによって、第１のインジケーション情報を受信するステップであって、第１のインジケーション情報は、第１の参照信号の少なくとも２つのグループによって占有される時間−周波数リソースの位置を示し、第１の参照信号の少なくとも２つのグループに別々に関連付けられたアンテナポートは、準同一位置にない、ステップと、次いで、端末デバイスによって、第１のインジケーション情報に基づいて、第１の参照信号の少なくとも２つのグループによって占有される時間−周波数リソースを決定するステップと、端末デバイスによって、データ信号を受信するステップであって、データ信号は、第１の参照信号の少なくとも２つのグループによって占有される時間−周波数リソースにマッピングされない、ステップとを含む。
【００４５】
第３の態様および第４の態様に記載の信号送信方法によれば、非コヒーレントジョイント送信（ｎｏｎ−ｃｏｈｅｒｅｎｔ  ｊｏｉｎｔ  ｔｒａｎｓｍｉｓｓｉｏｎ、ＮＣＪＴ）シナリオにおいて、別の送受信ポイント（ｔｒａｎｓｍｉｓｓｉｏｎ  ａｎｄ  ｒｅｃｅｐｔｉｏｎ  ｐｏｉｎｔ、ＴＲＰ）がＰＴ−ＲＳを送るリソース上のデータ（すなわち、データはマッピングされていない）に対してレートマッチングが実施され得る。これは、異なる送受信ポイントによって送られるデータによって引き起こされるＰＴ−ＲＳ干渉を回避し、それによりＰＴ−ＲＳ位相ノイズ推定性能を確保することができる。
【００４６】
第３の態様または第４の態様を参照すると、いくつかの任意選択の実施形態では、第１のインジケーション情報（より高いレイヤシグナリング、またはより高いレイヤシグナリングと物理レイヤシグナリングとの共同インジケーション）は、第１の情報および第２の情報を含み得る。第１の情報は、ＰＴ−ＲＳによって占有される副搬送波を決定するために使用され、第２の情報は、ＰＴ−ＲＳによって占有されるシンボルを決定するために使用される。具体的には、第１の情報は、ＰＴ−ＲＳの送信許可情報、ＤＭＲＳポートグループ内にありＰＴ−ＲＳのアンテナポートに関連付けられるＤＭＲＳポートのインジケーション情報、ＤＭＲＳポートグループのインジケーション情報、またはＰＴ−ＲＳの周波数領域密度とスケジュール可能帯域幅閾値との間の関連付け関係のインジケーション情報のうちの少なくとも１つを含み得る。具体的には、第２の情報は、ＰＴ−ＲＳの時間領域密度とＭＣＳ閾値との間の関連付け関係のインジケーション情報を含み得る。
【００４７】
第３の態様または第４の態様を参照すると、いくつかの任意選択の実施形態では、第１の参照信号によって占有される副搬送波は、第３のデバイスによって第４のデバイスに対してスケジューリングされる最大のスケジューリング可能帯域幅に対応する周波数領域密度での副搬送波を含む。
【００４８】
第３の態様または第４の態様を参照すると、いくつかの任意選択の実施形態では、第１の参照信号によって占有されるシンボルは、第３のデバイスによって第４のデバイスに対してスケジューリングされる最大の変調符号化方式に対応する時間領域密度でのシンボルを含む。
【００４９】
第５の態様によれば、本願は、通信装置を提供する。この通信装置は、第１の態様において提供される方法、または第１の態様の可能な実装のいずれか１つにおいて提供される方法をそれに対応して実施するように構成された複数の機能モジュールを含み得る。
【００５０】
第６の態様によれば、本願は、通信装置を提供する。この通信装置は、第２の態様において提供される方法、または第２の態様の可能な実装のいずれか１つにおいて提供される方法をそれに対応して実施するように構成された複数の機能モジュールを含み得る。
【００５１】
第７の態様によれば、本願は、第１の態様に記載の信号送信方法を実施するように構成された通信装置を提供する。この通信装置は、メモリと、メモリに結合されたプロセッサおよびトランシーバとを含み得る。トランシーバは、別の通信デバイスと通信するように構成される。メモリは、第１の態様に記載の信号送信方法の実装コードを記憶するように構成される。プロセッサは、メモリ内に記憶されたプログラムコードを実行する、すなわち第１の態様において提供される方法、または第１の態様の可能な実装のいずれか１つにおいて提供される方法を実施するように構成される。
【００５２】
第８の態様によれば、本願は、第１の態様に記載の信号送信方法を実施するように構成された通信装置を提供する。通信装置は、メモリと、メモリに結合されたプロセッサおよびトランシーバとを含み得る。トランシーバは、別の通信デバイスと通信するように構成される。メモリは、第１の態様に記載の信号送信方法の実装コードを記憶するように構成される。プロセッサは、メモリ内に記憶されたプログラムコードを実行する、すなわち第１の態様において提供される方法、または第１の態様の可能な実装のいずれか１つにおいて提供される方法を実施するように構成される。
【００５３】
第９の態様によれば、本願は、チップを提供する。チップは、プロセッサと、プロセッサに結合された１つまたは複数のインターフェースを含み得る。プロセッサは、第１の態様において提供される信号送信方法、または第１の態様の可能な実装のいずれか１つにおいて提供される信号送信方法の実装プログラムをメモリから呼び出し、プログラムに含まれる命令を実行するように構成され得る。インターフェースは、プロセッサの処理結果を出力するように構成され得る。
【００５４】
第１０の態様によれば、本願は、チップを提供する。チップは、プロセッサと、プロセッサに結合された１つまたは複数のインターフェースを含み得る。プロセッサは、第１の態様において提供される信号送信方法、または第１の態様の可能な実装のいずれか１つにおいて提供される信号送信方法の実装プログラムをメモリから呼び出し、プログラムに含まれる命令を実行するように構成され得る。インターフェースは、プロセッサの処理結果を出力するように構成され得る。
【００５５】
第１１の態様によれば、本願は、ネットワークデバイスを提供する。ネットワークデバイスは、第３の態様において提供される方法、または第３の態様の可能な実装のいずれか１つにおいて提供される方法をそれに対応して実施するように構成された複数の機能モジュールを含み得る。
【００５６】
第１２の態様によれば、本願は、端末デバイスを提供する。端末デバイスは、第４の態様において提供される方法、または第４の態様の可能な実装のいずれか１つにおいて提供される方法をそれに対応して実施するように構成された複数の機能モジュールを含み得る。
【００５７】
第１３の態様によれば、本願は、第３の態様に記載の信号送信方法を実施するように構成されたネットワークデバイスを提供する。ネットワークデバイスは、メモリと、メモリに結合されたプロセッサおよびトランシーバとを含み得る。トランシーバは、別の通信デバイス（たとえば、端末デバイス）と通信するように構成される。メモリは、第３の態様に記載の信号送信方法の実装コードを記憶するように構成される。プロセッサは、メモリ内に記憶されたプログラムコードを実行する、すなわち、第３の態様において提供される方法、または第３の態様の可能な実装のいずれか１つにおいて提供される方法を実施するように構成される。
【００５８】
第１４の態様によれば、本願は、第４の態様に記載の信号送信方法を実施するように構成された端末デバイスを提供する。端末デバイスは、メモリと、メモリに結合されたプロセッサおよびトランシーバとを含み得る。トランシーバは、別の通信デバイス（たとえば、端末）と通信するように構成される。メモリは、第４の態様に記載の信号送信方法の実装コードを記憶するように構成される。プロセッサは、メモリ内に記憶されたプログラムコードを実行する、すなわち、第４の態様において提供される方法、または第４の態様の可能な実装のいずれか１つにおいて提供される方法を実施するように構成される。
【００５９】
第１５の態様によれば、本願は、チップを提供する。チップは、プロセッサと、プロセッサに結合された１つまたは複数のインターフェースを含み得る。プロセッサは、第３の態様において提供される信号送信方法、または第３の態様の可能な実装のいずれか１つにおいて提供される信号送信方法の実装プログラムをメモリから呼び出し、プログラムに含まれる命令を実行するように構成され得る。インターフェースは、プロセッサの処理結果を出力するように構成され得る。
【００６０】
第１６の態様によれば、本願は、チップを提供する。チップは、プロセッサと、プロセッサに結合された１つまたは複数のインターフェースを含み得る。プロセッサは、第４の態様において提供される信号送信方法、または第４の態様の可能な実装のいずれか１つにおいて提供される信号送信方法の実装プログラムをメモリから呼び出し、プログラムに含まれる命令を実行するように構成され得る。インターフェースは、プロセッサの処理結果を出力するように構成され得る。
【００６１】
第１７の態様によれば、本願は、第１のデバイスおよび第２のデバイスを含むワイヤレス通信システムを提供する。第１のデバイスは、第１の態様において提供される信号送信方法、または第１の態様の可能な実装のいずれか１つにおいて提供される信号送信方法を実施するように構成され得る。第２のデバイスは、第２の態様において提供される信号送信方法、または第２の態様の可能な実装のいずれか１つにおいて提供される信号送信方法を実施するように構成され得る。
【００６２】
具体的には、第１のデバイスは、第５の態様または第７の態様に記載の通信装置であってよく、第２のデバイスは、第６の態様または第８の態様に記載の通信装置であってよい。
【００６３】
第１８の態様によれば、本願は、端末デバイスおよびネットワークデバイスを含むワイヤレス通信システムを提供する。端末デバイスは、第３の態様において提供される信号送信方法、または第３の態様の可能な実装のいずれか１つにおいて提供される信号送信方法を実施するように構成され得る。ネットワークデバイスは、第４の態様において提供される信号送信方法、または第４の態様の可能な実装のいずれか１つにおいて提供される信号送信方法を実施するように構成され得る。
【００６４】
具体的には、ネットワークデバイスは、第１１の態様または第１３の態様に記載のネットワークデバイスであってよく、端末デバイスは、第１２の態様または第１４の態様に記載の端末デバイスであってよい。
【００６５】
第１９の態様によれば、コンピュータ可読記憶媒体が提供される。可読記憶媒体は、第１の態様において提供される信号送信方法、または第１の態様の可能な実装のいずれか１つにおいて提供される信号送信方法を実装するためのプログラムコードを記憶する。プログラムコードは、第１の態様において提供される信号送信方法、または第１の態様の可能な実装のいずれか１つにおいて提供される信号送信方法を実施するための実行可能命令を含む。
【００６６】
第２０の態様によれば、コンピュータ可読記憶媒体が提供される。可読記憶媒体は、第２の態様において提供される信号送信方法、または第２の態様の可能な実装のいずれか１つにおいて提供される信号送信方法を実装するためのプログラムコードを記憶する。プログラムコードは、第２の態様において提供される信号送信方法、または第２の態様の可能な実装のいずれか１つにおいて提供される信号送信方法を実施するための実行可能命令を含む。
【００６７】
第２１の態様によれば、コンピュータ可読記憶媒体が提供される。可読記憶媒体は、第３の態様において提供される信号送信方法、または第３の態様の可能な実装のいずれか１つにおいて提供される信号送信方法を実装するためのプログラムコードを記憶する。プログラムコードは、第３の態様において提供される信号送信方法、または第３の態様の可能な実装のいずれか１つにおいて提供される信号送信方法を実施するための実行可能命令を含む。
【００６８】
第２２の態様によれば、コンピュータ可読記憶媒体が提供される。可読記憶媒体は、第４の態様において提供される信号送信方法、または第４の態様の可能な実装のいずれか１つにおいて提供される信号送信方法を実装するためのプログラムコードを記憶する。プログラムコードは、第４の態様において提供される信号送信方法、または第４の態様の可能な実装のいずれか１つにおいて提供される信号送信方法を実施するための実行可能命令を含む。
【図面の簡単な説明】
【００６９】
本発明の実施形態における、または背景技術における技術的解決策をより明確に述べるために、以下は、本発明の実施形態、または背景技術について述べるために必要とされる添付の図面について簡単に述べる。
【００７０】
【図１】従来技術における時間領域ＰＴ−ＲＳマッピング規則の概略図である。
【図２】ＰＤＳＣＨをＤＭＲＳに先行するシンボルにマッピングすることの概略図である。
【図３】本願によるワイヤレス通信システムの概略アーキテクチャ図である。
【図４】本願の実施形態による端末のハードウェアアーキテクチャの概略図である。
【図５】本願の実施形態によるネットワークデバイスのハードウェアアーキテクチャの概略図である。
【図６】本願によるＤＭＲＳのリソースマッピングの概略図である。
【図７】本願による時間−周波数リソースの概略図である。
【図８】本願による信号送信方法の概略フローチャートである。
【図９Ａ】本願の実施形態による時間領域ＰＴ−ＲＳマッピング規則の概略図である。
【図９Ｂ】本願の実施形態による時間領域ＰＴ−ＲＳマッピング規則の概略図である。
【図９Ｃ】本願の実施形態による時間領域ＰＴ−ＲＳマッピング規則の概略図である。
【図９Ｄ】本願の実施形態による時間領域ＰＴ−ＲＳマッピング規則の概略図である。
【図９Ｅ】本願の実施形態による時間領域ＰＴ−ＲＳマッピング規則の概略図である。
【図９Ｆ】本願の実施形態による時間領域ＰＴ−ＲＳマッピング規則の概略図である。
【図９Ｇ】本願の実施形態による時間領域ＰＴ−ＲＳマッピング規則の概略図である。
【図９Ｈ】本願の実施形態による時間領域ＰＴ−ＲＳマッピング規則の概略図である。
【図９Ｉ】本願の実施形態による時間領域ＰＴ−ＲＳマッピング規則の概略図である。
【図９Ｊ】本願の実施形態による時間領域ＰＴ−ＲＳマッピング規則の概略図である。
【図９Ｋ】本願の実施形態による時間領域ＰＴ−ＲＳマッピング規則の概略図である。
【図９Ｌ】本願の実施形態による時間領域ＰＴ−ＲＳマッピング規則の概略図である。
【図１０Ａ】本願の別の実施形態による時間領域ＰＴ−ＲＳマッピング規則の概略図である。
【図１０Ｂ】本願の別の実施形態による時間領域ＰＴ−ＲＳマッピング規則の概略図である。
【図１０Ｃ】本願の別の実施形態による時間領域ＰＴ−ＲＳマッピング規則の概略図である。
【図１０Ｄ】本願の別の実施形態による時間領域ＰＴ−ＲＳマッピング規則の概略図である。
【図１０Ｅ】本願の別の実施形態による時間領域ＰＴ−ＲＳマッピング規則の概略図である。
【図１０Ｆ】本願の別の実施形態による時間領域ＰＴ−ＲＳマッピング規則の概略図である。
【図１０Ｇ】本願の別の実施形態による時間領域ＰＴ−ＲＳマッピング規則の概略図である。
【図１０Ｈ】本願の別の実施形態による時間領域ＰＴ−ＲＳマッピング規則の概略図である。
【図１０Ｉ】本願の別の実施形態による時間領域ＰＴ−ＲＳマッピング規則の概略図である。
【図１０Ｊ】本願の別の実施形態による時間領域ＰＴ−ＲＳマッピング規則の概略図である。
【図１０Ｋ】本願の別の実施形態による時間領域ＰＴ−ＲＳマッピング規則の概略図である。
【図１０Ｌ】本願の別の実施形態による時間領域ＰＴ−ＲＳマッピング規則の概略図である。
【図１１Ａ】本願のさらに別の実施形態による時間領域ＰＴ−ＲＳマッピング規則の概略図である。
【図１１Ｂ】本願のさらに別の実施形態による時間領域ＰＴ−ＲＳマッピング規則の概略図である。
【図１１Ｃ】本願のさらに別の実施形態による時間領域ＰＴ−ＲＳマッピング規則の概略図である。
【図１２Ａ】本願のさらに別の実施形態による時間領域ＰＴ−ＲＳマッピング規則の概略図である。
【図１２Ｂ】本願のさらに別の実施形態による時間領域ＰＴ−ＲＳマッピング規則の概略図である。
【図１２Ｃ】本願のさらに別の実施形態による時間領域ＰＴ−ＲＳマッピング規則の概略図である。
【図１２Ｄ】本願のさらに別の実施形態による時間領域ＰＴ−ＲＳマッピング規則の概略図である。
【図１３】本願による非コヒーレントジョイント送信シナリオの概略図である。
【図１４】本願による別の信号送信方法の概略フローチャートである。
【図１５】本願によるさらに別の信号送信方法の概略フローチャートである。
【図１６】本願によるワイヤレス通信システムおよび関連のデバイスの機能ブロック図である。
【図１７】本願による別のワイヤレス通信システムおよび関連のデバイスの機能ブロック図である。
【図１８】本願による装置の概略構造図である。
【図１９】本願による装置の概略構造図である。
【発明を実施するための形態】
【００７１】
本願の実装部で使用される用語は、本願の特定の実施形態を解釈するために使用されるにすぎず、本願を限定することは意図されていない。
【００７２】
図３は、本願におけるワイヤレス通信システムを示す。ワイヤレス通信システムは、高周波帯域で機能し得、ロングタームエボリューション（Ｌｏｎｇ  Ｔｅｒｍ  Ｅｖｏｌｕｔｉｏｎ、ＬＴＥ）システムに限定されず、代替として将来の進化型第５世代（ｔｈｅ  ５ｔｈ  Ｇｅｎｅｒａｔｉｏｎ、５Ｇ）モバイル通信システム、新無線（ＮＲ）システム、マシンツーマシン（Ｍａｃｈｉｎｅ−ｔｏ−Ｍａｃｈｉｎｅ、Ｍ２Ｍ）通信システムなどであってもよい。図３に示されているように、ワイヤレス通信システム１００は、１つまたは複数のネットワークデバイス１０１と、１つまたは複数の端末１０３と、コアネットワーク１１５とを含み得る。
【００７３】
ネットワークデバイス１０１は、基地局であってもよい。基地局は、１つまたは複数の端末と通信するように構成されてもよく、いくつかの端末機能（たとえば、マクロ基地局とアクセスポイントなどマイクロ基地局との間の通信）を備える１つまたは複数の基地局と通信するように構成されてもよい。基地局は、時分割同期符号多元接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システムにおけるトランシーバ基地局（Ｂａｓｅ  Ｔｒａｎｓｃｅｉｖｅｒ  Ｓｔａｔｉｏｎ、ＢＴＳ）であっても、ＬＴＥシステムにおけるイボルブドノードＢ（Ｅｖｏｌｖｅｄ  Ｎｏｄｅ  Ｂ、ｅＮＢ）、または５Ｇシステムもしくは新無線（ＮＲ）システムにおける基地局であってもよい。あるいは、基地局は、アクセスポイント（Ａｃｃｅｓｓ  Ｐｏｉｎｔ、ＡＰ）、送受信ポイント（ＴＲＰ）、中央ユニット（Ｃｅｎｔｒａｌ  Ｕｎｉｔ、ＣＵ）、または別のネットワークエンティティであってもよく、これらのネットワークエンティティの機能の一部またはすべてを含んでもよい。
【００７４】
端末１０３は、ワイヤレス通信システム１００全体に分散されてもよく、静止していても移動していてもよい。本願のいくつかの実施形態では、端末１０３は、モバイルデバイス、モバイルステーション（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザエージェント、モバイルクライアントなどであってもよい。
【００７５】
具体的には、ネットワークデバイス１０１は、ネットワークデバイスコントローラ（図示せず）の制御下で１つまたは複数のアンテナを通じて端末１０３と通信するように構成されてもよい。いくつかの実施形態では、ネットワークデバイスコントローラは、コアネットワーク１１５の一部であっても、ネットワークデバイス１０１内に一体化されてもよい。具体的には、ネットワークデバイス１０１は、バックホール（ｂａｃｋｈａｕｌ）インターフェース１１３（たとえば、Ｓ１インターフェース）を通じてコアネットワーク１１５に制御情報またはユーザデータを送信するように構成されてもよい。具体的には、ネットワークデバイス１０１はまた、バックホール（ｂａｃｋｈａｕｌ）インターフェース１１１（たとえば、Ｘ２インターフェース）を通じて互いに直接または間接的に通信してもよい。
【００７６】
図３に示されているワイヤレス通信システムは、本願における技術的解決策をより明確に述べることが意図されているにすぎず、本願を限定するものではない。当業者なら、ネットワークアーキテクチャの進化および新しいサービスシナリオの出現に伴って、本発明の実施形態において提供される技術的解決策もまた、同様の技術的問題に適用可能であることを知り得る。図３は、本願におけるワイヤレス通信システムを示す。ワイヤレス通信システムは、高周波帯域で機能し得、ロングタームエボリューション（Ｌｏｎｇ  Ｔｅｒｍ  Ｅｖｏｌｕｔｉｏｎ、ＬＴＥ）システムに限定されず、代替として将来の進化型第５世代（ｔｈｅ  ５ｔｈ  Ｇｅｎｅｒａｔｉｏｎ、５Ｇ）モバイル通信システム、新無線（ＮＲ）システム、マシンツーマシン（Ｍａｃｈｉｎｅ−ｔｏ−Ｍａｃｈｉｎｅ、Ｍ２Ｍ）通信システムなどであってもよい。図３に示されているように、ワイヤレス通信システム１０は、１つまたは複数のネットワークデバイス１０１と、１つまたは複数の端末１０３と、コアネットワーク１１５とを含み得る。
【００７７】
ネットワークデバイス１０１は、基地局であってもよい。基地局は、１つまたは複数の端末と通信するように構成されてもよく、いくつかの端末機能（たとえば、マクロ基地局とアクセスポイントなどマイクロ基地局との間の通信）を備える１つまたは複数の基地局と通信するように構成されてもよい。基地局は、時分割同期符号多元接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システムにおけるトランシーバ基地局（Ｂａｓｅ  Ｔｒａｎｓｃｅｉｖｅｒ  Ｓｔａｔｉｏｎ、ＢＴＳ）であっても、ＬＴＥシステムにおけるイボルブドノードＢ（Ｅｖｏｌｖｅｄ  Ｎｏｄｅ  Ｂ、ｅＮＢ）、または５Ｇシステムもしくは新無線（ＮＲ）システムにおける基地局であってもよい。あるいは、基地局は、アクセスポイント（Ａｃｃｅｓｓ  Ｐｏｉｎｔ、ＡＰ）、送信ノード（Ｔｒａｎｓ  ＴＲＰ）、中央ユニット（Ｃｅｎｔｒａｌ  Ｕｎｉｔ、ＣＵ）、または別のネットワークエンティティであってもよく、これらのネットワークエンティティの機能の一部またはすべてを含んでもよい。
【００７８】
端末１０３は、ワイヤレス通信システム１００全体に分散されてもよく、静止していても移動していてもよい。本願のいくつかの実施形態では、端末１０３は、モバイルデバイス、モバイルステーション（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザエージェント、モバイルクライアントなどであってもよい。
【００７９】
具体的には、ネットワークデバイス１０１は、ネットワークデバイスコントローラ（図示せず）の制御下で１つまたは複数のアンテナを通じて端末１０３と通信するように構成されてもよい。いくつかの実施形態では、ネットワークデバイスコントローラは、コアネットワーク１１５の一部であっても、ネットワークデバイス１０１内に一体化されてもよい。具体的には、ネットワークデバイス１０１は、バックホール（ｂａｃｋｈａｕｌ）インターフェース１１３（たとえば、Ｓ１インターフェース）を通じてコアネットワーク１１５に制御情報またはユーザデータを送信するように構成されてもよい。具体的には、ネットワークデバイス１０１はまた、バックホール（ｂａｃｋｈａｕｌ）インターフェース１１１（たとえば、Ｘ２インターフェース）を通じて互いに直接または間接的に通信してもよい。
【００８０】
図３に示されているワイヤレス通信システムは、本願における技術的解決策をより明確に述べることが意図されているにすぎず、本願を限定するものではない。当業者なら、ネットワークアーキテクチャの進化および新しいサービスシナリオの出現に伴って、知り得る。
【００８１】
図４は、本願のいくつかの実施形態において提供される端末２００を示す。図４に示されているように、端末２００は、１つまたは複数の端末プロセッサ２０１と、メモリ２０２と、通信インターフェース２０３と、受信器２０５と、送信器２０６と、カプラ２０７と、アンテナ２０８と、ユーザインターフェース２０９と、入出力モジュール（オーディオ入出力モジュール２１０、キー入力モジュール２１１、ディスプレイ２１２などを含む）とを含み得る。これらの構成要素は、バス２０４を使用することによって、または他の方式で接続され得る。図４は、これらの構成要素がバスを使用することによって接続される一例を示す。
【００８２】
通信インターフェース２０３は、別の通信デバイス、たとえばネットワークデバイスと通信するために、端末２００によって使用され得る。具体的には、ネットワークデバイスは、図８に示されているネットワークデバイス３００であってもよい。具体的には、通信インターフェース２０３は、ロングタームエボリューション（ＬＴＥ）（４Ｇ）通信インターフェースであっても、５Ｇ通信インターフェースまたは将来の新無線通信インターフェースであってもよい。ワイヤレス通信インターフェースに加えて、端末２００は、有線通信インターフェース２０３、たとえばローカルアクセスネットワーク（Ｌｏｃａｌ  Ａｃｃｅｓｓ  Ｎｅｔｗｏｒｋ、ＬＡＮ）インターフェースと共にさらに構成されてもよい。
【００８３】
送信器２０６は、送信処理、たとえば信号変調を、端末プロセッサ２０１によって出力された信号に対して実施するように構成されてもよい。受信器２０５は、受信処理、たとえば信号復調を、アンテナ２０８によって受信されたモバイル通信信号に対して実施するように構成されてもよい。本願のいくつかの実施形態では、送信器２０６および受信器２０５は、ワイヤレスモデムとみなされてもよい。端末２００には、１つまたは複数の送信器２０６および受信器２０５があってもよい。アンテナ２０８は、送信ライン内の電磁エネルギーを自由空間内の電磁波に変換するように、または自由空間内の電磁波を送信ライン内の電磁エネルギーに変換するように構成されてもよい。カプラ２０７は、アンテナ２０８によって受信されたモバイル通信信号を複数の信号に分割し、それらの信号を複数の受信器２０５に分配するように構成されてもよい。
【００８４】
図４に示されている送信器２０６および受信器２０５に加えて、端末２００は、他の通信構成要素、たとえばＧＰＳモジュール、ブルートゥース（Ｂｌｕｅｔｏｏｔｈ）モジュールワイヤレスフィデリティ（Ｗｉｒｅｌｅｓｓ  Ｆｉｄｅｌｉｔｙ、Ｗｉ−Ｆｉ）モジュールをさらに含み得る。前述のワイヤレス通信信号に加えて、端末２００は、他のワイヤレス通信信号、たとえば衛星信号および短波信号をさらにサポートし得る。ワイヤレス通信に加えて、端末２００は、有線通信をサポートするために有線インターフェース（たとえば、ＬＡＮインターフェース）と共にさらに構成されてもよい。
【００８５】
入出力モジュールは、端末２００とユーザまたは外部環境とのインタラクションを実装するように構成されてもよく、主にオーディオ入出力モジュール２１０、キー入力モジュール２１１、ディスプレイ２１２などを含んでもよい。具体的には、入出力モジュールは、カメラ、タッチスクリーン、センサなどをさらに含んでもよい。入出力モジュールはすべて、ユーザインターフェース２０９を通じて端末プロセッサ２０１と通信する。
【００８６】
メモリ２０２は、端末プロセッサ２０１に結合され、様々なソフトウェアプログラムおよび／または複数の命令を記憶するように構成される。具体的には、メモリ２０２は、高速ランダムアクセスメモリを含んでもよく、また、不揮発性メモリ、たとえば１つまたは複数の磁気ディスク記憶デバイス、フラッシュメモリデバイス、または別の不揮発性ソリッドステート記憶デバイスを含んでもよい。メモリ２０２は、オペレーティングシステム（以下、システムと称される）、たとえば、Ａｎｄｒｏｉｄ、ｉＯＳ、Ｗｉｎｄｏｗｓ、またはＬｉｎｕｘなど組み込みオペレーティングシステムを記憶し得る。メモリ２０２は、ネットワーク通信プログラムをさらに記憶し得る。ネットワーク通信プログラムは、１つまたは複数の補助デバイス、１つまたは複数の端末デバイス、および１つまたは複数のネットワークデバイスと通信するために使用され得る。メモリ２０２は、ユーザインターフェースプログラムをさらに記憶し得る。ユーザインターフェースプログラムは、グラフィカルな操作インターフェースを使用することによって、アプリケーションプログラムの内容を鮮やかに表示し、メニュー、ダイアログボックス、およびキーなど入力コントロールを使用することによって、アプリケーションプログラムのためのユーザの制御操作を受け取り得る。
【００８７】
本願のいくつかの実施形態では、メモリ２０２は、本願の１つまたは複数の実施形態において提供される信号送信方法の、端末２００の側の実装プログラムを記憶するように構成されてもよい。本願の１つまたは複数の実施形態において提供されるリソースマッピング方法の実装については、後続の実施形態を参照されたい。
【００８８】
端末プロセッサ２０１は、コンピュータ可読命令を読み取り実行するように構成され得る。具体的には、端末プロセッサ２０１は、メモリ２１２内に記憶されているプログラム、たとえば本願の１つまたは複数の実施形態において提供されるリソースマッピング方法の、端末２００の側の実装プログラムを呼び出し、そのプログラム内に含まれる命令を実行するように構成されてもよい。
【００８９】
端末２００は、図５に示されているワイヤレス通信システム１００内の端末１０３であってもよく、モバイルデバイス、モバイルステーション（ｍｏｂｉｌｅ  ｓｔａｔｉｏｎ）、モバイルユニット（ｍｏｂｉｌｅ  ｕｎｉｔ）、無線ユニット、リモートユニット、ユーザエージェント、モバイルクライアントなどとして実装され得ることを理解することができる。
【００９０】
図４に示されている端末２００は、本願のこの実施形態の一実装にすぎないことに留意されたい。実際の適用では、端末２００は、代替としてより多くの、またはより少ない構成要素を含んでもよい。これは、本明細書において限定されない。
【００９１】
図５は、本願のいくつかの実施形態において提供されるネットワークデバイス３００を示す。図５に示されているように、ネットワークデバイス３００は、１つまたは複数のネットワークデバイスプロセッサ３０１と、メモリ３０２と、通信インターフェース３０３と、送信器３０５と、受信器３０６と、カプラ３０７と、アンテナ３０８とを含み得る。これらの構成要素は、バス３０４を使用することによって、または他の方式で接続され得る。図５は、これらの構成要素がバスを使用することによって接続される一例を示す。
【００９２】
通信インターフェース３０３は、別の通信デバイス、たとえば端末デバイスまたは別のネットワークデバイスと通信するために、ネットワークデバイス３００によって使用され得る。具体的には、端末デバイスは、図５に示されている端末２００であってもよい。具体的には、通信インターフェース３０３は、ロングタームエボリューション（ＬＴＥ）（４Ｇ）通信インターフェースであっても、５Ｇ通信インターフェースまたは将来の新無線通信インターフェースであってもよい。ワイヤレス通信インターフェースに加えて、ネットワークデバイス３００は、有線通信をサポートするために、有線通信インターフェース３０３と共にさらに構成されてもよい。たとえば、ネットワークデバイス３００と別のネットワークデバイス３００との間のバックホールリンクは、ワイヤレス通信接続であってもよい。
【００９３】
送信器３０５は、送信処理、たとえば信号変調を、ネットワークデバイスプロセッサ３０１によって出力された信号に対して実施するように構成されてもよい。受信器３０６は、受信処理、たとえば信号復調を、アンテナ３０８によって受信されたモバイル通信信号に対して実施するように構成されてもよい。本願のいくつかの実施形態では、送信器３０５および受信器３０６は、ワイヤレスモデムとみなされてもよい。ネットワークデバイス３００には、１つまたは複数の送信器３０５および受信器３０６があってもよい。アンテナ３０８は、送信ライン内の電磁エネルギーを自由空間内の電磁波に変換するように、または自由空間内の電磁波を送信ライン内の電磁エネルギーに変換するように構成されてもよい。カプラ３０７は、モバイル通信信号を複数の信号に分割し、それらの信号を複数の受信器３０６に分配するように構成されてもよい。
【００９４】
メモリ３０２は、ネットワークデバイスプロセッサ３０１に結合され、様々なソフトウェアプログラムおよび／または複数の命令を記憶するように構成される。具体的には、メモリ３０２は、高速ランダムアクセスメモリを含んでもよく、また、不揮発性メモリ、たとえば１つまたは複数の磁気ディスク記憶デバイス、フラッシュメモリデバイス、または別の不揮発性ソリッドステート記憶デバイスを含んでもよい。メモリ３０２は、オペレーティングシステム（以下、システムと称される）、たとえば、ｕＣＯＳ、ＶｘＷｏｒｋｓ、またはＲＴＬｉｎｕｘなど組み込みオペレーティングシステムを記憶し得る。メモリ３０２は、ネットワーク通信プログラムをさらに記憶し得る。ネットワーク通信プログラムは、１つまたは複数の補助デバイス、１つまたは複数の端末デバイス、および１つまたは複数のネットワークデバイスと通信するために使用され得る。
【００９５】
ネットワークデバイスプロセッサ３０１は、無線チャネルを管理し、呼を実装し、通信リンクを確立および除去し、ローカル制御エリア内のユーザのためのセルハンドオーバ制御を提供する、などを行うように構成され得る。具体的には、ネットワークデバイスプロセッサ３０１は、管理モジュール／通信モジュール（Ａｄｍｉｎｉｓｔｒａｔｉｏｎ  Ｍｏｄｕｌｅ／Ｃｏｍｍｕｎｉｃａｔｉｏｎ  Ｍｏｄｕｌｅ、ＡＭ／ＣＭ）（スピーチチャネル切替えおよび情報交換のために使用されるセンタ）、基本モジュール（Ｂａｓｉｃ  Ｍｏｄｕｌｅ、ＢＭ）（呼処理、シグナリング処理、無線リソース管理、無線リンク管理、および回路維持機能を実施するように構成される）、トランスコーダおよびサブマルチプレクサ（Ｔｒａｎｓｃｏｄｅｒ  ａｎｄ  ＳｕｂＭｕｌｔｉｐｌｅｘｅｒ、ＴＣＳＭ）（多重化、逆多重化、およびトランスコーディング機能を実施するように構成される）などを含み得る。
【００９６】
本願のこの実施形態では、ネットワークデバイスプロセッサ３０１は、コンピュータ可読命令を読み取り実行するように構成され得る。具体的には、ネットワークデバイスプロセッサ３０１は、メモリ３０２内に記憶されたプログラム、たとえば、本願の１つまたは複数の実施形態において提供されるリソースマッピング方法の、ネットワークデバイス３００の側の実装プログラムを呼び出し、そのプログラム内に含まれる命令を実行するように構成されてもよい。
【００９７】
ネットワークデバイス３００は、図５に示されているワイヤレス通信システム１００における基地局１０１であってもよく、トランシーバ基地局、ワイヤレストランシーバ、基本サービスセット（ＢＳＳ）、拡張サービスセット（ＥＳＳ）、ＮｏｄｅＢ、ｅＮｏｄｅＢ、アクセスポイント、ＴＲＰなどとして実装され得ることを理解することができる理解することができる。
【００９８】
図５に示されているネットワークデバイス３００は、本願のこの実施形態の一実装にすぎないことに留意されたい。実際の適用では、ネットワークデバイス３００は、代替としてより多くの、またはより少ない構成要素を含んでもよい。これは、本明細書において限定されない。
【００９９】
ワイヤレス通信システム１００、端末２００およびネットワークデバイス３００に対応する実施形態に基づいて、本願は、リソースマッピング方法を提供する。
【０１００】
本願の主な原理は、位相追従参照信号（ＰＴ−ＲＳ）が、データ信号を搬送するシンボルであって、前方ＤＭＲＳ（ｆｒｏｎｔ−ｌｏａｄｅｄ  ＤＭＲＳ）を搬送するシンボルに先行するシンボルにもマッピングされることを含み得る。このようにして、ＰＴ−ＲＳもまた、データチャネルがマッピングされＤＭＲＳを搬送するシンボルに先行するシンボルにマッピングされることを確実にし、それにより位相ノイズ推定性能を確保することができる。
【０１０１】
本願では、前方ＤＭＲＳを搬送するシンボルは、第２のシンボルと称され得る。第２のシンボルは、ＤＭＲＳを搬送する１つまたは複数の連続するシンボルであり、１つまたは複数のシンボルは、ＤＭＲＳを搬送する最初のシンボルを含む。
【０１０２】
図６に示されているように、ＤＭＲＳは、前方ＤＭＲＳ（ｆｒｏｎｔ−ｌｏａｄｅｄ  ＤＭＲＳ）および付加的ＤＭＲＳ（ａｄｄｉｔｉｏｎａｌ−ＤＭＲＳ）を含み得る。前方ＤＭＲＳは、ＤＭＲＳシンボルの中で最も小さいインデックスを有する１つまたは複数のＤＭＲＳシンボルを連続的に占有するＤＭＲＳである。付加的ＤＭＲＳは、前方ＤＭＲＳ以外のＤＭＲＳである。本明細書において、ＤＭＲＳシンボルは、ＤＭＲＳを搬送するシンボルである。
【０１０３】
たとえば、図６に示されている例では、ＤＭＲＳシンボルは、シンボル３、シンボル４、およびシンボル７である。前方ＤＭＲＳを搬送するシンボルは、２つの連続するシンボル、すなわちシンボル３およびシンボル４である。シンボル３は、ＤＭＲＳを搬送する最初のシンボル、すなわち最初のＤＭＲＳシンボルである。この例は、本願を説明するために使用されるにすぎず、限定するものと解釈されるべきでない。
【０１０４】
本願では、位相追従参照信号（ＰＴ−ＲＳ）のマッピング優先順位が、物理ダウンリンク制御チャネル（ＰＤＣＣＨ）、物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、同期信号ブロック（ｓｙｎｃｈｒｏｎｉｚａｔｉｏｎ  ｓｉｇｎａｌ  ｂｌｏｃｋ、ＳＳブロック）、チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）、サウンディング参照信号（Ｓｏｕｎｄｉｎｇ  Ｒｅｆｅｒｅｎｃｅ  Ｓｉｇｎａｌ、ＳＲＳ）、復調参照信号（ＤＭＲＳ）などの少なくとも１つのものより低くてもよい。換言すれば、ＰＴ−ＲＳは、前述の信号のいずれか１つがマッピングされることを必要とするリソースにマッピングされない。このようにして、ＰＴ−ＲＳならびに他の参照信号および物理チャネルのマッピング優先順位が決定され、したがって、リソース競合は、ＰＴ−ＲＳと他の参照信号および物理チャネルとの間で発生するとき、その競合は、ＰＴ−ＲＳのマッピングをスキップするようにして回避することができる。
【０１０５】
本願では、ＰＴ−ＲＳマッピングは、以下の２つの部分を含み得る。
【０１０６】
１．データ信号を搬送し第２のシンボル（前方ＤＭＲＳを搬送するシンボル）に先行するシンボルに対するＰＴ−ＲＳマッピング。
【０１０７】
２．データ信号を搬送し第２のシンボル（前方ＤＭＲＳを搬送するシンボル）に続くシンボルに対するＰＴ−ＲＳマッピング。
【０１０８】
本明細書において、第２のシンボルに先行するシンボルは、そのインデックスが第２のシンボルのインデックスより小さいシンボルであり、第２のシンボルに続くシンボルは、そのインデックスが第２のシンボルのインデックスより大きいシンボルである。たとえば、図６における例では、第２のシンボルは、シンボル３およびシンボル４を含み、第２のシンボルに先行するシンボルは、シンボル０から２であり、第２のシンボルに続くシンボルは、シンボル５から１３である。この例は、本願を説明するために使用されるにすぎず、限定するものと解釈されるべきでない。
【０１０９】
（１）第２のシンボルに先行するシンボルに対する時間領域ＰＴ−ＲＳマッピングの規則
【０１１０】
第１のマッピング規則によれば、ＰＴ−ＲＳは、データ信号を搬送し第２のシンボルに先行する最初のシンボルにマッピングされ得る。換言すれば、ＰＴ−ＲＳマッピングは、データチャネル（ＰＵＳＣＨ／ＰＤＳＣＨ）の最初のシンボルから始まる。このようにして、ＰＴ−ＲＳもまた、データチャネルがマッピングされ第２のシンボルに先行するシンボルにマッピングされることを確実にし、それにより位相ノイズ推定性能を確保することができる。実施形態１および実施形態２は、後でこのマッピング方式について詳細に記載する。詳細は、ここには記載されていない。
【０１１１】
第２のマッピング規則によれば、ＰＴ−ＲＳを搬送するために使用され第２のシンボルに先行するシンボルのインデックスが、第１の差に関係付けられる。第１の差（Ｈ2）は、ＤＭＲＳを搬送する最初のシンボルのインデックス（ｌ0）とデータ信号を搬送する最初のシンボルのインデックスとの差である。換言すれば、ＰＴ−ＲＳを搬送するために使用され第２のシンボルに先行するシンボルのインデックスは、データチャネルの最初のシンボルのインデックスと、ＤＭＲＳを搬送し第２のシンボルに先行する最初のシンボルのインデックスとの差に関係付けられる。実施形態３は、後でこのマッピング方式について詳細に記載する。詳細は、ここには記載されていない。
【０１１２】
前述の２つの方式に加えて、ＰＴ−ＲＳは、別の方式で、データ信号を搬送し第２のシンボルに先行するシンボルにさらにマッピングされ得る。これは、本願において限定されない。
【０１１３】
（２）第２のシンボルに続くシンボルに対する時間領域ＰＴ−ＲＳマッピングの規則
【０１１４】
第１のマッピング規則によれば、ＰＴ−ＲＳがマッピングされ第２のシンボルに続く開始シンボルのインデックスは、ＰＴ−ＲＳの時間領域密度に基づいて決定され得る。さらに、シンボルのインデックス値の小さいものから、ＰＴ−ＲＳは、Ｌ個ごとのシンボルの中で最も小さいインデックスを有するシンボルにマッピングされる。Ｌは、ＰＴ−ＲＳの時間領域密度の逆数である。
【０１１５】
たとえば、図１における例では、ＰＴ−ＲＳの時間領域密度が「１」である場合、ＰＴ−ＲＳがマッピングされる開始シンボルは、第２のシンボルに続く最初のシンボル、すなわちシンボル３である。ＰＴ−ＲＳの時間領域密度が「１／２」である場合、ＰＴ−ＲＳがマッピングされる開始シンボルは、第２のシンボルに続く２番目のシンボル、すなわちシンボル４である。ＰＴ−ＲＳの時間領域密度が「１／４」である場合、ＰＴ−ＲＳがマッピングされる開始シンボルは、第２のシンボルに続く最初のシンボル、すなわちシンボル３である。この例は、本願を説明するために使用されるにすぎず、限定するものと解釈されるべきでない。実際の適用では、ＰＴ−ＲＳの時間領域密度、およびＰＴ−ＲＳの時間領域密度とＰＴ−ＲＳがマッピングされる開始シンボルのインデックスとの間のマッピング関係は、代替として、異なるものであってもよい。これは、本願において限定されない。
【０１１６】
具体的には、ＰＴ−ＲＳの時間領域密度は、ＣＰタイプ、副搬送波間隔、および変調符号化方式の少なくとも１つに関係付けられ得る。後続の内容を参照されたい。詳細は、ここには記載されていない。
【０１１７】
具体的には、ＰＴ−ＲＳの時間領域密度、およびＰＴ−ＲＳの時間領域密度とＰＴ−ＲＳがマッピングされる開始シンボルのインデックスとの間のマッピング関係は、プロトコルによって事前定義されても、より高いレイヤシグナリング（たとえば、ＲＲＣシグナリング）またはＰＤＣＣＨを使用することによってネットワークデバイスによって構成されてもよい。
【０１１８】
第２のマッピング規則によれば、ＰＴ−ＲＳマッピングは、物理データ共有チャネル（ＰＤＳＣＨ／ＰＵＳＣＨ）の最初のシンボルから始まり、ＰＴ−ＲＳは、時間領域単位における時間領域シンボル（第２のシンボル、第２のシンボルに先行するシンボル、および第２のシンボルに続くシンボルを含む）に均等にマッピングされ得る。このようにして、ＰＴ−ＲＳもまた、第２のシンボルに続くシンボルに均等にマッピングされる。任意選択で、ＰＴ−ＲＳのマッピング優先順位は、ＰＤＣＣＨ、ＰＵＣＣＨ、ＳＳブロック、ＣＳＩ−ＲＳ、ＳＲＳなどのものより低い。実施形態１は、後でこのマッピング方式について詳細に記載する。詳細は、ここには記載されていない。
【０１１９】
第３のマッピング規則によれば、ＰＴ−ＲＳは、データ信号を搬送し第２のシンボルに続く最後のシンボルにマッピングされ、第２のシンボルに続くシンボルに、シンボルのインデックス値の大きいものから均等にマッピングされる。実施形態２は、後でこのマッピング方式について詳細に記載する。詳細は、ここには記載されていない。
【０１２０】
第４のマッピング規則によれば、ＰＴ−ＲＳを搬送するために使用され第２のシンボルに続くシンボルのインデックスは、第２のシンボルに続くシンボルの量に関係付けられる。実施形態３は、後でこのマッピング方式について詳細に記載する。詳細は、ここには記載されていない。
【０１２１】
ＰＴ−ＲＳは、前述の４つのマッピング方式のすべてにおいて第２のシンボルに続くシンボルに均等にマッピングすることができる。前述の４つの方式に加えて、ＰＴ−ＲＳは、別の方式で、第２のシンボルに続くシンボルにさらにマッピングされ得る。これは、本願において限定されない。
【０１２２】
本願では、ＰＴ−ＲＳは、第２のシンボルの前後の位置において同じ時間領域密度または異なる時間領域密度を有してもよい。
【０１２３】
本願に記載のリソースは、時間−周波数リソースであり、時間領域リソースおよび周波数領域リソースを含み、通常、リソースエレメント（Ｒｅｓｏｕｒｃｅ  Ｅｌｅｍｅｎｔ、ＲＥ）、リソースブロック（Ｒｅｓｏｕｒｃｅ  Ｂｌｏｃｋ、ＲＢ）、シンボル（ｓｙｍｂｏｌ）、副搬送波（ｓｕｂｃａｒｒｉｅｒ）、または送信時間間隔（Ｔｒａｎｓｍｉｓｓｉｏｎ  Ｔｉｍｅ  Ｉｎｔｅｒｖａｌ、ＴＴＩ）を使用することによって表される。図７に示されているように、システムリソース全体は、周波数領域および時間領域における分割を通じて得られるグリッドを含む。１つのグリッドは、１つのＲＥを表し、１つのＲＥは、周波数領域における１つの副搬送波と、時間領域における１つのシンボルとを含む。１つのＲＢは、時間領域におけるＴ（Ｔは正の整数）個の連続するシンボルと、周波数領域におけるＭ（Ｍは正の整数）個の連続する副搬送波とを含む。たとえば、ＬＴＥでは、Ｔ＝７およびＭ＝１２である。
【０１２４】
本願では、シンボルインデックス値は、小さいものから時系列に対応する。換言すれば、時系列において、より小さいシンボルインデックス値を有するシンボルが、より大きいシンボルインデックス値を有するシンボルに先行する。特定の実装におけるシンボルインデックスと時系列の間の対応は、本願において限定されない。たとえば、シンボルインデックス値は、代替として大きいものから時系列に対応してもよい。
【０１２５】
本願において提供されている添付の図面は、本発明の実施形態を説明することが意図されているにすぎず、リソースブロックのサイズ、リソースブロック内に含まれるシンボルおよび副搬送波の量などは、将来の通信標準において異なり得ることに留意されたい。本願に記載のリソースブロックは、添付の図面に示されているものに限定されない。
【０１２６】
前述の発明原理に基づいて、図８は、本願において提供される信号送信方法の処理全体を示す。詳細は下記に記載されている。
【０１２７】
Ｓ１０１。第１のデバイスは、第１の参照信号（ＰＴ−ＲＳ）を第１のシンボルにマッピングする。前述の発明原理を参照すると、第１のシンボルは、データ信号を搬送するシンボルであって、そのインデックスが第２のシンボル（前方ＤＭＲＳを搬送するシンボル）のインデックスより小さいシンボルを含むことを知ることができる。第２のシンボルは、ＤＭＲＳを搬送する１つまたは複数の連続するシンボルである。１つまたは複数のシンボルは、ＤＭＲＳを搬送する最初のシンボルを含む。
【０１２８】
具体的には、第１のデバイスは、時間領域において、ＰＴ−ＲＳの時間領域密度に基づいて、またプロトコルによって事前定義された時間領域ＰＴ−ＲＳマッピング規則に従ってＰＴ−ＲＳをマッピングし得る。第２のシンボルに先行するシンボルに対する時間領域ＰＴ−ＲＳマッピング規則、および第２のシンボルに続くシンボルに対する時間領域ＰＴ−ＲＳマッピング規則については、前述の原理および後続の実施形態を参照されたい。詳細は、ここには記載されていない。
【０１２９】
Ｓ１０２。第１のデバイスは、第１の参照信号（ＰＴ−ＲＳ）を第２のデバイスに送る。それに対応して第２のデバイスは、第１のデバイスによって送られた第１の参照信号（ＰＴ−ＲＳ）を受信する。具体的には、第２のデバイスは、第１の参照信号（ＰＴ−ＲＳ）を搬送するシンボル（すなわち、第１のシンボル）を、第１の参照信号（ＰＴ−ＲＳ）の時間領域密度に基づいて、またより高いレイヤシグナリングを使用することによって構成された、またはプロトコルによって静的に定義された時間領域ＰＴ−ＲＳマッピング規則に従って決定し、これらの時間領域シンボル上で第１の参照信号（ＰＴ−ＲＳ）を受信し得る。
【０１３０】
Ｓ１０３。第２のデバイスは、第１の参照信号（ＰＴ−ＲＳ）に基づいて位相追従を実施する。
【０１３１】
具体的には、時間領域ＰＴ−ＲＳマッピング規則は、より高いレイヤシグナリングを使用することによって構成されても、プロトコルによって静的に定義されてもよい。第１の参照信号（ＰＴ−ＲＳ）がマッピングされるシンボルは、第１の参照信号（ＰＴ−ＲＳ）の時間領域密度に基づいて決定され得る（後続の実施形態１を参照）。あるいは、第１の参照信号（ＰＴ−ＲＳ）がマッピングされるシンボルは、第１の参照信号（ＰＴ−ＲＳ）の時間領域密度、および前方ＤＭＲＳを搬送するシンボル（すなわち、第２のシンボル）の位置に基づいて決定されてもよい（後続の実施形態２および実施形態３を参照）。
【０１３２】
具体的には、ＰＴ−ＲＳの時間領域密度は、ＣＰタイプ、副搬送波間隔、および変調符号化方式（ＭＣＳ）のうちの少なくとも１つに関係付けられ得る。具体的には、第１のデバイスは、第２のデバイスにＰＴ−ＲＳの時間領域密度についてさらに通知することを必要とせず、第２のデバイスは、ＰＴ−ＲＳの時間領域密度を、ＣＰタイプ、副搬送波間隔、および変調符号化方式（ＭＣＳ）のうちの少なくとも１つに基づいて決定し得る。具体的には、前方ＤＭＲＳを搬送するシンボルは、第２のシンボルの位置を、ＤＭＲＳリソースパターンから学習し得る（プロトコルは、異なるアンテナポートに使用されるＤＭＲＳリソースパターンを定義する）。具体的には、第１のデバイスは、第２のデバイスに第２のシンボルの位置についてさらに通知することを必要とせず、第２のデバイスは、第２のシンボルの位置をＤＭＲＳアンテナポートに基づいて決定し得る。
【０１３３】
このようにして、時間領域ＰＴ−ＲＳマッピング規則がより高いレイヤシグナリングを使用することによって構成されている、またはプロトコルによって静的に定義されている場合、第１のデバイスは、通知をさらに実施することを必要とせず、第２のデバイスは、第１の参照信号（ＰＴ−ＲＳ）を搬送するシンボルを、別のパラメータ（たとえば、ＭＣＳまたはＤＭＲＳアンテナポート）に基づいて決定し得る。これは、シグナリングオーバーヘッドを著しく低減することができる。
【０１３４】
アップリンク送信プロセスでは、第１のデバイスは、端末デバイスであってもよく、第２のデバイスは、ネットワークデバイスであってもよいことを理解されたい。ダウンリンク送信プロセスでは、第１のデバイスは、ネットワークデバイスであってもよく、第２のデバイスは、端末デバイスであってもよい。任意選択で、第１のデバイスおよび第２のデバイスはどちらも、端末デバイスまたはネットワークデバイスであってよい。
【０１３５】
図８に示されている信号送信方法によれば、第１の参照信号（ＰＴ−ＲＳ）は、前方ＤＭＲＳを搬送するシンボルに先行するシンボルにマッピングされる。したがって、ＰＴ−ＲＳもまた、データチャネルがマッピングされＤＭＲＳを搬送するシンボルに先行するシンボルにマッピングされることを確実にし、それにより位相ノイズ推定性能を確保することができる。
【０１３６】
以下は、複数の実施形態を使用することによって、時間領域においてＰＴ−ＲＳをいかにマッピングするかについて記載している。
（１）実施形態１
【０１３７】
この実施形態では、ＰＴ−ＲＳは、時間領域単位において、データ信号（ＰＤＳＣＨ／ＰＵＳＣＨ）を搬送する最初のシンボルにマッピングされる。任意選択で、時間領域単位において、シンボルのインデックス値の小さいものから、ＰＴ−ＲＳは、Ｌ個ごとのシンボルの中で最も小さいインデックスを有するシンボルにマッピングされる。換言すれば、データ信号を搬送する最初のシンボルから始めて、ＰＴ−ＲＳは、時間領域単位内で均等にマッピングされ得る。Ｌは、ＰＴ−ＲＳのシンボルレベル時間領域密度の逆数である。Ｌの値は、ＰＴ−ＲＳのシンボルレベル時間領域密度に基づいて決定され得る。たとえば、この値は、｛１，２，４｝となり得る。
【０１３８】
本願では、時間領域単位は、スロット、アグリゲートスロット、サブフレーム、送信時間間隔（Ｔｒａｎｓｍｉｓｓｉｏｎ  Ｔｉｍｅ  Ｉｎｔｅｒｖａｌ、ＴＴＩ）などであってもよい。
【０１３９】
この実施形態では、ＰＴ−ＲＳを搬送するシンボルのインデックスｌは、以下の式、すなわち
【０１４０】
【数３】
2020516146.tif 000005
【０１４１】
を使用することによって表され得、ここで、ｌ’は、正の整数であり、
【０１４２】
【数４】
2020516146.tif 000006
【０１４３】
は、データ信号（ＰＤＳＣＨ／ＰＵＳＣＨ）を搬送する最初のシンボルのインデックスを表し、Ｌは、ＰＴ−ＲＳのシンボルレベル時間領域密度の逆数を表す。
【０１４４】
この実施形態では、ＰＴ−ＲＳのマッピング優先順位は、物理ダウンリンク制御チャネル（ＰＤＣＣＨ）、物理アップリンク制御チャネル（ＰＵＣＣＨ）、同期信号ブロック（ＳＳブロック）、チャネル状態情報参照信号（ＣＳＩ−ＲＳ）、サウンディング参照信号（ＳＲＳ）、復調参照信号（ＤＭＲＳ）、および物理ブロードキャストチャネル（ＰＢＣＨ）のうちの少なくとも１つのものより低い。本明細書において、マッピング優先順位がＰＤＣＣＨ／ＰＵＣＣＨ／ＳＳブロック／ＣＳＩ−ＲＳ／ＳＲＳ／ＤＭＲＳのものより低いことは、時間領域または周波数領域ＰＴ−ＲＳマッピング規則によれば、ＰＤＣＣＨ／ＰＵＣＣＨ／ＳＳブロック／ＣＳＩ−ＲＳ／ＳＲＳ／ＤＭＲＳなどの特別な信号もまた、ＰＴ−ＲＳがマッピングされることを必要とするリソースエレメント（ＲＥ）にマッピングされることを必要とする場合、ＰＴ−ＲＳは、そのリソースエレメントにマッピングされないことを意味する。これらの特別な信号がＬ個ごとのシンボルの中で最も小さいインデックスを有するシンボルにマッピングされる場合、ＰＴ−ＲＳは、これらの特別な信号がマッピングされるＲＥにマッピングされないことを理解することができる。時間領域ＰＴ−ＲＳマッピング規則によれば、ＰＴ−ＲＳがマッピングされることを必要とする１つまたは複数のシンボル上のすべての副搬送波にこれらの特別な信号がマッピングされる場合、ＰＴ−ＲＳは、これらの１つまたは複数のシンボルにマッピングされないことを理解することができる。
【０１４５】
任意選択で、時間領域または周波数領域ＰＴ−ＲＳマッピング規則によれば、ＰＤＣＣＨ／ＰＵＣＣＨ／ＳＳブロック／ＣＳＩ−ＲＳ／ＳＲＳ／ＤＭＲＳなど特別な信号もまた、ＰＴ−ＲＳがマッピングされるリソースエレメント（ＲＥ）にマッピングされることを必要とする場合、ゼロパワーＰＴ−ＲＳ（ＺＰ−ＰＴ−ＲＳ）またはミュートＰＴ−ＲＳ（Ｍｕｔｅｄ−ＰＴ−ＲＳ）は、そのリソースエレメントに送られない。
【０１４６】
ダウンリンク送信が一例として使用される。図９Ａから図９Ｌおよび図１０Ａから図１０Ｌは、この実施形態において提供される時間領域ＰＴ−ＲＳマッピング規則の概略図の例を示す。図９Ａから図９Ｌおよび図１０Ａから図１０Ｌは、異なるＤＭＲＳ構成、ＰＤＣＣＨ構成、またはＰＤＳＣＨ構成を使用してこの実施形態において提供される時間領域ＰＴ−ＲＳマッピング規則によるマッピングを通じて得られるいくつかの典型的な概略ＰＴ−ＲＳマッピング図の例を示す。
【０１４７】
図９Ａから図９Ｌに示されている例では、ＰＴ−ＲＳの時間領域密度は、１／２、すなわちＬ＝２である。以下は、図９Ａおよび図９Ｂを例として使用することによって説明を提供する。図９Ｃから図９Ｌにおける時間領域ＰＴ−ＲＳマッピングは、これらの図から理解することができる。詳細は、ここには記載されていない。
【０１４８】
図９Ａに示されているように、前方ＤＭＲＳは、シンボル３にマッピングされる。すなわち、第２のシンボルは、シンボル３である。付加的ＤＭＲＳは、シンボル７にマッピングされる。ＰＤＣＣＨおよびＰＤＳＣＨは、シンボル０から２、すなわち、前方ＤＭＲＳを搬送するシンボルに先行するシンボルを、周波数分割多重方式で共有する。ＰＤＳＣＨは、最後の５つのシンボル（すなわち、シンボル９から１３）に、時間領域単位（すなわち、スロット）においてマッピングされない。換言すれば、シンボル９から１３は、ダウンリンクデータ信号を搬送しない。図９Ａに示されている例では、時間領域単位（すなわち、スロット）において、ＰＴ−ＲＳは、データ信号を搬送する最初のシンボル（すなわち、シンボル０）にマッピングされる。さらに、シンボルインデックスの小さいものから、ＰＴ−ＲＳは、２つごと（Ｌ＝２）のシンボルの中で最も小さいインデックスを有するシンボルにマッピングされる。最後に、ＰＴ−ＲＳは、シンボル０、シンボル２、シンボル４、シンボル６、およびシンボル８にマッピングされる。
【０１４９】
図９Ｂに示されているように、前方ＤＭＲＳは、シンボル２にマッピングされる。すなわち、第２のシンボルは、シンボル２である。付加的ＤＭＲＳは、シンボル７にマッピングされる。ＰＤＣＣＨおよびＰＤＳＣＨは、シンボル０およびシンボル１、すなわち、前方ＤＭＲＳを搬送するシンボルに先行するシンボルを、周波数分割多重方式で共有する。ＰＤＳＣＨは、最後の５つのシンボル（すなわち、シンボル９から１３）に、時間領域単位（すなわち、スロット）においてマッピングされない。換言すれば、シンボル９から１３は、ダウンリンクデータ信号を搬送しない。図９Ｂに示されている例では、時間領域単位（すなわち、スロット）において、ＰＴ−ＲＳは、データ信号を搬送する最初のシンボル（すなわち、シンボル０）にマッピングされる。さらに、シンボルインデックスの小さいものから、ＰＴ−ＲＳは、２つごと（Ｌ＝２）のシンボルの中で最も小さいインデックスを有するシンボルにマッピングされる。最後に、ＰＴ−ＲＳは、シンボル０、シンボル２、シンボル４、シンボル６、およびシンボル８にマッピングされることを必要とする。ＤＭＲＳは、シンボル２にマッピングされることを必要とし、ＤＭＲＳのマッピング優先順位は、ＰＴ−ＲＳのものより高い。したがって、ＰＴ−ＲＳは、実際には、シンボル２にマッピングされない。
【０１５０】
図１０Ａから図１０Ｌに示されている例では、ＰＴ−ＲＳの時間領域密度は、１／４、すなわちＬ＝４である。以下は、図１０Ａおよび図１０Ｂを例として使用することによって説明を提供する。図１０Ｃから図１０Ｌにおける時間領域ＰＴ−ＲＳマッピングは、これらの図から理解することができる。詳細は、ここには記載されていない。
【０１５１】
図１０Ａに示されているように、前方ＤＭＲＳは、シンボル３にマッピングされる。すなわち、第２のシンボルは、シンボル３である。付加的ＤＭＲＳは、シンボル７にマッピングされる。ＰＤＣＣＨおよびＰＤＳＣＨは、シンボル０から２、すなわち、前方ＤＭＲＳを搬送するシンボルに先行するシンボルを、周波数分割多重方式で共有する。ＰＤＳＣＨは、最後の５つのシンボル（すなわち、シンボル９から１３）に、時間領域単位（すなわち、スロット）においてマッピングされない。換言すれば、シンボル９から１３は、ダウンリンクデータ信号を搬送しない。図１０Ａに示されている例では、時間領域単位（すなわち、スロット）において、ＰＴ−ＲＳは、データ信号を搬送する最初のシンボル（すなわち、シンボル０）にマッピングされる。さらに、シンボルインデックスの小さいものから、ＰＴ−ＲＳは、４つごと（Ｌ＝４）のシンボルの中で最も小さいインデックスを有するシンボルにマッピングされる。最後に、ＰＴ−ＲＳは、シンボル０、シンボル４、およびシンボル８にマッピングされる。
【０１５２】
図１０Ｂに示されているように、前方ＤＭＲＳは、シンボル３にマッピングされる。すなわち、第２のシンボルは、シンボル３である。付加的ＤＭＲＳは、シンボル８にマッピングされる。ＰＤＣＣＨおよびＰＤＳＣＨは、シンボル０から２、すなわち、前方ＤＭＲＳを搬送するシンボルに先行するシンボルを、周波数分割多重方式で共有する。ＰＤＳＣＨは、最後の５つのシンボル（すなわち、シンボル９から１３）に、時間領域単位（すなわち、スロット）においてマッピングされない。換言すれば、シンボル９から１３は、ダウンリンクデータ信号を搬送しない。図１０Ｂに示されている例では、時間領域単位（すなわち、スロット）において、ＰＴ−ＲＳは、データ信号を搬送する最初のシンボル（すなわち、シンボル０）にマッピングされる。さらに、シンボルインデックスの小さいものから、ＰＴ−ＲＳは、４つごと（Ｌ＝４）のシンボルの中で最も小さいインデックスを有するシンボルにマッピングされる。最後に、ＰＴ−ＲＳは、シンボル０、シンボル４、シンボル８にマッピングされることを必要とする。ＤＭＲＳは、シンボル８にマッピングされることを必要とし、ＤＭＲＳのマッピング優先順位は、ＰＴ−ＲＳのものより高い。したがって、ＰＴ−ＲＳは、実際にはシンボル８にマッピングされない。
【０１５３】
図９Ａから図９Ｌおよび図１０Ａから図１０Ｌは、この実施形態のいくつかの実装の例を示すにすぎないことに留意されたい。実際の適用では、ＤＭＲＳがマッピングされるリソース（副搬送波およびシンボル）、ＰＤＣＣＨがマッピングされるリソース（副搬送波およびシンボル）、ＰＤＳＣＨがマッピングされるリソース（副搬送波およびシンボル）などは、代替として、異なるものであってもよい。これは、限定するものと解釈されるべきでない。
【０１５４】
前述から、実施形態１において提供される時間領域ＰＴ−ＲＳマッピング規則に従って、ＰＴ−ＲＳマッピングは、データチャネルの最初のシンボルから始まることを理解することができる。ＰＴ−ＲＳもまた、データチャネルがマッピングされ前方ＤＭＲＳを搬送するシンボルに先行するシンボルにマッピングされることが確実にされ、それにより位相ノイズ推定性能を確保する。さらに、ＰＴ−ＲＳ、および他の参照信号および物理チャネルなど特別な信号のマッピング優先順位が決定され、したがって、ＰＴ−ＲＳがマッピングされるリソースと、他の参照信号および物理チャネルなど特別な信号がマッピングされるリソースとの間でリソース競合が発生するとき、その競合は、ＰＴ−ＲＳをマッピングすることをスキップするようにして回避することができる。
（２）実施形態２
【０１５５】
この実施形態では、時間領域単位において、ＰＴ−ＲＳを搬送するシンボルの位置が、前方ＤＭＲＳを搬送するシンボル（すなわち、第２のシンボル）の位置、ならびにデータ信号（ＰＤＳＣＨ／ＰＵＳＣＨ）を搬送する最初のシンボルおよび最後のシンボルに関係付けられ得る。本明細書において、データ信号を搬送する最初のシンボルは、データ信号（ＰＤＳＣＨ／ＰＵＳＣＨ）を搬送する時間領域単位におけるシンボルの中で最も小さいインデックスを有するシンボルである。データ信号を搬送する最後のシンボルは、データ信号（ＰＤＳＣＨ／ＰＵＳＣＨ）を搬送する時間領域単位におけるシンボルの中で最も大きいインデックスを有するシンボルである。
【０１５６】
本願では、時間領域単位は、スロット、アグリゲートスロット、サブフレーム、送信時間間隔（Ｔｒａｎｓｍｉｓｓｉｏｎ  Ｔｉｍｅ  Ｉｎｔｅｒｖａｌ、ＴＴＩ）などであってもよい。
【０１５７】
具体的には、時間領域単位において、ＰＴ−ＲＳは、データ信号を搬送し第２のシンボル（すなわち、前方ＤＭＲＳを搬送するシンボル）に先行する最初のシンボルにマッピングされ得る。さらに、シンボルのインデックス値の小さいものから、ＰＴ−ＲＳは、第２のシンボルに先行するＬ個ごとのシンボルの中で最も小さいインデックスを有するシンボルにマッピングされ得る。具体的には、データ信号を搬送する最初のシンボルから開始して、ＰＴ−ＲＳは、第２のシンボルに先行するシンボルに、シンボルのインデックス値の小さいものから均等にマッピングされ得る。Ｌは、ＰＴ−ＲＳのシンボルレベル時間領域密度の逆数である。Ｌの値は、ＰＴ−ＲＳのシンボルレベル時間領域密度に基づいて決定され得る。たとえば、この値は、｛１，２，４｝となり得る。
【０１５８】
具体的には、時間領域単位において、ＰＴ−ＲＳは、データ信号を搬送し第２のシンボル（すなわち、前方ＤＭＲＳを搬送するシンボル）に続く最後のシンボルにマッピングされ得る。さらに、シンボルのインデックス値の大きいものから、ＰＴ−ＲＳは、第２のシンボルに続くＬ個ごとのシンボルの中で最も大きいインデックスを有するシンボルにマッピングされ得る。具体的には、データ信号を搬送する最後のシンボルから開始して、ＰＴ−ＲＳは、第２のシンボルに続くシンボルに、シンボルのインデックス値の大きいものから均等にマッピングされ得る。Ｌは、ＰＴ−ＲＳのシンボルレベル時間領域密度の逆数である。Ｌの値は、ＰＴ−ＲＳのシンボルレベル時間領域密度に基づいて決定され得る。たとえば、この値は、｛１，２，４｝となり得る。
【０１５９】
この実施形態では、ＰＴ−ＲＳを搬送するシンボルのインデックスｌは、以下の式、すなわち
【０１６０】
【数５】
2020516146.tif 000007
【０１６１】
を使用することによって表され得、ここで、ｌ’は、正の整数であり、
【０１６２】
【数６】
2020516146.tif 000008
【０１６３】
は、データ信号（ＰＤＳＣＨ／ＰＵＳＣＨ）を搬送する最初のシンボルのインデックスを表し、
【０１６４】
【数７】
2020516146.tif 000009
【０１６５】
は、データ信号（ＰＤＳＣＨ／ＰＵＳＣＨ）を搬送する最後のシンボルのインデックスを表し、Ｌは、ＰＴ−ＲＳのシンボルレベル時間領域密度の逆数を表し、ｌDM-RSは、前方ＤＭＲＳを搬送する最後のシンボルを表し、ｌ0は、前方ＤＭＲＳを搬送する最初のシンボルを表す。たとえば、ＤＭＲＳが１つのシンボルを占有するとき、ｌDM-RSは、ｌ0に等しく、またはＤＭＲＳが２つのシンボルを占有するとき、ｌDM-RSは、ｌ0＋１に等しい。
【０１６６】
ダウンリンク送信が一例として使用される。図１１Ａから図１１Ｃは、この実施形態において提供される時間領域ＰＴ−ＲＳマッピング規則の概略図の例を示す。図１１Ａから図１１Ｃは、異なるＤＭＲＳ構成、ＰＤＣＣＨ構成、またはＰＤＳＣＨ構成を使用してこの実施形態において提供される時間領域ＰＴ−ＲＳマッピング規則によるマッピングを通じて得られるいくつかの典型的な概略ＰＴ−ＲＳマッピング図の例を示す。
【０１６７】
図１１Ａに示されている例では、ＰＴ−ＲＳの時間領域密度は１、すなわちＬ＝１である。
【０１６８】
図１１Ａに示されているように、前方ＤＭＲＳは、シンボル１にマッピングされる。すなわち、第２のシンボルは、シンボル１である。ＰＤＣＣＨおよびＰＤＳＣＨは、シンボル０、すなわち、前方ＤＭＲＳを搬送するシンボルに先行するシンボルを、周波数分割多重方式で共有する。図１１Ａに示されている例では、シンボル１の前、ＰＴ−ＲＳは、データ信号を搬送する最初のシンボル（すなわち、シンボル０）にマッピングされる。シンボル１の後、ＰＴ−ＲＳは、データ信号を搬送する最後のシンボル（すなわち、シンボル１３）にマッピングされ、１つごと（Ｌ＝１）のシンボルの中で最も大きいインデックスを有するシンボルに、シンボルインデックスの大きいものからマッピングされる。最後に、ＰＴ−ＲＳは、シンボル０およびシンボル２から１３にマッピングされる。
【０１６９】
図１１Ｂに示されている例では、ＰＴ−ＲＳの時間領域密度は、１／２、すなわちＬ＝２である。
【０１７０】
図１１Ｂに示されているように、前方ＤＭＲＳは、シンボル２にマッピングされる。すなわち、第２のシンボルは、シンボル２である。ＰＤＣＣＨおよびＰＤＳＣＨは、シンボル０およびシンボル１、すなわち、前方ＤＭＲＳを搬送するシンボルに先行するシンボルを、周波数分割多重方式で共有する。図１１Ｂに示されている例では、シンボル２の前、ＰＴ−ＲＳは、データ信号を搬送する最初のシンボル（すなわち、シンボル０）にマッピングされる。シンボル２の後、ＰＴ−ＲＳは、データ信号を搬送する最後のシンボル（すなわち、シンボル１３）にマッピングされ、２つごと（Ｌ＝２）のシンボルの中で最も大きいインデックスを有するシンボルに、シンボルインデックスの大きいものからマッピングされる。最後に、ＰＴ−ＲＳは、シンボル０、シンボル３、シンボル５、シンボル７、シンボル９、シンボル１１、およびシンボル１３にマッピングされる。
【０１７１】
図１１Ｃに示されている例では、ＰＴ−ＲＳの時間領域密度は、１／４、すなわちＬ＝４である。
【０１７２】
図１１Ｃに示されているように、前方ＤＭＲＳは、シンボル３にマッピングされる。すなわち、第２のシンボルは、シンボル３である。ＰＤＣＣＨおよびＰＤＳＣＨは、シンボル０から２、すなわち、前方ＤＭＲＳを搬送するシンボルに先行するシンボルを、周波数分割多重方式で共有する。図１１Ｃに示されている例では、シンボル３の前、ＰＴ−ＲＳは、データ信号を搬送する最初のシンボル（すなわち、シンボル０）にマッピングされる。シンボル３の後、ＰＴ−ＲＳは、データ信号を搬送する最後のシンボル（すなわち、シンボル１３）にマッピングされ、４つごと（Ｌ＝４）のシンボルの中で最も大きいインデックスを有するシンボルに、シンボルインデックスの大きいものからマッピングされる。最後に、ＰＴ−ＲＳは、シンボル０、シンボル５、シンボル９、およびシンボル１３にマッピングされる。
【０１７３】
図１１Ａから図１１Ｃは、この実施形態のいくつかの実装の例を示すにすぎないことに留意されたい。実際の適用では、ＤＭＲＳがマッピングされるリソース（副搬送波およびシンボル）、ＰＤＣＣＨがマッピングされるリソース（副搬送波およびシンボル）、ＰＤＳＣＨがマッピングされるリソース（副搬送波およびシンボル）などは、代替として、異なるものであってもよい。これは、限定するものと解釈されるべきでない。
【０１７４】
実施形態１と同様に、この実施形態では、ＰＴ−ＲＳのマッピング優先順位は、物理ダウンリンク制御チャネル（ＰＤＣＣＨ）、物理アップリンク制御チャネル（ＰＵＣＣＨ）、同期信号ブロック（ＳＳブロック）、チャネル状態情報参照信号（ＣＳＩ−ＲＳ）、サウンディング参照信号（ＳＲＳ）、復調参照信号（ＤＭＲＳ）、および物理ブロードキャストチャネル（ＰＢＣＨ）のうちの少なくとも１つのものより低い。
【０１７５】
前述から、実施形態２において提供される時間領域ＰＴ−ＲＳマッピング規則に従って、ＰＴ−ＲＳマッピングは、データチャネルの最初のシンボルおよび最後のシンボルから間のシンボルに向かって始まることを理解することができる。ＰＴ−ＲＳがデータチャネルのエッジシンボルにマッピングされることが確実にされ、それによりＰＴ−ＲＳの補間推定性能を確保する。さらに、ＰＴ−ＲＳもまた、データチャネルがマッピングされ前方ＤＭＲＳを搬送するシンボルに先行するシンボルにマッピングされることが確実にされ、それにより位相ノイズ推定性能を確保する。
（３）実施形態３
【０１７６】
この実施形態では、ＰＴ−ＲＳを搬送するシンボルの位置が、前方ＤＭＲＳを搬送するシンボル（すなわち、第２のシンボル）の位置に関係付けられ得る。任意選択で、ＰＴ−ＲＳを搬送するシンボルの位置は、前方ＤＭＲＳを搬送するシンボル（すなわち、第２のシンボル）、そのシンボルインデックスが前方ＤＭＲＳを搬送する最初のシンボルのインデックスより小さい時間領域単位におけるシンボルの量、そのシンボルインデックスが前方ＤＭＲＳを搬送する最後のシンボルのインデックスより大きい時間領域単位におけるシンボルの量にさらに関係付けられる。
【０１７７】
本願では、時間領域単位は、スロット、アグリゲートスロット、サブフレーム、送信時間間隔（Ｔｒａｎｓｍｉｓｓｉｏｎ  Ｔｉｍｅ  Ｉｎｔｅｒｖａｌ、ＴＴＩ）などであってもよい。
【０１７８】
具体的には、時間領域単位において、ＰＴ−ＲＳを搬送し第２のシンボルに先行する最後のシンボルのインデックスが、第１の差に関係付けられる。さらに、ＰＴ−ＲＳを搬送する最後のシンボルのインデックスから開始して、シンボルインデックスの大きいものから、ＰＴ−ＲＳは、データ信号を搬送し第２のシンボルに先行するシンボルに均等にマッピングされる。具体的には、時間領域単位において、ＰＴ−ＲＳを搬送し第２のシンボルに先行するシンボルのインデックスが、第１の差に関係付けられる。本明細書において、第１の差（Ｈ2）は、前方ＤＭＲＳを搬送する最初のシンボルのインデックス（ｌ0）と、データ信号（ＰＤＳＣＨ／ＰＵＳＣＨ）を搬送する最初のシンボルのインデックスとの差である。本明細書において、均等にマッピングすることは、ＰＴ−ＲＳの時間領域密度１／Ｌに基づいて均等にマッピングすることを実施することを意味する。Ｌは、ＰＴ−ＲＳのシンボルレベル時間領域密度の逆数である。Ｌの値は、ＰＴ−ＲＳのシンボルレベル時間領域密度に基づいて決定され得る。たとえば、この値は、｛１，２，４｝となり得る。
【０１７９】
具体的には、時間領域単位において、ＰＴ−ＲＳを搬送し第２のシンボルに続く最初のシンボルのインデックスが、第２のシンボルに続くシンボルの量に関係付けられる。さらに、ＰＴ−ＲＳを搬送する最初のシンボルのインデックスから開始して、ＰＴ−ＲＳは、第２のシンボルに続くシンボルに、シンボルインデックスの小さいものから均等にマッピングされる。本明細書において、均等にマッピングすることは、ＰＴ−ＲＳの時間領域密度１／Ｌに基づいて均等にマッピングすることを実施することを意味する。Ｌは、ＰＴ−ＲＳのシンボルレベル時間領域密度の逆数である。Ｌの値は、ＰＴ−ＲＳのシンボルレベル時間領域密度に基づいて決定され得る。たとえば、この値は、｛１，２，４｝となり得る。
【０１８０】
本願では、第２のシンボルに続くシンボルの量は、Ｈ1によって表され得、第１の差は、Ｈ2によって表され得、前方ＤＭＲＳを搬送する最初のシンボルのインデックスは、ｌ0によって表され得、前方ＤＭＲＳを搬送する最後のシンボルのインデックスは、ｌDM-RSによって表され得る。この実施形態では、ＰＴ−ＲＳを搬送するシンボルの位置がＨ1およびＨ2に関係付けられる。以下は、いくつかの時間領域ＰＴ−ＲＳマッピング方式を提供する。
【０１８１】
（１）ＰＴ−ＲＳの時間領域密度は、１／２、すなわちＬ＝２である。
【０１８２】
前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1が奇数である場合、ＰＴ−ＲＳは、そのインデックスがｌDM-RS＋１であるシンボルにマッピングされる。任意選択で、そのインデックスがｌDM-RS＋１であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスと、データ信号（ＰＤＳＣＨ／ＰＵＳＣＨ）を搬送し前方ＤＭＲＳに先行する最初のシンボルのインデックスとの差Ｈ2が奇数である場合、ＰＴ−ＲＳは、そのインデックスがｌ0−１であるシンボルにマッピングされる。任意選択で、そのインデックスがｌ0−１であるシンボルから開始して、ＰＴ−ＲＳは、第２のシンボルに先行するシンボルに、シンボルインデックスの大きいものから均等にマッピングされてもよい。
【０１８３】
前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1が偶数である場合、ＰＴ−ＲＳは、そのインデックスがｌDM-RS＋２であるシンボルにマッピングされる。任意選択で、そのインデックスがｌDM-RS＋２であるシンボルから開始して、ＰＴ−ＲＳは、第２のシンボルに続くシンボルに、シンボルインデックスの小さいものから均等にマッピングされ得る。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2が偶数である場合、ＰＴ−ＲＳは、そのインデックスがｌ0−２であるシンボルにマッピングされる。任意選択で、そのインデックスがｌ0−２であるシンボルから開始して、ＰＴ−ＲＳは、第２のシンボルに先行するシンボルに、シンボルインデックスの大きいものから均等にマッピングされてもよい。
【０１８４】
（２）ＰＴ−ＲＳの時間領域密度は、１／４、すなわちＬ＝４である。
【０１８５】
前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1が４の整数倍である場合、ＰＴ−ＲＳは、そのインデックスがｌDM-RS＋４であるシンボルにマッピングされる。任意選択で、そのインデックスがｌDM-RS＋４であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2が４の整数倍である場合、ＰＴ−ＲＳは、そのインデックスがｌ0−４であるシンボルにマッピングされる。任意選択で、そのインデックスがｌ0−４であるシンボルから開始して、ＰＴ−ＲＳは、第２のシンボルに先行するシンボルに、シンボルインデックスの大きいものから均等にマッピングされてもよい。
【０１８６】
前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1がＨ1ｍｏｄ４＝１を満たす場合、ＰＴ−ＲＳは、そのインデックスがｌDM-RS＋１であるシンボルにマッピングされる。任意選択で、そのインデックスがｌDM-RS＋１であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2がＨ2ｍｏｄ４＝２を満たす場合、ＰＴ−ＲＳは、そのインデックスがｌ0−１であるシンボルにマッピングされる。任意選択で、そのインデックスがｌ0−１であるシンボルから開始して、ＰＴ−ＲＳは、第２のシンボルに先行するシンボルに、シンボルインデックスの大きいものから均等にマッピングされてもよい。
【０１８７】
前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1がＨ1ｍｏｄ４＝２を満たす場合、ＰＴ−ＲＳは、そのインデックスがｌDM-RS＋２であるシンボルにマッピングされる。任意選択で、そのインデックスがｌDM-RS＋２であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2がＨ2ｍｏｄ４＝２を満たす場合、ＰＴ−ＲＳは、そのインデックスがｌ0−２であるシンボルにマッピングされる。任意選択で、そのインデックスがｌ0−２であるシンボルから開始して、ＰＴ−ＲＳは、第２のシンボルに先行するシンボルに、シンボルインデックスの大きいものから均等にマッピングされてもよい。
【０１８８】
前方ＤＭＲＳを搬送する最後のシンボルのインデックスとデータ信号（ＰＤＳＣＨ／ＰＵＳＣＨ）を搬送し前方ＤＭＲＳを搬送するシンボルに続く最後のシンボルのインデックスとの差Ｈ1がＨ1ｍｏｄ４＝３を満たす場合、ＰＴ−ＲＳは、そのインデックスがｌDM-RS＋３であるシンボルにマッピングされる。任意選択で、そのインデックスがｌDM-RS＋３であるシンボルから開始して、ＰＴ−ＲＳは、第２のシンボルに続くシンボルに、シンボルインデックスの小さいものから均等にマッピングされてもよい。前方ＤＭＲＳを搬送する最初のシンボルのインデックスとデータ信号（ＰＤＳＣＨ／ＰＵＳＣＨ）を搬送し前方ＤＭＲＳに先行する最初のシンボルのインデックスとの差Ｈ2がＨ2ｍｏｄ４＝３を満たす場合、ＰＴ−ＲＳは、そのインデックスがｌ0−３であるシンボルにマッピングされる。任意選択で、そのインデックスがｌ0−３であるシンボルから開始して、ＰＴ−ＲＳは、第２のシンボルに先行するシンボルに、シンボルインデックスの大きいものから均等にマッピングされてもよい。
【０１８９】
この実施形態では、ＰＴ−ＲＳを搬送するシンボルのインデックスｌは、以下の式、すなわち
【０１９０】
【数８】
2020516146.tif 000010
【０１９１】
または
【０１９２】
【数９】
2020516146.tif 000011
【０１９３】
を使用することによって表され得、ここで、ｌ’は、正の整数ｌ’＝０，１，２，．．．であり、Ｌは、ＰＴ−ＲＳのシンボルレベル時間領域密度の逆数を表し、Ｈ1は、第２のシンボルに続くシンボルの量を表し、Ｈ2は、前述の第１の差を表し、ｌ0は、前方ＤＭＲＳを搬送する最初のシンボルのインデックスを表し、ｌDM-RSは、前方ＤＭＲＳを搬送する最後のシンボルのインデックスを表す。
【０１９４】
ダウンリンク送信は、一例として使用される。図１２Ａから図１２Ｄは、この実施形態において提供される時間領域ＰＴ−ＲＳマッピング規則の概略図の例を示す。図１２Ａから図１２Ｄは、異なるＤＭＲＳ構成、ＰＤＣＣＨ構成、またはＰＤＳＣＨ構成の下で、この実施形態において提供される時間領域ＰＴ−ＲＳマッピング規則に従ったマッピングを通じて取得される、いくつかの典型的な概略的なＰＴ−ＲＳマッピング図の例を示す。
【０１９５】
図１２Ａおよび図１２Ｂにおいて示されている例において、ＰＴ−ＲＳの時間領域密度は１／２、つまり、Ｌ＝２である。
【０１９６】
図１２Ａに示されているように、前方ＤＭＲＳは、シンボル２にマッピングされ、つまり、第２のシンボルはシンボル２である。ＰＤＣＣＨおよびＰＤＳＣＨは、周波数分割多重の手法で、シンボル０およびシンボル１を、つまり、前方ＤＭＲＳを搬送するシンボルに先行するシンボルを共有する。図１２Ａに示されている例では、Ｈ1＝１１であり、Ｈ2＝２である。シンボル２の前に、ＰＴ−ＲＳは、シンボル０にマッピングされる。シンボル２の後、ＰＴ−ＲＳは、シンボル３にマッピングされ、シンボルインデックスの小さいものから２つごと（Ｌ＝２）のシンボルの中で最も小さいインデックスを有するシンボルにマッピングされる。最終的に、ＰＴ−ＲＳは、シンボル０、シンボル３、シンボル５、シンボル７、シンボル９、シンボル１１、およびシンボル１３にマッピングされる。
【０１９７】
図１２Ｂに示されているように、前方ＤＭＲＳは、シンボル３にマッピングされ、つまり、第２のシンボルはシンボル３である。ＰＤＣＣＨおよびＰＤＳＣＨは、周波数分割多重の手法で、シンボル０から２を、つまり、前方ＤＭＲＳを搬送するシンボルに先行するシンボルを共有する。図１２Ａに示されている例では、Ｈ1＝１０であり、Ｈ2＝３である。シンボル３の前に、ＰＴ−ＲＳは、シンボル２にマッピングされる。シンボル３の後、ＰＴ−ＲＳは、シンボル５にマッピングされ、シンボルインデックスの小さいものから２つごと（Ｌ＝２）のシンボルの中で最も小さいインデックスを有するシンボルにマッピングされる。最終的に、ＰＴ−ＲＳは、シンボル２、シンボル５、シンボル７、シンボル９、シンボル１１、およびシンボル１３にマッピングされる。
【０１９８】
図１２Ｃおよび図１２Ｄに示されている例において、ＰＴ−ＲＳの時間領域密度は、１／４、つまり、Ｌ＝４である。
【０１９９】
図１２Ｃに示されているように、前方ＤＭＲＳは、シンボル１にマッピングされ、つまり、第２のシンボルはシンボル１である。ＰＤＣＣＨおよびＰＤＳＣＨは、周波数分割多重の手法で、シンボル０を、つまり、前方ＤＭＲＳを搬送するシンボルに先行するシンボルを共有する。図１２Ｃに示されている例では、Ｈ1＝１２であり、Ｈ2＝１である。シンボル１の前に、ＰＴ−ＲＳは、シンボル０にマッピングされる。シンボル１の後、ＰＴ−ＲＳは、シンボル５にマッピングされ、シンボルインデックスの小さいものから４つごと（Ｌ＝４）のシンボルの中で最も小さいインデックスを有するシンボルにマッピングされる。最終的に、ＰＴ−ＲＳは、シンボル０、シンボル５、シンボル９、およびシンボル１３にマッピングされる。
【０２００】
図１２Ｄに示されているように、前方ＤＭＲＳは、シンボル２にマッピングされ、つまり、第２のシンボルはシンボル２である。ＰＤＣＣＨおよびＰＤＳＣＨは、周波数分割多重の手法で、シンボル０およびシンボル１を、つまり、前方ＤＭＲＳを搬送するシンボルに先行するシンボルを共有する。図１２Ｄに示されている例では、Ｈ1＝１１であり、Ｈ2＝２である。シンボル２の前に、ＰＴ−ＲＳは、シンボル０にマッピングされる。シンボル２の後、ＰＴ−ＲＳは、シンボル５にマッピングされ、シンボルインデックスの小さいものから４つごと（Ｌ＝４）のシンボルの中で最も小さいインデックスを有するシンボルにマッピングされる。最終的に、ＰＴ−ＲＳは、シンボル０、シンボル５、シンボル９、およびシンボル１３にマッピングされる。
【０２０１】
図１２Ａから図１２Ｄは、この実施形態のいくつかの実装の例を示すにすぎないことに留意されたい。実際の適用において、ＤＭＲＳがマッピングされるリソース（副搬送波およびシンボル）、ＰＤＣＣＨがマッピングされるリソース（副搬送波およびシンボル）、ＰＤＳＣＨがマッピングされるリソース（副搬送波およびシンボル）などは、代替として異なってもよい。これは限定するものと解釈されるべきでない。
【０２０２】
実施形態３において提供された時間領域ＰＴ−ＲＳマッピング規則に従って、ＤＭＲＳを搬送するシンボルの位置は、ＰＴ−ＲＳを搬送するシンボルの位置に結び付けられ、ＰＴ−ＲＳを搬送するシンボルの位置は、時間領域ＤＭＲＳマッピングパターンに基づいて決定され、それにより、シグナリングオーバーヘッドを低減し得ることが、前述の内容から理解することができる。この実施形態によれば、ＰＴ−ＲＳがデータチャネルの最後のシンボルにマッピングされることを確実にし、それにより、ＰＴ−ＲＳの補間推定性能を確保することができる。さらに、ＰＴ−ＲＳもまた、データチャネルがマッピングされ前方ＤＭＲＳを搬送するシンボルに先行するシンボルにマッピングされることを確実にし、それにより、位相ノイズ推定性能を確保する。
【０２０３】
本願のいくつかの任意選択の実施形態では、ＲＲＣシグナリングなどの、より高いレイヤのシグナリングは、データリソースマッピングインジケーション（ＰＤＳＣＨ−ＲＥ−ＭａｐｐｉｎｇＣｏｎｆｉｇ）情報の１つまたは複数のグループを含む。データリソースマッピングインジケーション情報は、データリソースマッピングインジケーション情報の識別情報（ｐｄｓｃｈ−ＲＥ−ＭａｐｐｉｎｇＣｏｎｆｉｇＩｄ）およびＰＴ−ＲＳの時間−周波数リソース位置の関連情報を含む。たとえば、関連情報は、位相追従参照信号パターン（ＰＴ−ＲＳパターン）および／または位相追従参照信号アンテナポート（ＰＴ−ＲＳポート）を示してもよい。
【０２０４】
特定のシグナリング実装は、以下の通りである：
ＰＤＳＣＨ−ＲＥ−ＭａｐｐｉｎｇＣｏｎｆｉｇ：：＝ＳＥＱＵＥＮＣＥ｛
ｐｄｓｃｈ−ＲＥ−ＭａｐｐｉｎｇＣｏｎｆｉｇＩｄ    データリソースマッピングインジケーション情報の識別情報、
ＰＴ−ＲＳ  ｐｏｒｔｓ  ＥＮＵＭＥＲＡＴＥＤ｛７，８，９，１０，１１，１２，１３，１４，ｓｐａｒｅ  １｝，ａｎｄ／ｏｒ
ＰＴ−ＲＳ  ｐａｔｔｅｒｎ  ＥＮＵＭＥＲＡＴＥＤ｛ｐａｔｔｅｒｎ  １，ｐａｔｔｅｒｎ  ２｝；
ｏｒ
ＰＴ−ＲＳ  ｐｏｒｔ  ｇｒｏｕｐ  ＥＮＵＭＥＲＡＴＥＤ｛ｇｒｏｕｐ  ｎｕｍｂｅｒ  １，ｇｒｏｕｐ  ｎｕｍｂｅｒ  ２，．．．｝，
｝
｝
【０２０５】
前述のシグナリング実装に基づいて、ＲＲＣシグナリングにおけるあるタイプのデータリソースマッピングインジケーション情報に含まれるコンテンツが示される。データリソースマッピングインジケーション情報は、データリソースマッピングインジケーション情報の識別情報（ｐｄｓｃｈ−ＲＥ−ＭａｐｐｉｎｇＣｏｎｆｉｇＩｄ）およびＰＴ−ＲＳの時間−周波数リソース位置の関連情報を含む。本明細書において、関連情報は、ＰＴ−ＲＳポートおよび／もしくはＰＴ−ＲＳパターン、またはＰＴ−ＲＳポートグループを含む。本明細書において、ＰＴ−ＲＳポートは、ＰＴ−ＲＳアンテナポート情報を表し（たとえば、本明細書のアンテナポート情報は、アンテナポートのポート番号を含む）、ＰＴ−ＲＳパターンは、ＰＴ−ＲＳパターンを表し、または、ＰＴ−ＲＳポートグループは、ＰＴ−ＲＳアンテナポートグループに関する情報を表す。ＰＴ−ＲＳの時間−周波数リソース位置の関連情報については、本願の以下の文脈における特定の記載を参照されたい。
【０２０６】
本願のこの実施形態において、任意選択で、ＤＣＩは、ＲＲＣシグナリングを使用することによって構成されたデータリソースマッピングインジケーション情報の特定のグループを示す。たとえば、ＲＲＣシグナリングにおいて構成されたデータリソースマッピングインジケーション情報の識別情報（たとえばｐｄｓｃｈ−ＲＥ−ＭａｐｐｉｎｇＣｏｎｆｉｇＩｄ）は、ＤＣＩ内のデータリソースマッピングおよび準同一位置インジケータ（ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ、ＰＱＩ）フィールドのビットにより示されてもよい。特定の実装については、表１を参照されたい。表１では、データリソースマッピングおよび準同一位置インジケータフィールドが２ビットを使用することによって表される例が、記載のために使用される。
【０２０７】
【表１】
2020516146.tif 000012
【０２０８】
本明細書において、データリソースマッピングおよび準同一位置インジケータフィールドも、ＤＣＩにおいて搬送される第２のインジケーション情報の特定の実装として理解されてもよい。第２のインジケーション情報は、対応する識別子を示し、その結果、位相追従参照信号の時間−周波数リソース位置の、ＲＲＣシグナリングにおける、かつ、識別子に対応する関連情報が決定されることができる。たとえば、前述の例示的なＲＲＣシグナリングにおいて、データリソースマッピングインジケーション情報の識別情報は、識別子１であり、ＤＣＩ内のデータリソースマッピングおよび準同一位置インジケータフィールドのビット値は「００」である。したがって、ＤＣＩは、位相追従参照信号の時間−周波数リソース位置の、識別子１に対応する関連情報を示すと決定されることができる。さらに、関連情報は、ＰＴ−ＲＳポート  ＥＮＵＭＥＲＡＴＥＤ｛７、８、９、１０、１１、１２、１３、１４、ｓｐａｒｅ  １｝、および／もしくはＰＴ−ＲＳパターン  ＥＮＵＭＥＲＡＴＥＤ｛ｐａｔｔｅｒｎ  １，ｐａｔｔｅｒｎ  ２｝、または、ＰＴ−ＲＳポートグループ  ＥＮＵＭＥＲＡＴＥＤ｛ｇｒｏｕｐ  ｎｕｍｂｅｒ  １，ｇｒｏｕｐ  ｎｕｍｂｅｒ  ２，．．．｝であると決定されることができる。
【０２０９】
受信端（すなわち、前述の第２のデバイス）は、データリソースマッピングインジケーション情報内のＰＴ−ＲＳの時間−周波数リソース位置を取得してもよく、次いで、そのデータがＰＴ−ＲＳの時間−周波数リソース位置にマッピングされないことを学習してもよいことを理解することができる。つまり、受信端は、ＰＴ−ＲＳの時間−周波数リソース位置内のデータを受信しない。
【０２１０】
さらに、本願は、別の信号送信方法をさらに提供する。非コヒーレントジョイント送信（ｎｏｎ−ｃｏｈｅｒｅｎｔ  ｊｏｉｎｔ  ｔｒａｎｓｍｉｓｓｉｏｎ、ＮＣＪＴ）シナリオにおいて、レートマッチングは、別の送受信ポイント（ｔｒａｎｓｍｉｓｓｉｏｎ  ａｎｄ  ｒｅｃｅｐｔｉｏｎ  ｐｏｉｎｔ、ＴＲＰ）がＰＴ−ＲＳを送るリソース上でデータに対して実施されてもよい（つまり、データはマッピングされない）。これは、異なる送受信ポイントによって送られたデータによって引き起こされるＰＴ−ＲＳ干渉を回避し、それにより、ＰＴ−ＲＳ位相ノイズ推定性能を確保することができる。
【０２１１】
まず、非コヒーレントジョイント送信シナリオが記載される。
【０２１２】
ＬＴＥシステムにおいて、ＴＭ１０は、協調マルチポイント送信／受信（Ｃｏｏｒｄｉｎａｔｅｄ  ｍｕｌｔｉｐｏｉｎｔ  ｔｒａｎｓｍｉｓｓｉｏｎ／ｒｅｃｅｐｔｉｏｎ、ＣｏＭＰ）をサポートする。ＣｏＭＰにおいて、信号は、複数の送受信ポイントから到来し得る。図１３に示されているように、非コヒーレントジョイント送信（ＮＣＪＴ）シナリオにおいて、異なる送受信ポイントは、同じ時間−周波数リソース上で、同じ端末デバイスに、異なるＭＩＭＯ流れ（ＭＩＭＯ  ｓｔｒｅａｍｓ）を送信してもよい。
【０２１３】
協調マルチポイント送信／受信（Ｃｏｏｒｄｉｎａｔｅｄ  ｍｕｌｔｉｐｏｉｎｔ  ｔｒａｎｓｍｉｓｓｉｏｎ／ｒｅｃｅｐｔｉｏｎ、ＣｏＭＰ）をサポートするために、準同一位置（ｑｕａｓｉ−ｃｏ−ｌｏｃａｔｅｄ、ＱＣＬ）の概念が導入され、アンテナポートが特定のＱＣＬ制限を満たすことを必要とする。
【０２１４】
ＣｏＭＰ通信において、信号は、複数の送受信ポイント（ｔｒａｎｓｍｉｓｓｉｏｎ  ａｎｄ  ｒｅｃｅｐｔｉｏｎ  ｐｏｉｎｔ、ＴＰ、またはｔｒａｎｓｍｉｓｓｉｏｎ  ｒｅｃｅｐｔｉｏｎ  ｐｏｉｎｔ、ＴＲＰ）から到来してもよく、ＣｏＭＰ内のアンテナポートは、ＱＣＬ制限を満たす必要がある。ＱＣＬ情報の複数のグループは、端末デバイスに通知するために、ネットワークデバイス向けに構成される必要があることもあり得る。たとえば、非コヒーレントジョイント送信（ｎｏｎ−ｃｏｈｅｒｅｎｔ  Ｊｏｉｎｔ  Ｔｒａｎｓｍｉｓｓｉｏｎ、ＮＣＪＴ）の場合において、異なる送受信ポイント（たとえば、ネットワークデバイス）は、同じ搬送波における同じ時間−周波数リソース上で、同じ端末デバイスに、異なる多入力多出力（ｍｕｌｔｉｐｌｅ−ｉｎｐｕｔ  ｍｕｌｔｉｐｌｅ−ｏｕｔｐｕｔ、ＭＩＭＯ）流れ（ＭＩＭＯ  ｓｔｒｅａｍｓ）を送信してもよい。したがって、第１の送受信ポイント上にある復調参照信号（ｄｅｍｏｄｕｌａｔｉｏｎ  ｒｅｆｅｒｅｎｃｅ  ｓｉｇｎａｌ、ＤＭＲＳ）アンテナポート（ＤＭＲＳポートと称されることもある）、ならびにチャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）アンテナポートおよび／またはＰＴ−ＲＳアンテナポートは、ＱＣＬであり（つまり、ＱＣＬ関係を満たし）、第２の送受信ポイント上にあるＤＭＲＳアンテナポート、ならびにＣＳＩ−ＲＳアンテナポートおよび／またはＰＴ−ＲＳアンテナポートは、ＱＣＬである。しかしながら、第１の送受信ポイント上のアンテナポート、および第２の送受信ポイント上のそれは、非ＱＣＬである（つまり、ＱＣＬ関係を満たさない）。
【０２１５】
本願のこの実施形態におけるＱＣＬの定義については、ＬＴＥにおける定義を参照されたい。具体的には、ＱＣＬアンテナポートによって送られた信号は、同じ大規模フェージングを受ける。大規模フェージングは、遅延拡散、ドップラー拡散、ドップラーシフト、平均チャネル利得、平均遅延などのうちの１つまたは複数を含む。代替として、本願のこの実施形態におけるＱＣＬの定義については、５ＧにおけるＱＣＬの定義を参照されたい。新無線ＮＲシステムにおけるＱＣＬの定義は、ＬＴＥシステムにおける定義と同様であるが、空間情報が追加されている。たとえば、ＱＣＬアンテナポートによって送られた信号は、同じ大規模フェージングを受ける。大規模フェージングは、遅延拡散、ドップラー拡散、ドップラーシフト、平均チャネル利得、平均遅延、空間パラメータなどのパラメータのうちの１つまたは複数を含む。空間パラメータは、放射角度（ＡＯＡ）、支配的な放射角度（支配的なＡｏＡ）、平均到達角度（Ａｖｅｒａｇｅ  ＡｏＡ）、到達角度（ＡＯＤ）、チャネル相関行列、到達角度の電力方位スペクトル拡散、平均放射角度（Ａｖｅｒａｇｅ  ＡｏＤ）、放射角度の電力方位スペクトル拡散、送信チャネル相関、受信チャネル相関、送信ビームフォーミング、受信ビームフォーミング、空間チャネル相関、フィルタ、空間フィルタパラメータ、または空間受信パラメータのうちの１つまたは複数であってもよい。
【０２１６】
ＱＣＬ関係は、ＱＣＬ関係を満たすチャネル状態情報参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ、ＣＳＩ−ＲＳ）、ＤＭＲＳ、位相追従参照信号（ｐｈａｓｅ  ｔｒａｃｋｉｎｇ  ｒｅｆｅｒｅｎｃｅ  ｓｉｇｎａｌ、ＰＴ−ＲＳ）（位相補償参照信号（ｐｈａｓｅ  ｃｏｍｐｅｎｓａｔｉｏｎ  ｒｅｆｅｒｅｎｃｅ  ｓｉｇｎａｌ、ＰＣＲＳ）または位相ノイズ参照信号（略して位相ノイズ参照信号と称される）とも称される）、同期信号ブロック（ＳＳブロック）（同期信号およびブロードキャストチャネルのうちの１つまたは複数を含み、ここで、同期信号は、プライマリ同期信号ＰＳＳおよび／またはセカンダリ同期信号ＳＳＳを含む）、ならびにアップリンク参照信号（たとえば、アップリンクサウンディング信号サウンディング参照信号、ＳＲＳ、またはアップリンクＤＭＲＳ）のうちの１つまたは複数を含む。
【０２１７】
送受信ポイント２（ＴＲＰ２）が、送受信ポイント１（ＴＲＰ１）がＰＴ−ＲＳを送る時間−周波数リソース上でデータを送る場合に、複数の送受信ポイント間のバックホールリンクが非理想的なバックホールリンクであるとき、２つの送受信ポイントのＰＴ−ＲＳの位置は時間内に交換することができず、したがって、送受信ポイント２（ＴＲＰ２）によって送られたデータは、送受信ポイント１（ＴＲＰ１）によって送られたＰＴ−ＲＳに干渉し、それにより、送受信ポイント１（ＴＲＰ１）によって送られたＰＴ−ＲＳを受信する際に端末デバイスの性能に影響を及ぼすことを理解することができる。対照的に、送受信ポイント１（ＴＲＰ１）が、送受信ポイント２（ＴＲＰ２）がＰＴ−ＲＳを送る時間−周波数リソース上でデータを送る場合、送受信ポイント１（ＴＲＰ１）によって送られたデータは、送受信ポイント２（ＴＲＰ２）によって送られたＰＴ−ＲＳに干渉する。
【０２１８】
以下は、前述の技術的問題を解決するための別の信号送信方法を詳細に記載する。図１４に示されているように、詳細は下記に提供される。
【０２１９】
ネットワークデバイス１およびネットワークデバイス２は、ＰＴ−ＲＳ（すなわち、前述の第１の参照信号）マッピングリソースセットを交換する。任意選択で、ネットワークデバイス２は、Ｘ２インターフェースを通じてネットワークデバイス１にＰＴ−ＲＳ情報を送ってもよい。ＰＴ−ＲＳ情報は、ネットワークデバイス２から到来するＰＴ−ＲＳによって占有される時間−周波数リソース、つまり、ネットワークデバイス２のＰＴ−ＲＳマッピングリソースセットを決定するために使用される。本明細書において、ネットワークデバイス２のＰＴ−ＲＳマッピングリソースセットは、ネットワークデバイス２がＰＴ−ＲＳを送信し得る時間−周波数リソースである。ただし、ネットワークデバイス２は、セット中のいくつかのリソース上でのみＰＴ−ＲＳを送信してもよく、またはネットワークデバイス２は、実際にはＰＴ−ＲＳを送信しない。
【０２２０】
具体的には、ネットワークデバイス１およびネットワークデバイス２は、それぞれのＰＴ−ＲＳリソースマッピングセットを互いに通知する必要があり、たとえば、ＰＴ−ＲＳの送信許可情報、ＤＭＲＳポートグループ内にありＰＴ−ＲＳのアンテナポートと関連付けられるＤＭＲＳポートのインジケーション情報、ＤＭＲＳポートグループのインジケーション情報、ＰＴ−ＲＳの周波数領域密度とスケジュール可能帯域幅閾値との間の関連付け関係のインジケーション情報、ＰＴ−ＲＳの時間領域密度とＭＣＳ閾値との間の関連付け関係のインジケーション情報などの互いのパラメータを互いに通知する必要がある。
【０２２１】
同様に、ネットワークデバイス１は、Ｘ２インターフェースを通じてネットワークデバイス２にＰＴ−ＲＳ情報も送ってもよい。これは本発明において限定されない。
【０２２２】
Ｓ２０１。ネットワークデバイス１（またはネットワークデバイス２）は、端末デバイスに第１のインジケーション情報を送る。ネットワークデバイス１（またはネットワークデバイス２）によって送られる第１のインジケーション情報は、ＰＴ−ＲＳの少なくとも２つのグループによって占有される時間−周波数リソースの位置を示すために使用される。ＰＴ−ＲＳの各グループは、別の参照信号（たとえば、ＤＭＲＳ、ＣＳＩ−ＲＳ、ＳＳブロック、またはＳＲＳ）とのＱＣＬ関係を有し、１つのネットワークデバイスに対応する。ＰＴ−ＲＳの各グループは、異なるＱＣＬ関係を有する。換言すれば、ＰＴ−ＲＳの異なるグループは非ＱＣＬである。たとえば、ＰＴ−ＲＳアンテナポートグループ１内のアンテナポートは、第１のＱＣＬ関係を満たし、ＰＴ−ＲＳアンテナポートグループ２内のアンテナポートは、第２のＱＣＬ関係を満たす。第１のＱＣＬ関係は、第２のＱＣＬ関係とは異なる。第１のＱＣＬ関係は、ネットワークデバイス１に対応してもよく、第２のＱＣＬ関係は、ネットワークデバイス２に対応してもよい。本願において、別の参照信号は、第３の参照信号と称されてもよい。
【０２２３】
任意選択で、ネットワークデバイス１（またはネットワークデバイス２）によって端末デバイスに送られる第１のインジケーション情報は、より高いレイヤシグナリング、または、より高いレイヤシグナリングと物理レイヤシグナリングの共同インジケーションであってもよい。たとえば、第１のインジケーション情報は、より高いレイヤシグナリングである。たとえば、第１のインジケーション情報は、ＲＲＣシグナリングである。ＲＲＣシグナリングは、データリソースマッピングインジケーション（ＰＤＳＣＨ−ＲＥ−ＭａｐｐｉｎｇＣｏｎｆｉｇ）情報の少なくとも２つのグループを含む。データリソースマッピングインジケーション情報は、データリソースマッピングインジケーション情報の識別情報（ｐｄｓｃｈ−ＲＥ−ＭａｐｐｉｎｇＣｏｎｆｉｇＩｄ）およびＰＴ−ＲＳの時間−周波数リソース位置の関連情報を含む。関連情報は、ＰＴ−ＲＳパターン（ＰＴ−ＲＳ  ｐａｔｔｅｒｎ）および／もしくはＰＴ−ＲＳアンテナポート（ＰＴ−ＲＳポート）、またはＰＴ−ＲＳグループ識別子などを示してもよい。
【０２２４】
特定のシグナリング実装は、以下の通りである。
【０２２５】
ＰＤＳＣＨ−ＲＥ−ＭａｐｐｉｎｇＣｏｎｆｉｇ：：＝ＳＥＱＵＥＮＣＥ｛
ｐｄｓｃｈ−ＲＥ−ＭａｐｐｉｎｇＣｏｎｆｉｇＩｄ    データリソースマッピングインジケーション情報の識別情報、
ＰＴ−ＲＳ  ｐｏｒｔｓ  ＥＮＵＭＥＲＡＴＥＤ｛７，８，９，１０，１１，１２，１３，１４，ｓｐａｒｅ  １｝，ａｎｄ／ｏｒ
ＰＴ−ＲＳ  ｐａｔｔｅｒｎ  ＥＮＵＭＥＲＡＴＥＤ｛ｐａｔｔｅｒｎ  １，ｐａｔｔｅｒｎ  ２｝；
ｏｒ
ＰＴ−ＲＳ  ｐｏｒｔ  ｇｒｏｕｐ  ＥＮＵＭＥＲＡＴＥＤ｛ｇｒｏｕｐ  ｎｕｍｂｅｒ  １，ｇｒｏｕｐ  ｎｕｍｂｅｒ  ２，．．．｝，
｝
｝
【０２２６】
前述のシグナリング実装に基づいて、ＲＲＣシグナリングにおけるあるタイプのデータリソースマッピングインジケーション情報に含まれるコンテンツが示される。データリソースマッピングインジケーション情報は、データリソースマッピングインジケーション情報の識別情報（ｐｄｓｃｈ−ＲＥ−ＭａｐｐｉｎｇＣｏｎｆｉｇＩｄ）およびＰＴ−ＲＳの時間−周波数リソース位置の関連情報を含む。本明細書において、関連情報は、ＰＴ−ＲＳポートおよび／もしくはＰＴ−ＲＳパターン、またはＰＴ−ＲＳポートグループを含む。本明細書において、ＰＴ−ＲＳポートは、ＰＴ−ＲＳアンテナポート情報を表し（たとえば、本明細書のアンテナポート情報は、アンテナポートのポート番号を含む）、ＰＴ−ＲＳパターンは、ＰＴ−ＲＳパターン情報を表し、または、ＰＴ−ＲＳポートグループは、ＰＴ−ＲＳアンテナポートグループに関する情報を表す。ＰＴ−ＲＳの時間−周波数リソース位置の関連情報については、本願の以下の文脈における特定の記載を参照されたい。
【０２２７】
本願のこの実施形態において、任意選択で、第１のインジケーション情報は、物理レイヤシグナリングＤＣＩ、および、より高いレイヤシグナリングであってもよい。たとえば、物理レイヤシグナリングＤＣＩは、ＲＲＣシグナリングを使用することによって構成されるデータリソースマッピングインジケーション情報の特定のグループを示す。たとえば、ＲＲＣシグナリングにおいて構成されるデータリソースマッピングインジケーション情報の識別情報（たとえば、ｐｄｓｃｈ−ＲＥ−ＭａｐｐｉｎｇＣｏｎｆｉｇＩｄ）は、ＤＣＩ内のデータリソースマッピングビットによって示されてもよい。特定の実装については、表２を参照されたい。表２では、データリソースマッピングおよび準同一位置インジケータフィールドが２ビットを使用することによって表される例が、記載のために使用される。
【０２２８】
【表２】
2020516146.tif 000013
【０２２９】
たとえば、前述の例示的なＲＲＣシグナリングにおいて、データリソースマッピングインジケーション情報の識別情報は識別子１であり、ＤＣＩ内のデータリソースマッピングおよび準同一位置インジケータフィールドのビット値は「００」である。したがって、ＤＣＩが、位相追従参照信号の時間−周波数リソース位置の、識別子１に対応する関連情報を示すことが決定されることができる。さらに、関連情報が、ＰＴ−ＲＳポート  ＥＮＵＭＥＲＡＴＥＤ｛７、８、９、１０、１１、１２、１３、１４、ｓｐａｒｅ  １｝および／もしくはＰＴ−ＲＳパターン  ＥＮＵＭＥＲＡＴＥＤ｛ｐａｔｔｅｒｎ  １，ｐａｔｔｅｒｎ  ２｝またはＰＴ−ＲＳポートグループ  ＥＮＵＭＥＲＡＴＥＤ｛ｇｒｏｕｐ  ｎｕｍｂｅｒ  １，ｇｒｏｕｐ  ｎｕｍｂｅｒ  ２，．．．｝であることが決定されることができる。
【０２３０】
受信端（すなわち、端末デバイス）が、データリソースマッピングインジケーション情報内のＰＴ−ＲＳの少なくとも２つのグループの時間−周波数リソース位置を取得してもよく、次いで、そのデータが、第２のＤＭＲＳの時間−周波数リソース位置にマッピングされないことを学習してもよいことを理解することができる。つまり、データ送信は、第２のＤＭＲＳの時間−周波数リソース位置において実施されない。
【０２３１】
Ｓ２０２。端末デバイスは、ネットワークデバイス１（またはネットワークデバイス２）によって送られる第１のインジケーション情報に基づいて、データリソースマッピングインジケーション情報内のＰＴ−ＲＳの少なくとも２つのグループの時間−周波数リソース位置を決定し、次いで、データが第２のＤＭＲＳの時間−周波数リソース位置にマッピングされないことを学習し得る。つまり、データ送信は、第２のＤＭＲＳの時間−周波数リソース位置において実施されない。
【０２３２】
Ｓ２０３。ネットワークデバイス１および／またはネットワークデバイス２は、端末デバイスにデータ信号を送り、送信対象のデータ信号上でレートマッチングを実施する。具体的には、データ信号は、第１のインジケーション情報によって示されるＰＴ−ＲＳの時間−周波数リソース位置にマッピングされない。代替として、データ信号は、第１のインジケーション情報によって示されるＰＴ−ＲＳの時間−周波数リソース位置以外の時間−周波数リソース位置にマッピングされる。
【０２３３】
任意選択で、第１のインジケーション情報（より高いレイヤシグナリング、または、より高いレイヤシグナリングと物理レイヤシグナリングとの共同インジケーション）は、第１の情報および第２の情報を含んでもよい。第１の情報は、ＰＴ−ＲＳによって占有された副搬送波を決定するために使用され、第２の情報は、ＰＴ−ＲＳによって占有されるシンボルを決定するために使用される。具体的には、第１の情報は、ＰＴ−ＲＳの送信許可情報、ＤＭＲＳポートグループ内にありＰＴ−ＲＳのアンテナポートと関連付けられるインジケーション情報、ＤＭＲＳポートグループのインジケーション情報、またはＰＴ−ＲＳの周波数領域密度とスケジュール可能帯域幅閾値との間の関連付け関係のインジケーション情報のうちの少なくとも１つを含んでもよい。具体的には、第２の情報は、ＰＴ−ＲＳの時間領域密度とＭＣＳ閾値との間の関連付け関係のインジケーション情報を含んでもよい。
【０２３４】
任意選択で、端末デバイスは、ネットワークデバイス１（またはネットワークデバイス２）のＰＴ−ＲＳ副搬送波マッピングセット、つまり、ネットワークデバイス１（またはネットワークデバイス２）によって占有され得る副搬送波セットを、ネットワークデバイス１（またはネットワークデバイス２）によって送られる第１の情報に基づいて決定してもよい。任意選択で、ネットワークデバイス１（またはネットワークデバイス２）のＰＴ−ＲＳ副搬送波マッピングセットは、端末デバイスについてネットワークデバイス１によってスケジューリングされる最大のスケジュール可能帯域幅に対応する周波数領域密度において（あらゆる可能な）副搬送波を含んでもよい。スケジュール可能帯域幅と周波数領域密度との間の関係については、後続の内容におけるＰＴ−ＲＳの周波数領域密度に関する記載を参照されたい。詳細は、ここには記載されていない。
【０２３５】
任意選択で、端末デバイスは、ネットワークデバイス１（またはネットワークデバイス２）のＰＴ−ＲＳシンボルマッピングセット、つまり、ネットワークデバイス１（またはネットワークデバイス２）によって占有され得るシンボルセットを、ネットワークデバイス１（またはネットワークデバイス２）によって送られる第２の情報に基づいて決定してもよい。任意選択で、ネットワークデバイス１（またはネットワークデバイス２）のＰＴ−ＲＳシンボルマッピングセットは、端末デバイスについてネットワークデバイス１によってスケジューリングされる最大のＭＣＳに対応する時間領域密度における（あらゆる可能な）シンボルを含んでもよい。ＭＣＳと時間領域密度との間の関係については、後続の内容におけるＰＴ−ＲＳの時間領域密度に関する記載を参照されたい。詳細は、ここには記載されていない。
【０２３６】
前述の方法におけるステップの実行順序は、図１４に示されているそれに限定されず、代替として変化してもよいことを理解されたい。これは、本願において限定されない。
【０２３７】
任意選択で、現在の送信が非コヒーレントジョイント送信（ＮＣＪＴ）である場合、ネットワークデバイスおよび端末デバイスは、前述のＰＴ−ＲＳ上でレートマッチングを実施する。たとえば、現在の送信がＮＣＪＴであるかどうかは、ブラインド検出を必要とするＤＣＩの量またはブラインド検出を必要とするＤＣＩの最大量に基づいて決定されてもよく、ここで、量は、ＲＲＣシグナリングを使用することによってＵＥについてネットワークデバイスによって構成され、さらに、前述の方法を使用することによってＰＴ−ＲＳ上でレートマッチングを実施するかどうかが決定される。別の例を挙げると、現在の送信がＮＣＪＴであるかどうかは、明示的なシグナリング（物理レイヤＤＣＩシグナリング、またはＤＣＩシグナリング）を使用することによって示されてもよく、前述の方法を使用することによってＰＴ−ＲＳ上でレートマッチングを実施するべきであるかどうかが決定される。代替として、現在の送信がＮＣＪＴであるかどうかは、ＤＣＩシグナリングによって示されるＱＣＬ関係の量に基づいて黙示的に決定されてもよく、さらに、前述の方法を使用することによってＰＴ−ＲＳ上でレートマッチングを実施するべきかどうかが決定される。ＮＣＪＴを決定するための方法は、本願において限定されない。
【０２３８】
図１４に示されているそれに加えて、図１５に示されているように、ネットワークデバイス１およびネットワークデバイス２は、代替として、第２のインジケーション情報を端末デバイスに別々に送ってもよい。Ｓ２０１ＡおよびＳ２０１Ｂを参照されたい。具体的には、ネットワークデバイス１（またはネットワークデバイス２）によって送られた第２のインジケーション情報は、ネットワークデバイス１（またはネットワークデバイス２）から到来するＰＴ−ＲＳによって占有される時間−周波数リソースを示すために使用される。ネットワークデバイス１およびネットワークデバイス２によって別々に送られた第２のインジケーション情報は、図１４の実施形態において言及されたＰＴ−ＲＳの少なくとも２つのグループによって占有される時間−周波数リソースの位置を示すために共同で使用されてもよいことを理解することができる。ネットワークデバイス１からのＰＴ−ＲＳと、ネットワークデバイス２からのＰＴ−ＲＳとには、ＱＣＬ関係がない。
【０２３９】
Ｓ２０１ＡおよびＳ２０１Ｂ以外のステップについては、図１５の実施形態において、図１４の実施形態を参照されたい。詳細は、ここには再度記載されていない。
【０２４０】
以下は、ＰＴ−ＲＳの時間領域密度および周波数領域密度を決定する手法を記載する。
【０２４１】
（１）ＰＴ−ＲＳの時間領域密度
【０２４２】
本願において、ＰＴ−ＲＳの時間領域密度は、巡回プレフィックス（Ｃｙｃｌｉｃ  Ｐｒｅｆｉｘ、ＣＰ）タイプ、副搬送波間隔、および変調符号化方式のうちの少なくとも１つと関係付けられてもよい。
【０２４３】
具体的には、ＰＴ−ＲＳの時間領域密度と、ＣＰタイプ、副搬送波間隔、および変調符号化方式のうちの少なくとも１つとの間に対応がある。異なるＣＰタイプ、副搬送波間隔、または変調符号化方式は、異なる時間領域密度に対応する。具体的には、対応は、プロトコルによって事前定義されてもよく、または、より高いレイヤシグナリング（たとえば、ＲＲＣシグナリング）を使用することによってネットワークデバイスによって構成されてもよい。
【０２４４】
ＰＴ−ＲＳの時間領域密度が以下のタイプを含んでもよいことが、前述の内容から理解することができる。ＰＴ−ＲＳは、ＰＵＳＣＨ（またはＰＤＳＣＨ）のすべてのシンボルに連続的にマッピングされてもよく、またはＰＵＳＣＨ（またはＰＤＳＣＨ）の１つおきのシンボルにマッピングされてもよく、またはＰＵＳＣＨ（またはＰＤＳＣＨ）の３つおきのシンボルにマッピングされてもよい。
【０２４５】
本願において、ＰＴ−ＲＳの時間領域密度は、副搬送波間隔および変調符号化方式に基づいて決定されてもよい。具体的には、決定された副搬送波間隔値について、１つまたは複数の変調符号化方式閾値が事前定義されてもよく、または、より高いレイヤシグナリングを使用して構成されてもよい。２つの隣接する変調符号化方式閾値間のあらゆる変調符号化方式は、表３に示されているように、ＰＴ−ＲＳの同じ時間領域密度に対応する。
【０２４６】
【表３】
2020516146.tif 000014
【０２４７】
ＭＣＳ＿１、ＭＣＳ＿２、およびＭＣＳ＿３は、変調符号化方式閾値である。時間領域密度における「１」、「１／２」、および「１／４」は、図１に示されている３つの時間領域密度である。
【０２４８】
具体的には、決定された副搬送波間隔において、ＰＴ−ＲＳの時間領域密度は、実際の変調符号化方式ＭＣＳが収まる変調符号化方式閾値間隔に基づいて決定されてもよい。たとえば、表３が、デフォルト副搬送波間隔ＳＣＳ＿１＝１５ｋＨｚにおける変調符号化方式閾値を示すと仮定すると、実際の変調符号化方式ＭＣＳが間隔［ＭＣＳ＿２、ＭＣＳ＿３］に収まる場合、ＰＴ−ＲＳの時間領域密度は１／２である。この例は、本発明のこの実施形態を記載するために使用されているにすぎず、限定するものと解釈されるべきでない。
【０２４９】
本願において、異なる副搬送波間隔は、異なる変調符号化方式閾値に対応してもよい。具体的には、変調符号化方式閾値と時間領域密度との異なる対応テーブルは、異なる副搬送波間隔について構成されてもよい。
【０２５０】
具体的には、異なる副搬送波間隔に対応する変調符号化方式閾値は、プロトコルによって事前定義されてもよく、または、より高いレイヤシグナリング（たとえば、ＲＲＣシグナリング）を使用することによってネットワークデバイスによって構成されてもよい。
【０２５１】
いくつかの任意選択の実施形態では、デフォルト副搬送波間隔（ＳＣＳ＿１として表現される）、たとえば１５ｋＨｚ、およびデフォルト副搬送波間隔に対応する１つまたは複数のデフォルト閾値（ＭＣＳ’として表現される）は、プロトコルによって事前定義されてもよく、または、より高いレイヤシグナリングを使用して構成されてもよい。さらに、別の非デフォルト副搬送波間隔について、対応する変調符号化方式オフセット（ＭＣＳ＿ｏｆｆｓｅｔとして表現され、これは整数である）は、プロトコルによって事前定義されてもよく、または、より高いレイヤシグナリングを使用して構成されてもよい。ＭＣＳ＿ｏｆｆｓｅｔ＋ＭＣＳ＝ＭＣＳ’であり、ここで、ＭＣＳは、別の非デフォルト副搬送波間隔における実際の変調符号化方式を表す。別の非デフォルト副搬送波間隔において、ＰＴ−ＲＳの時間領域密度は、実際の変調符号化方式ＭＣＳを最大で変調符号化方式オフセットＭＣＳ＿ｏｆｆｓｅｔまで追加することによって決定されてもよい。
【０２５２】
たとえば、表４が、デフォルト副搬送波間隔ＳＣＳ＿１＝１５ｋＨｚにおける変調符号化方式閾値を示す場合、非デフォルト副搬送波間隔６０ｋＨｚにおいて、実際の変調符号化方式ＭＣＳとＭＣＳ＿ｏｆｆｓｅｔとの合計が、間隔［０、ＭＣＳ＿１］内に収まる場合、ＰＴ−ＲＳの時間領域密度は０であり、または、実際の変調符号化方式ＭＣＳとＭＣＳ＿ｏｆｆｓｅｔとの合計が、間隔［ＭＣＳ＿１、ＭＣＳ＿２］内に収まる場合、ＰＴ−ＲＳの時間領域密度は１／４である。この例は、本発明のこの実施形態を記載するために使用されているにすぎず、限定するものと解釈されるべきでない。
【０２５３】
【表４】
2020516146.tif 000015
【０２５４】
いくつかの任意選択の実施形態では、デフォルト副搬送波間隔（ＳＣＳ＿１として表現される）、およびデフォルト副搬送波間隔に対応する１つまたは複数のデフォルト変調符号化方式閾値（ＭＣＳ’として表現される）は、プロトコルによって事前定義されてもよく、または、より高いレイヤシグナリングを使用して構成されてもよい。さらに、別の非デフォルト副搬送波間隔（ＳＣＳ＿ｎとして表現される）について、対応するスケールファクタβ（０＜β＜１）が、プロトコルによって事前定義されてもよく、または、より高いレイヤシグナリングを使用して構成されてもよい。β＝ＳＣＳ＿１／ＳＣＳ＿ｎと定義されてもよい。別の非デフォルト副搬送波間隔において、ＭＣＳが収まるデフォルト変調符号化方式閾値間隔は、実際の変調符号化方式ＭＣＳと、デフォルト変調符号化方式閾値ＭＣＳ’とを使用することによって決定されてもよい。次いで、ＰＴ−ＲＳの実際の時間領域密度は、スケールファクタβに、デフォルト変調符号化方式閾値間隔に対応する時間領域密度を乗算することによって決定される。
【０２５５】
たとえば、表４が、デフォルト副搬送波間隔ＳＣＳ＿１＝６０ｋＨｚにおける変調符号化方式閾値を示す場合、非デフォルト副搬送波間隔１２０ｋＨｚにおいて、実際の変調符号化方式ＭＣＳが［ＭＣＳ＿２、ＭＣＳ＿３］内に収まる場合、ＰＴ−ＲＳの実際の時間領域密度は、時間領域密度「１／２」とスケールファクタβとの積に最も近い時間領域密度である。β＝６０／１２０＝１／２であるので、ＰＴ−ＲＳの実際の時間領域密度は１／４である。この例は、本発明のこの実施形態を記載するために使用されているにすぎず、限定するものと解釈されるべきでない。
【０２５６】
本願において、異なるＣＰタイプまたは長さについて、ＰＴ−ＲＳの時間領域密度と副搬送波間隔および変調符号化方式のうちの少なくとも１つとの間の対応は、プロトコルによって事前定義されてもよく、または、より高いレイヤシグナリング（たとえば、ＲＲＣシグナリング）を使用して構成されてもよい。
【０２５７】
任意選択で、拡張された巡回プレフィックス（Ｅｘｔｅｎｄｅｄ  Ｃｙｃｌｉｃ  Ｐｒｅｆｉｘ、ＥＣＰ）について、ＰＴ−ＲＳの時間領域密度は、プロトコルによって事前定義されてもよく、または、以下のように、より高いレイヤシグナリングを使用して構成されてもよい。ＰＴ−ＲＳは、ＰＵＳＣＨ（またはＰＤＳＣＨ）のすべてのシンボルに連続的にマッピングされる。このようにして、ＰＴ−ＲＳは、高速で大きい遅延の拡張シナリオにおいてドップラーシフト推定を支援するために使用されることができる。
【０２５８】
表３および表４は、本発明のこの実施形態を記載するために使用されているにすぎず、限定するものと解釈されるべきでないことに留意されたい。
【０２５９】
（２）ＰＴ−ＲＳの周波数領域密度
【０２６０】
本願において、ＰＴ−ＲＳの周波数領域密度は、ＣＰタイプ、ユーザスケジュール可能帯域幅、副搬送波間隔、および変調符号化方式のうちの少なくとも１つと関係付けられ得る。具体的には、ＰＴ−ＲＳがユーザスケジュール可能帯域幅内でマッピングされる副搬送波の合計量ＬPT-RSは、ＣＰタイプ、ユーザスケジュール可能帯域幅、副搬送波間隔、および変調符号化方式のうちの少なくとも１つに関係付けられてもよい。
【０２６１】
具体的には、ＰＴ−ＲＳの周波数領域密度と、ＣＰタイプ、ユーザスケジュール可能帯域幅、副搬送波間隔、および変調符号化方式のうちの少なくとも１つとの間に対応がある。異なるＣＰタイプ、ユーザスケジュール可能帯域幅、副搬送波間隔、または変調符号化方式は、異なる周波数領域密度に対応する。具体的には、対応は、プロトコルによって事前定義されてもよく、または、より高いレイヤシグナリング（たとえば、ＲＲＣシグナリング）を使用することによってネットワークデバイスによって構成されてもよい。
【０２６２】
具体的には、決定された副搬送波間隔について、１つまたは複数のスケジュール可能帯域幅閾値は、事前定義されてもよく、または、より高いレイヤシグナリングを使用して構成されてもよい。表５に示されているように、２つの隣接するスケジュール可能帯域幅閾値間のあらゆるスケジュール可能帯域幅は、ＰＴ−ＲＳの同じ周波数領域密度に対応する。
【０２６３】
【表５】
2020516146.tif 000016
【０２６４】
ＢＷ＿１、ＢＷ＿２、ＢＷ＿３、ＢＷ＿４、およびＢＷ＿５は、スケジュール可能帯域幅閾値である。スケジュール可能帯域幅閾値は、スケジュール可能帯域幅に含まれるリソースブロックの量によって表されてもよく、または、スケジュール可能帯域幅に対応する周波数領域範囲によって表されてもよい。これは、本明細書において限定されない。周波数領域密度「１／２」は、ＰＴ−ＲＳが２つのリソースブロックおきに１つの副搬送波を占有することを示す。周波数領域密度「１／４」、「１／８」、および「１／１６」の意味は、類推によって取得され得る。詳細は、再度記載されない。
【０２６５】
具体的には、決定された副搬送波間隔において、ＰＴ−ＲＳの周波数領域密度は、実際のスケジュール可能帯域幅ＢＷが収まるスケジュール可能帯域幅閾値間隔に基づいて決定され得る。たとえば、表１は、デフォルト副搬送波間隔ＳＣＳ＿１＝１５ｋＨｚにおけるスケジュール可能帯域幅閾値を示すと仮定すると、実際のスケジュール可能帯域幅ＢＷが、間隔［ＢＷ＿２、ＢＷ＿３］内に収まる場合、ＰＴ−ＲＳの周波数領域密度は１／２である。この例は、本発明のこの実施形態を記載するために使用されているにすぎず、限定するものと解釈されるべきでない。
【０２６６】
本願において、異なる副搬送波間隔は、異なるスケジュール可能帯域幅閾値に対応してもよい。具体的には、スケジュール可能帯域幅閾値および周波数領域密度の異なる対応テーブルが、異なる副搬送波間隔について構成されてもよい。
【０２６７】
具体的には、異なる副搬送波間隔に対応するスケジュール可能帯域幅閾値は、プロトコルによって事前定義されてもよく、または、より高いレイヤシグナリング（たとえば、ＲＲＣシグナリング）を使用することよってネットワークデバイスによって構成されてもよい。
【０２６８】
いくつかの任意選択の実施形態では、デフォルト副搬送波間隔（ＳＣＳ＿１として表現される）、たとえば１５ｋＨｚ、および、デフォルト副搬送波間隔に対応する１つまたは複数のデフォルトスケジュール可能帯域幅閾値（ＢＷ’として表現される）は、プロトコルによって事前定義されてもよく、または、より高いレイヤシグナリングを使用して構成されてもよい。さらに、別の非デフォルト副搬送波間隔について、対応するスケジュール可能帯域幅オフセット（ＢＷ＿ｏｆｆｓｅｔとして表現され、これは整数である）は、プロトコルによって事前定義されてもよく、または、より高いレイヤシグナリングを使用して構成されてもよい。ＢＷ＿ｏｆｆｓｅｔ＋ＢＷ＝ＢＷ’であり、ここで、ＢＷは、別の非デフォルト副搬送波間隔における実際のスケジュール可能帯域幅を表す。別の非デフォルト副搬送波間隔において、ＰＴ−ＲＳの周波数領域密度は、実際のスケジュール可能帯域幅ＢＷを最大でスケジュール可能帯域幅オフセットＢＷ＿ｏｆｆｓｅｔまで追加することによって決定されてもよい。
【０２６９】
たとえば、表６が、デフォルト副搬送波間隔ＳＣＳ＿１＝１５ｋＨｚにおけるスケジュール可能帯域幅閾値を示す場合、非デフォルト副搬送波間隔６０ｋＨｚにおいて、実際のスケジュール可能帯域幅ＢＷとＢＷ＿ｏｆｆｓｅｔとの合計が間隔［ＢＷ＿１、ＢＷ＿２］内に収まる場合、ＰＴ−ＲＳの周波数領域密度は１であり、または、実際のスケジュール可能帯域幅ＢＷとＢＷ＿ｏｆｆｓｅｔとの合計が間隔［ＢＷ＿２、ＢＷ＿３］内に収まる場合、ＰＴ−ＲＳの周波数領域密度は１／２である。この例は、本発明のこの実施形態を記載するために使用されているにすぎず、限定するものと解釈されるべきでない。
【０２７０】
【表６】
2020516146.tif 000017
【０２７１】
いくつかの任意選択の実施形態では、デフォルト副搬送波間隔（ＳＣＳ＿１として表現される）、およびデフォルト副搬送波間隔に対応する１つまたは複数のデフォルトスケジュール可能帯域幅閾値（ＢＷ’として表現される）は、プロトコルによって事前定義されてもよく、または、より高いレイヤシグナリングを使用して構成されてもよい。さらに、別の非デフォルト副搬送波間隔（ＳＣＳ＿ｎとして表現される）について、対応するスケールファクタβ（０＜β＜１）は、プロトコルによって事前定義されてもよく、または、より高いレイヤシグナリングを使用して構成されてもよい。β＝ＳＣＳ＿ｎ／ＳＣＳ＿１と定義されてもよい。別の非デフォルト副搬送波間隔において、ＢＷが収まるデフォルトスケジュール可能帯域幅閾値間隔は、実際のスケジュール可能帯域幅ＢＷと、デフォルトスケジュール可能帯域幅閾値ＢＷ’とを使用して決定されてもよい。次いで、ＰＴ−ＲＳの実際の周波数領域密度は、スケールファクタβに、デフォルトスケジュール可能帯域幅閾値間隔に対応する周波数領域密度を乗算することによって決定される。
【０２７２】
たとえば、表６が、デフォルト副搬送波間隔ＳＣＳ＿１＝６０ｋＨｚにおけるスケジュール可能帯域幅閾値を示す場合、非デフォルト副搬送波１２０ｋＨｚにおいて、実際のスケジュール可能帯域幅ＢＷが［ＢＷ＿３、ＢＷ＿４］内に収まる場合、ＰＴ−ＲＳの実際の周波数領域密度は、周波数領域密度「１／４」とスケールファクタβとの積に最も近い周波数領域密度である。β＝１２０／６０＝２であるので、ＰＴ−ＲＳの実際の周波数領域密度は１／２である。この例は、本発明のこの実施形態を記載するために使用されているにすぎず、限定するものと解釈されるべきでない。
【０２７３】
表５および表６は、本発明のこの実施形態を記載するために使用されているにすぎず、限定するものと解釈されるべきでないことに留意されたい。
【０２７４】
また、本願は、別の信号送信方法をさらに提供する。
【０２７５】
まず、非コヒーレントジョイント送信シナリオが記載される。
【０２７６】
現在、ネットワークデバイスと端末デバイスとは、多入力多出力技術に基づいて互いに通信し得る。アップリンク通信処理において、ネットワークデバイスは、サウンディング参照信号を送るように端末デバイスを構成し得る。サウンディング参照信号（ｓｏｕｎｄｉｎｇ  ｒｅｆｅｒｅｎｃｅ  ｓｉｇｎａｌ、ＳＲＳ）は、アップリンクチャネルを測定するために使用される参照信号である。ネットワークデバイスは、端末デバイスによって送られるＳＲＳに基づいてアップリンクチャネルを測定して、アップリンクチャネルのチャネル状態情報（ｃｈａｎｎｅｌ  ｓｔａｔｅ  ｉｎｆｏｒｍａｔｉｏｎ、ＣＳＩ）を取得し、アップリンクリソースをスケジューリングする。アップリンクチャネルとダウンリンクチャネルとが相互関係を有する場合、ネットワークデバイスは、ＳＲＳを測定することによってダウンリンクＣＳＩをさらに取得してもよく、つまり、まず、アップリンクＣＳＩを取得し、次いで、チャネル相互関係に基づいてダウンリンクＣＳＩを決定する。
【０２７７】
ＬＴＥにおいて、１送信器、２受信器（１Ｔ２Ｒ）端末デバイスのＳＲＳは、異なるアンテナ間で切り替えられることができる。この場合に、端末デバイスのアップリンク送信では、１本のアンテナまたは１つのポートだけが、同時に送信するために使用されてもよく、また、ダウンリンク受信では、２つのアンテナが受信のために使用されてもよい。したがって、この場合に、ネットワークデバイスは、単一のアンテナのＳＲＳに基づいて、２つのダウンリンク受信アンテナのチャネルを取得することができない。ネットワークデバイスがあらゆるダウンリンクアンテナのチャネルを取得することを可能にするために、端末デバイスは、異なる時点で複数のアンテナ上でＳＲＳを送る、つまり、ＳＲＳアンテナスイッチオーバの手法でＳＲＳを送る必要がある。
【０２７８】
以下は、前述の技術的問題を解決するためのさらに別の信号送信方法を詳細に記載する。詳細は、下記に提供される。
【０２７９】
ステップ１。ネットワークデバイスは、端末デバイスにＳＲＳ構成情報を送る。アンテナポート情報において示されるアンテナポートの量は、アップリンク送信を同時に実施することができる端末デバイスのアンテナの量以下である必要がある。
【０２８０】
任意選択で、ネットワークデバイスは、ＳＲＳの期間を構成する。ＳＲＳの期間は、絶対時間、たとえば、１ｍｓ、０．５ｍｓ、１０ｍｓであってもよい。さらに、ネットワークデバイスは、シグナリングを使用することによって、期間に対応する識別子を示す。ネットワークデバイスは、代替として、相対的時間、たとえば、１つのスロットまたは２つのスロットなどのスロットの量を構成してもよい。代替として、ネットワークデバイスは、期間を１よりも小さい値、たとえば、０．５スロットとして構成して、ＳＲＳが１つのスロット内で複数回送られることを可能にしてもよい。
【０２８１】
任意選択で、端末デバイスは、メッセージ３（Ｍｓｇ３）、または、ＲＲＣシグナリングなどのより高いレイヤシグナリングにおいて、同時に送信を行うことができるアンテナの最大量を報告する必要がある。この実施形態において、ポートの量は、ｕ＝２である。
【０２８２】
任意選択で、ネットワークデバイスは、端末デバイスにシグナリングを送る。シグナリングは、ＳＲＳアンテナスイッチオーバの手法でＳＲＳを送るように端末デバイスに命令するために、またはアンテナ選択機能をサポートするように端末デバイスに命令するために使用される。
【０２８３】
任意選択で、ネットワークデバイスは、利用可能なアンテナの合計量を端末デバイスに通知する。たとえば、この実施形態において、アンテナの合計量は、ｖ＝４である。ｕ＝２の場合、端末デバイスは、一度に２つのアンテナを使用することによって送信を実施し、合計４つのアンテナ上でＳＲＳを送る。
【０２８４】
ステップ２。端末デバイスは、ネットワークデバイスの構成情報に基づいて時分割手法でｖ個のアンテナ上でＳＲＳを送り、ｕ個のポートまたはｕ個のアンテナを同時に使用することによってＳＲＳを送る。ｕ＝２およびｖ＝４である例が、このステップにおいて使用される。具体的には、以下の解決策がある。
【０２８５】
解決策１：アンテナ識別子は、ａ（ｎSRS）と表され得る。ｎSRSは、アップリンク参照信号を送る回数に基づいて、またはフレーム番号、サブフレーム番号、スロット番号、もしくは現在のＳＲＳのシンボル番号、ＳＲＳリソースのシンボルの量、およびＳＲＳの期間のうちの少なくとも１つに基づいて決定される。代替として、ｎSRSは、ある期間内の現在のＳＲＳ送信の数を表す。たとえば、ｎSRSは、アップリンク参照信号を送る回数、もしくは、この回数から１を引いたもの、または、ｎSRSは、フレームのサイクル内のＳＲＳの時間領域位置の数もしくはフレーム番号である。たとえば、ＬＴＥにおいて、ｎSRSは、以下のように定義される。
【０２８６】
【数１０】
2020516146.tif 000018
【０２８７】
ここで、ＮSPは、１つのフレームにおけるダウンリンクからアップリンクへのスイッチオーバの回数であり、ｎfは、フレーム番号であり、ｎsは、フレームにおけるスロット番号であり、ＴSRSは、ＳＲＳの期間であり、Ｔoffsetは、特別なサブフレームにおけるシンボル位置およびＳＲＳのシンボル量に基づいて決定され、Ｔoffset_maxは、Ｔoffsetの最大値である。この計算式におけるｎSRSは、ＳＲＳの期間を満たし、あるフレーム番号の０〜１０２３の期間にあるすべての位置において現在送られているＳＲＳの数であることを理解することができる。
【０２８８】
周波数ホッピングが実施されない場合：
ａ（ｎSRS）＝２・［ｎSRSｍｏｄ２］＋γ  （１）
【０２８９】
周波数ホッピングが実施される場合：
【０２９０】
【数１１】
2020516146.tif 000019
【０２９１】
ここで
【０２９２】
【数１２】
2020516146.tif 000020
【０２９３】
であり、および、γ＝０、１であり、
ここで、Ｋは、周波数ホッピングのホップの合計量である。本明細書において、Ｋ＝２である周波数ホッピングシナリオが例として使用される。以下の表は、アンテナポートと、送信回数と、送信帯域幅との間の関係を示す。
【０２９４】
【表７】
2020516146.tif 000021
【０２９５】
γは２つの値を有するので、送信を同時に実施する２つのアンテナは、１つのｎSRSおよび（１）の計算に基づいて取得され得ることを理解することができる。したがって、第１の送信において、端末デバイスは、アンテナ０およびアンテナ１を使用して第１の周波数ホッピング位置においてＳＲＳを送り、第２の送信において、端末デバイスは、アンテナ２およびアンテナ３を使用して第２の周波数ホッピング位置においてＳＲＳを送り、第３の送信において、端末デバイスは、アンテナ２およびアンテナ３を使用して第１の周波数ホッピング位置においてＳＲＳを送り、第４の送信において、端末デバイスは、アンテナ０およびアンテナ１を使用して第２の周波数ホッピング位置においてＳＲＳを送る。
【０２９６】
任意選択で、この解決策は、ｕ個の送信アンテナと、２ｕ個の受信アンテナとが存在する場合に適用されてもよい。この場合に、（１）および（２）は、以下に変化し得る。周波数ホッピングが実施されない場合：
ａ（ｎSRS）＝ｕ・［ｎSRSｍｏｄ２］＋γ  （３）
【０２９７】
【数１３】
2020516146.tif 000022
【０２９８】
ここで、
【０２９９】
【数１４】
2020516146.tif 000023
【０３００】
であり、および、γ＝０、１、．．．、ｕ−１である。
【０３０１】
任意選択で、この解決策は、前述の式におけるａ（ｎSRS）とｎSRSとの間の対応に限定されない。たとえば、ａ（ｎSRS）とｎSRSとの間の対応の以下の式が存在してもよい：
ａ（ｎSRS）＝ｕ・ｆ（ｎSRS）＋γ  （５）
ここで、γ＝０、１、．．．、ｕ−１であり、ｆ（ｎSRS）は、ｎSRSの関数である。
【０３０２】
任意選択で、この解決策におけるγおよびβは、他の値を有してもよい。たとえば、γ＝０、２またはγ＝０、２、．．．２ｕ−２である。これは、本明細書において限定されない。代替として、γおよびβは、シグナリングを使用してネットワークデバイスによって構成された値であってもよい。シグナリングは、ＲＲＣシグナリング、ＭＡＣ  ＣＥシグナリング、またはＤＣＩであってもよい。
【０３０３】
解決策２：アンテナ識別子は、ａ（ｎSRS）と表され得る。ｎSRSについては、解決策１における定義を参照されたい。
【０３０４】
周波数ホッピングが実施されない場合：
【０３０５】
【数１５】
2020516146.tif 000024
【０３０６】
周波数ホッピングが実施される場合：
【０３０７】
【数１６】
2020516146.tif 000025
【０３０８】
ここで、
【０３０９】
【数１７】
2020516146.tif 000026
【０３１０】
であり、ａ（ｎSRS）の値は、以下のように取得される。
【０３１１】
【数１８】
2020516146.tif 000027
【０３１２】
ここで、Ｋは、周波数ホッピングのホップの合計量である。本明細書において、Ｋ＝２である周波数ホッピングシナリオが例として使用される。以下の表は、アンテナポートと、送信回数と、送信帯域幅との間の関係を示す。
【０３１３】
【表８】
2020516146.tif 000028
【０３１４】
γは２つの値を有するので、送信を同時に実施する２つのアンテナは、１つのｎSRSおよび（１）の計算に基づいて取得され得ることを理解することができる。したがって、第１の送信において、端末デバイスは、アンテナ０およびアンテナ１を使用して第１の周波数ホッピング位置においてＳＲＳを送り、第２の送信において、端末デバイスは、アンテナ２およびアンテナ３を使用して第２の周波数ホッピング位置においてＳＲＳを送り、第３の送信において、端末デバイスは、アンテナ２およびアンテナ３を使用して第１の周波数ホッピング位置においてＳＲＳを送り、第４の送信において、端末デバイスは、アンテナ０およびアンテナ１を使用して第２の周波数ホッピング位置においてＳＲＳを送る。
【０３１５】
任意選択で、この解決策における式（８）中の
【０３１６】
【数１９】
2020516146.tif 000029
【０３１７】
とａ（ｎSRS）との間の対応は、表または別の式を使用して表現されてもよい。これは、本明細書において限定されない。
【０３１８】
【数２０】
2020516146.tif 000030
【０３１９】
とａ（ｎSRS）との間の対応は、代替として、シグナリングを使用してネットワークデバイスによって構成される値であってもよい。シグナリングは、ＲＲＣシグナリング、ＭＡＣ  ＣＥシグナリング、またはＤＣＩであってもよい。
【０３２０】
任意選択で、この解決策は、ｕ個の送信アンテナと、２ｕ個の受信アンテナとが存在する場合に適用されてもよい。この場合に、（８）は、以下に変化してもよい：
【０３２１】
【数２１】
2020516146.tif 000031
【０３２２】
同様に、任意選択で、この解決策における式（９）中の
【０３２３】
【数２２】
2020516146.tif 000032
【０３２４】
とａ（ｎSRS）との間の対応は、表または別の式を使用して表現されてもよい。これは、本明細書において限定されない。
【０３２５】
【数２３】
2020516146.tif 000033
【０３２６】
とａ（ｎSRS）との間の対応は、代替として、シグナリングを使用してネットワークデバイスによって構成される値であってもよい。シグナリングは、ＲＲＣシグナリング、ＭＡＣ  ＣＥシグナリング、またはＤＣＩであってもよい。
【０３２７】
任意選択で、この解決策は、式（６）および式（７）におけるａ（ｎSRS）とｎSRSとの間の対応にも限定されない。
【０３２８】
任意選択で、この解決策における
【０３２９】
【数２４】
2020516146.tif 000034
【０３３０】
は、アンテナグループの識別子として理解され得る。
【０３３１】
任意選択で、解決策１または解決策２および別の実行可能な解決策によれば、ネットワークデバイスは、ＳＲＳ構成情報を使用して端末デバイスのための複数のＳＲＳリソースを構成する。たとえば、複数のＳＲＳリソースは、１つのＳＲＳリソースグループを形成する。したがって、ネットワークデバイスが、ＳＲＳアンテナスイッチオーバの手法でＳＲＳを送るように端末デバイスに命令すること、または、アンテナ選択機能をサポートするように端末デバイスに命令することは、ＳＲＳがＳＲＳリソースグループにおいてアンテナスイッチオーバの手法で送られることを構成することとして理解され得る。
【０３３２】
任意選択で、この場合に、少なくとも１つの異なるアンテナが、ＳＲＳリソースグループにおける少なくとも２つのＳＲＳリソース上でＳＲＳを送るために使用される。たとえば、異なるアンテナは、ＳＲＳリソースグループにおける各ＳＲＳリソース上でＳＲＳを送るために使用され得る。任意選択で、ＳＲＳリソースとＳＲＳリソース上でＳＲＳＳを送るアンテナとの間に対応がある。たとえば、２つの送信アンテナと４つの受信アンテナとを備えたユーザに対して、１つのＳＲＳリソースグループは、２つのＳＲＳリソースを含んでもよい。第１のＳＲＳリソースは、２つのアンテナ、たとえば、アンテナ０およびアンテナ１に対応している。第２のＳＲＳリソースは、その他の２つのアンテナ、たとえば、アンテナ２およびアンテナ３に対応している。したがって、ＳＲＳリソースがマッピングされる時間周波数位置は、ＳＲＳアンテナスイッチオーバを伴う送信方式、たとえば、解決策１および解決策２、において決定された送信アンテナに基づいて決定されてもよい。たとえば、送信アンテナは０および１であると決定される場合、送られたＳＲＳは、第１のＳＲＳリソース、たとえば、ＳＲＳリソース０に属し、または、送信アンテナは２および３であると決定される場合、送られたＳＲＳは、その他のＳＲＳリソース、たとえば、ＳＲＳリソース１に属する。ＳＲＳアンテナスイッチオーバを伴う送信方式は、ＳＲＳによって使用されるアンテナを決定するために使用され得るので、１つのＳＲＳリソースまたは複数のＳＲＳリソースも、同じ計算式を使用して決定され得ることに留意されたい。たとえば、式（１）および式（２）に基づいてＳＲＳリソースを決定するための方法は、以下の通りである：
【０３３３】
周波数ホッピングが実施されない場合：
ｂ（ｎSRS）＝ｎSRSｍｏｄ２  （１）
【０３３４】
周波数ホッピングが実施される場合：
【０３３５】
【数２５】
2020516146.tif 000035
【０３３６】
ここで、
【０３３７】
【数２６】
2020516146.tif 000036
【０３３８】
。
【０３３９】
ｂ（ｎSRS）は、ＳＲＳリソースの識別子もしくは相対的な識別子、またはＳＲＳリソースグループにおけるＳＲＳリソースの識別子である。本明細書におけるｎSRSは、ＳＲＳリソースグループにおけるＳＲＳリソース上でＳＲＳを送信する合計回数に基づいて決定されること、または、フレーム番号、サブフレーム番号、スロット番号、もしくは現在のＳＲＳリソースグループにおけるＳＲＳリソースのシンボル番号、ＳＲＳリソースのシンボルの量、およびＳＲＳの期間のうちの少なくとも１つに基づいて決定されることに留意されたい。代替として、ｎSRSは、ある期間内のＳＲＳリソースグループにおけるすべてのＳＲＳリソース上での現在のＳＲＳ送信の数を表す。詳細については、解決策１における記載を参照されたい。ＳＲＳとは、ＳＲＳリソースグループにおけるすべてのＳＲＳリソース上のＳＲＳを指す。
【０３４０】
前述の例において、ｎSRSは、ＳＲＳリソースグループにおける特定のＳＲＳリソースのＳＲＳ数ではないが、ＳＲＳリソースグループにおけるすべてのＳＲＳリソース上のＳＲＳの数である。任意選択で、ｎSRSは、代替として、ＳＲＳリソースグループにおける特定のＳＲＳリソースのＳＲＳ数であってもよい。具体的には、ｎSRSは、ＳＲＳリソースグループにおける１つのＳＲＳリソース上でＳＲＳを送信する回数に基づいて決定され、または、フレーム番号、サブフレーム番号、スロット番号、もしくは現在のＳＲＳリソースグループにおけるＳＲＳリソースのシンボル番号、ＳＲＳリソースのシンボルの量、およびＳＲＳの期間のうちの少なくとも１つに基づいて決定される。代替として、ｎSRSは、ある期間内のＳＲＳリソースグループにおける１つのＳＲＳリソース上での現在のＳＲＳ送信の数を表す。詳細については、解決策１における記載を参照されたい。ＳＲＳとは、ＳＲＳリソースグループにおける１つのＳＲＳリソース上のＳＲＳである。この場合に、時間領域リソースおよび周波数領域リソースは、ＳＲＳリソースグループにおける複数のＳＲＳリソースのために構成され、異なるＳＲＳリソースは、同じ周波数領域リソースを測定するために使用され、異なるＳＲＳリソースは、異なるＳＲＳリソース上でＳＲＳ送信アンテナを切り替えるために、異なるアンテナまたはアンテナグループに対応している。たとえば、ＳＲＳリソース０は、アンテナ０およびアンテナ１に対応しており、ＳＲＳリソース１は、アンテナ２およびアンテナ３に対応しているように構成される。ＳＲＳリソースグループは、ＳＲＳリソース０とＳＲＳリソース１とを含む。ネットワークデバイスは、ＳＲＳリソース０およびＳＲＳリソース１の時間周波数位置を構成し、ＳＲＳリソースグループにおけるＳＲＳリソース上で、またはＳＲＳリソース０およびＳＲＳリソース１上で、ＳＲＳを送るように端末デバイスに命じて、異なるＳＲＳリソース間のスイッチオーバを通じてすべてのアンテナ上でＳＲＳを送るようにする。
【０３４１】
ＬＴＥにおける解決策と比較して、この解決策は、ｕ個のＴｘ（送信）アンテナとｖ個のＲｘ（受信）アンテナとを備える端末デバイスのためのアンテナスイッチオーバをさらにサポートすることができ、ここで、ｕ＞１またはｖ＞２、かつｕ＜ｖである。
【０３４２】
図１６は、本願において提供されるワイヤレス通信システム、端末、およびネットワークデバイスを示す。ワイヤレス通信システム１０は、第１のデバイス４００と、第２のデバイス５００とを含む。アップリンク送信処理において、第１のデバイス４００は、図４の実施形態における端末２００であってもよく、第２のデバイス５００は、図５の実施形態におけるネットワークデバイス３００であってもよい。ダウンリンク送信処理において、第１のデバイス４００は、図５の実施形態におけるネットワークデバイス３００であってもよく、第２のデバイス５００は、図４の実施形態における端末２００であってもよい。ワイヤレス通信システム１０は、図３に示されているワイヤレス通信システム１００であってもよい。以下は、記載を別々に提供する。
【０３４３】
図１６に示されているように、第１のデバイス４００は、処理ユニット４０１と、送信ユニット４０３とを含み得る。
【０３４４】
処理ユニット４０１は、第１の参照信号を第１のシンボルにマッピングするように構成され得る。第１の参照信号は、位相追従のために使用される。第１のシンボルは、データ信号を搬送し時間領域単位において第２のシンボルに先行するシンボルを含む。第２のシンボルは、時間領域単位において復調参照信号を搬送する最初のシンボルである。代替として、第２のシンボルは、時間領域単位における複数の連続するシンボルであり、複数の連続するシンボルは、復調参照信号を搬送する最初のシンボルを含む。
【０３４５】
送信ユニット４０３は、第１の参照信号を第２のデバイス５００に送るように構成され得る。
【０３４６】
処理ユニット４０１は、実施形態１から実施形態３において記載された時間領域ＰＴ−ＲＳマッピング規則に従って、ＰＴ−ＲＳをマッピングし得る。詳細については、実施形態１から実施形態３を参照されたい。詳細は、本明細書において再度記載されない。
【０３４７】
第１のデバイス４００に含まれる機能ユニットの特定の実装については、前述の実施形態への参照が行われ得ることを理解することができる。詳細は、本明細書において再度記載されない。
【０３４８】
図１６に示されているように、第２のデバイス５００は、受信ユニット５０１と、処理ユニット５０３とを含み得る。
【０３４９】
受信ユニット５０１は、第１のデバイスによって送られた第１の参照信号を受信するように構成され得る。第１の参照信号は、位相追従のために使用される。第１の参照信号は、第１のシンボルにマッピングされる。第１のシンボルは、データ信号を搬送し第２のシンボルに先行するシンボルを含む。第２のシンボルは、時間領域単位における復調参照信号を搬送する最初のシンボルである。代替として、第２のシンボルは、時間領域単位における複数の連続するシンボルであり、複数の連続するシンボルは、復調参照信号を搬送する最初のシンボルを含む。
【０３５０】
処理ユニット５０３は、第１の参照信号を使用して位相追従を実施するように構成され得る。
【０３５１】
時間領域ＰＴ−ＲＳマッピング規則については、実施形態１から実施形態３を参照されたい。詳細は、本明細書において再度記載されない。
【０３５２】
第２のデバイス５００に含まれる機能ユニットの特定の実装については、前述の実施形態への参照が行われ得ることを理解することができる。詳細は、本明細書において再度記載されない。
【０３５３】
図１７は、本願において提供されるワイヤレス通信システム、端末、およびネットワークデバイスを示す。ワイヤレス通信システム２０は、ネットワークデバイス６００と、端末デバイス７００とを含む。ネットワークデバイス６００は、図５の実施形態におけるネットワークデバイス３００であってもよく、端末デバイス７００は、図４の実施形態における端末２００であってもよい。ワイヤレス通信システム２０は、図３に示されているワイヤレス通信システム１００であってもよい。以下は、記載を別々に提供する。
【０３５４】
図１７に示されているように、ネットワークデバイス６００は、処理ユニット６０１と、送信ユニット６０３とを含み得る。
【０３５５】
処理ユニット６０１は、第１のインジケーション情報を生成するように構成され得る。第１のインジケーション情報は、第１の参照信号の少なくとも２つのグループによって占有される時間−周波数リソースの位置を示す。第１の参照信号の少なくとも２つのグループに別々に関連付けられたアンテナポートは、準同一位置にはない。
【０３５６】
送信ユニット６０３は、第１のインジケーション情報を送るように構成され得る。
【０３５７】
送信ユニット６０３は、データ信号を送るようにさらに構成されてもよい。データ信号は、第１の参照信号の少なくとも２つのグループによって占有される時間−周波数リソースにマッピングされない。
【０３５８】
ネットワークデバイス６００に含まれる機能ユニットの特定の実装については、図１４または図１５の実施形態への参照が行われ得ることを理解することができる。詳細は、本明細書において再度記載されない。
【０３５９】
図１７に示されているように、端末デバイス７００は、受信ユニット７０１と、処理ユニット７０３とを含み得る。
【０３６０】
受信ユニット７０１は、第１のインジケーション情報を受信するように構成され得る。第１のインジケーション情報は、第１の参照信号の少なくとも２つのグループによって占有される時間−周波数リソースの位置を示す。第１の参照信号の少なくとも２つのグループに別々に関連付けられたアンテナポートは、準同一位置にはない。
【０３６１】
処理ユニット７０３は、第１のインジケーション情報に基づいて、第１の参照信号の少なくとも２つのグループによって占有される時間−周波数リソースを決定するように構成され得る。
【０３６２】
受信ユニット７０１は、データ信号を受信するようにさらに構成されてもよい。データ信号は、第１の参照信号の少なくとも２つのグループによって占有される時間−周波数リソースにマッピングされない。
【０３６３】
端末デバイス７００に含まれる機能ユニットの特定の実装については、図１４または図１５の実施形態への参照が行われ得ることを理解することができる。詳細は、本明細書において再度記載されない。
【０３６４】
図１８は、本出願による装置の概略構造図である。図１８に示されているように、装置８０は、プロセッサ８０１と、プロセッサ８０１に結合される１つまたは複数のインターフェース８０２とを含み得る。任意選択で、装置８０は、メモリ８０３をさらに含んでもよい。任意選択で、装置８０は、チップであってもよい。
【０３６５】
プロセッサ８０１は、コンピュータ可読命令を読み取り、実行するように構成され得る。特定の実装において、プロセッサ８０１は、主として、コントローラと、演算ユニットと、レジスタとを含み得る。コントローラは、主として、命令を復号し、命令に対応する動作のための制御信号を送ることに責任を負う。演算ユニットは、主として、固定小数点算術演算もしくは浮動小数点算術演算、シフト演算、論理演算などを実施する責任を負い、またはアドレス操作およびアドレス変換を実施し得る。レジスタは、主として、命令実行処理において一時的に記憶されるレジスタオペランド、中間演算結果などを記憶する責任を負う。実際の実装において、プロセッサ８０１のハードウェアアーキテクチャは、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）アーキテクチャ、ＭＩＰＳアーキテクチャ、ＡＲＭアーキテクチャ、ＮＰアーキテクチャなどであってもよい。プロセッサ８０１は、単一のコアまたは複数のコアを有してもよい。
【０３６６】
メモリ８０３は、コンピュータアクセス可能な命令を含む記憶プログラムコードを記憶するように構成され、プロセッサ８０１の入出力データを記憶するようにさらに構成され得る。
【０３６７】
入出力インターフェース８０２は、プロセッサ８０１に処理対象のデータを入力するように構成され、プロセッサ８０１の処理結果を出力し得る。特定の実装において、インターフェース８０２は、汎用入出力（ＧｅｎｅｒａｌＰｕｒｐｏｓｅＩｎｐｕｔ／Ｏｕｔｐｕｔ、ＧＰＩＯ）インターフェースであってもよく、複数の周辺デバイス（たとえば、ディスプレイ（ＬＣＤ）、カメラ、および無線周波数モジュール）に接続されてもよい。インターフェース８０２は、複数の独立したインターフェース、たとえば、イーサネットインターフェース、ＬＣＤインターフェース、およびカメラインターフェースをさらに含んでもよく、これらは、異なる周辺デバイスとプロセッサ８０１との間の通信の責任を負う。
【０３６８】
本願において、プロセッサ８０１は、第１のデバイス側で、図８の実施形態において提供される信号送信方法の実装プログラムを、またはネットワークデバイス側で、図１４または図１５の実施形態の実装プログラムを、メモリから呼び出し、そのプログラムに含まれる命令を実行するように構成され得る。インターフェース８０２は、プロセッサ８０１の実行結果を出力するように構成され得る。
【０３６９】
プロセッサ８０１およびインターフェース８０２の各々に対応する機能は、ハードウェア設計を使用して実装されてもよいこと、またはソフトウェア設計を使用して実装されてもよいこと、またはソフトウェアとハードウェアとを組み合わせることによって実装されてもよいことに留意されたい。これは、本明細書において限定されない。
【０３７０】
図１９は、本願による装置の概略構造図である。図１９に示されているように、装置９０は、プロセッサ９０１と、プロセッサ９０２に結合された１つまたは複数のインターフェース９０１とを含み得る。任意選択で、装置９０は、メモリ９０３をさらに含んでもよい。任意選択で、装置９０は、チップであってもよい。
【０３７１】
プロセッサ９０１は、コンピュータ可読命令を読み取り、実行するように構成され得る。特定の実装において、プロセッサ９０１は、主として、コントローラと、演算ユニットと、レジスタとを含み得る。コントローラは、主として、命令を復号し、命令に対応する動作のための制御信号を送ることに責任を負う。演算ユニットは、主として、固定小数点算術演算もしくは浮動小数点算術演算、シフト演算、論理演算などを実施する責任を負い、またはアドレス操作およびアドレス変換を実施し得る。レジスタは、主として、命令実行処理において一時的に記憶されるレジスタオペランド、中間演算結果などを記憶する責任を負う。実際の実装において、プロセッサ９０１のハードウェアアーキテクチャは、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）アーキテクチャなどであってもよい。プロセッサ９０１は、単一のコアまたは複数のコアを有してもよい。
【０３７２】
メモリ９０３は、コンピュータアクセス可能な命令を含むプログラムコードを記憶するように構成され、プロセッサ９０１の入出力データを記憶するようにさらに構成され得る。
【０３７３】
入出力インターフェース９０２は、プロセッサ９０１に処理対象のデータを入力するように構成され、プロセッサ９０１の処理結果を出力し得る。
【０３７４】
本願において、プロセッサ９０１は、第２のデバイス側で、図８の実施形態において提供される信号送信方法の実装プログラムを、または端末デバイス側で、図１４または図１５の実施形態の実装プログラムを、メモリから呼び出し、そのプログラムに含まれる命令を実行するように構成され得る。インターフェース９０２は、プロセッサ９０１の実行結果を出力するように構成され得る。
【０３７５】
プロセッサ９０１およびインターフェース９０２の各々に対応する機能は、ハードウェア設計を使用して実装されてもよいこと、またはソフトウェア設計を使用して実装されてもよいこと、またはソフトウェアとハードウェアとを組み合わせることによって実装されてもよいことに留意されたい。これは、本明細書において限定されない。
【０３７６】
要約すると、本願において提供される技術的解決策によれば、ＰＴ−ＲＳもまた、データチャネルがマッピングされＤＭＲＳを搬送するシンボルに先行するシンボルにマッピングされることを確実にし、それにより位相ノイズ推定性能を確保することができる。
【０３７７】
当業者は、実施形態における方法の処理の全部または一部が、関連するハードウェアに命令するコンピュータプログラムによって実装されてもよいことを理解し得る。プログラムは、コンピュータ可読記憶媒体に記憶され得る。実行される場合、プログラムは、前述の方法実施形態の手続きを含んでもよい。記憶媒体は、プログラムコードを記憶することができる任意の媒体、たとえば、ＲＯＭ、ランダムアクセスメモリＲＡＭ、磁気ディスク、またはコンパクトディスクなどを含む。
【図１】
2020516146.tif 000041
【図２】
2020516146.tif 000042
【図３】
2020516146.tif 000043
【図４】
2020516146.tif 000044
【図５】
2020516146.tif 000045
【図６】
2020516146.tif 000046
【図７】
2020516146.tif 000047
【図８】
2020516146.tif 000048
【図９Ａ】
2020516146.tif 000049
【図９Ｂ】
2020516146.tif 000050
【図９Ｃ】
2020516146.tif 000051
【図９Ｄ】
2020516146.tif 000052
【図９Ｅ】
2020516146.tif 000053
【図９Ｆ】
2020516146.tif 000054
【図９Ｇ】
2020516146.tif 000055
【図９Ｈ】
2020516146.tif 000056
【図９Ｉ】
2020516146.tif 000057
【図９Ｊ】
2020516146.tif 000058
【図９Ｋ】
2020516146.tif 000059
【図９Ｌ】
2020516146.tif 000060
【図１０Ａ】
2020516146.tif 000061
【図１０Ｂ】
2020516146.tif 000062
【図１０Ｃ】
2020516146.tif 000063
【図１０Ｄ】
2020516146.tif 000064
【図１０Ｅ】
2020516146.tif 000065
【図１０Ｆ】
2020516146.tif 000066
【図１０Ｇ】
2020516146.tif 000067
【図１０Ｈ】
2020516146.tif 000068
【図１０Ｉ】
2020516146.tif 000069
【図１０Ｊ】
2020516146.tif 000070
【図１０Ｋ】
2020516146.tif 000071
【図１０Ｌ】
2020516146.tif 000072
【図１１Ａ】
2020516146.tif 000073
【図１１Ｂ】
2020516146.tif 000074
【図１１Ｃ】
2020516146.tif 000075
【図１２Ａ】
2020516146.tif 000076
【図１２Ｂ】
2020516146.tif 000077
【図１２Ｃ】
2020516146.tif 000078
【図１２Ｄ】
2020516146.tif 000079
【図１３】
2020516146.tif 000080
【図１４】
2020516146.tif 000081
【図１５】
2020516146.tif 000082
【図１６】
2020516146.tif 000083
【図１７】
2020516146.tif 000084
【図１８】
2020516146.tif 000085
【図１９】
2020516146.tif 000086
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
第１のデバイスによって、第１の参照信号を第２のデバイスに送るステップを含み、前記第１の参照信号は、位相追従のために使用され、前記第１の参照信号は、第１のシンボルにマッピングされ、前記第１のシンボルは、データ信号を搬送し時間領域単位において第２のシンボルに先行するシンボルを含み、前記第２のシンボルは、前記時間領域単位において復調参照信号（ＤＭＲＳ）を搬送する開始用シンボルである、信号送信方法。
【請求項２】
前記データ信号を搬送する開始用シンボルから開始して、前記第１の参照信号は、前記第２のシンボルに先行するシンボルに均等にマッピングされる請求項１に記載の方法。
【請求項３】
前記第１の参照信号は、物理ダウンリンク制御チャネル（ＰＤＣＣＨ）を搬送する第１のリソース以外のリソースにマッピングされる請求項１または２に記載の方法。
【請求項４】
前記第１の参照信号は、以下の信号、すなわち、
同期信号ブロック、チャネル状態情報参照信号、または復調参照信号のうちの１つまたは複数を搬送する第１のリソース以外のリソースにマッピングされる請求項１または２に記載の方法。
【請求項５】
前記第１の参照信号を搬送するために使用され前記第２のシンボルに先行するシンボルのインデックスが第１の差に関係付けられ、前記第１の差は、第２の参照信号を搬送する前記開始用シンボルのインデックスと前記データ信号を搬送する前記開始用シンボルのインデックスとの差である請求項１乃至４のいずれか一項に記載の方法。
【請求項６】
前記第１の参照信号を搬送するために使用され前記第２のシンボルに先行する前記シンボルの前記インデックスｌは、
【数１】
2020516146.tif 000087
または
ｌ＝ｌ0−［Ｌ−（−Ｈ2）ｍｏｄＬ］−Ｌ×ｌ’
であり、
ここで、ｌ’＝０，１，２，．．．であり、
ｌ0は、前記第２の参照信号を搬送する前記開始用シンボルの前記インデックスを表し、Ｌは、前記第１の参照信号の時間領域密度の逆数を表し、Ｈ2は、前記第１の差を表す請求項５に記載の方法。
【請求項７】
時間領域において、前記第１の参照信号は、インデックスが前記第２のシンボルのインデックスより大きいシンボルに均等にマッピングされる請求項１乃至６のいずれか一項に記載の方法。
【請求項８】
前記第１の参照信号は、前記データ信号を搬送し前記第２のシンボルに続く最後のシンボルにマッピングされ、時間領域において、前記第１の参照信号は、前記第２のシンボルに続くシンボルに、シンボルのインデックス値の大きいものから均等にマッピングされる請求項７に記載の方法。
【請求項９】
第１の参照信号を第１のシンボルにマッピングするように構成された処理ユニットであって、前記第１の参照信号は、位相追従のために使用され、前記第１のシンボルは、データ信号を搬送し時間領域単位において第２のシンボルに先行するシンボルを含み、前記第２のシンボルは、前記時間領域単位において復調参照信号（ＤＭＲＳ）を搬送する開始用シンボルである、処理ユニットと、
前記第１の参照信号を第２のデバイスに送るように構成された送信ユニットと
を備える通信装置。
【請求項１０】
前記データ信号を搬送する開始用シンボルから、前記第１の参照信号は、前記第２のシンボルに先行するシンボルに均等にマッピングされる請求項９に記載の通信装置。
【請求項１１】
前記第１の参照信号は、物理ダウンリンク制御チャネル（ＰＤＣＣＨ）を搬送する第１のリソース以外のリソースにマッピングされる請求項９または１０に記載の通信装置。
【請求項１２】
前記第１の参照信号は、以下の信号、すなわち、
同期信号ブロック、チャネル状態情報参照信号、または復調参照信号のうちの１つまたは複数を搬送する第１のリソース以外のリソースにマッピングされる請求項９または１０に記載の通信装置。
【請求項１３】
前記第１の参照信号を搬送するために使用され前記第２のシンボルに先行するシンボルのインデックスが第１の差に関係付けられ、前記第１の差は、第２の参照信号を搬送する前記開始用シンボルのインデックスと前記データ信号を搬送する前記開始用シンボルのインデックスとの差である請求項９に記載の通信装置。
【請求項１４】
前記第１の参照信号を搬送するために使用され前記第２のシンボルに先行する前記シンボルの前記インデックスｌは、
【数２】
2020516146.tif 000088
または
ｌ＝ｌ0−［Ｌ−（−Ｈ2）ｍｏｄＬ］−Ｌ×ｌ’
であり、
ここで、ｌ’＝０，１，２，．．．であり、
ｌ0は、前記第２の参照信号を搬送する前記開始用シンボルの前記インデックスを表し、Ｌは、前記第１の参照信号の時間領域密度の逆数を表し、Ｈ2は、前記第１の差を表す請求項１３に記載の通信装置。
【請求項１５】
時間領域において、前記第１の参照信号は、インデックスが前記第２のシンボルのインデックスより大きいシンボルに均等にマッピングされる請求項９乃至１４のいずれか一項に記載の通信装置。
【請求項１６】
前記第１の参照信号は、前記データ信号を搬送し前記第２のシンボルに続く最後のシンボルにマッピングされ、時間領域において、前記第１の参照信号は、前記第２のシンボルに続くシンボルに、シンボルのインデックス値の大きいものから均等にマッピングされる請求項１５に記載の通信装置。
【請求項１７】
第１のデバイスによって送られた第１の参照信号を第２のデバイスによって受信するステップを含み、前記第１の参照信号は、位相追従のために使用され、前記第１の参照信号は、第１のシンボルにマッピングされ、前記第１のシンボルは、データ信号を搬送し第２のシンボルに先行するシンボルを含み、前記第２のシンボルは、時間領域単位において復調参照信号（ＤＭＲＳ）を搬送する開始用シンボルである、信号送信方法。
【請求項１８】
前記データ信号を搬送する開始用シンボルから開始して、前記第１の参照信号は、前記第２のシンボルに先行するシンボルに均等にマッピングされる請求項１７に記載の方法。
【請求項１９】
前記第１の参照信号は、物理ダウンリンク制御チャネル（ＰＤＣＣＨ）を搬送する第１のリソース以外のリソースにマッピングされる請求項１７または１８に記載の方法。
【請求項２０】
前記第１の参照信号は、以下の信号、すなわち、
同期信号ブロック、チャネル状態情報参照信号、または復調参照信号のうちの１つまたは複数を搬送する第１のリソース以外のリソースにマッピングされる請求項１７または１８に記載の方法。
【請求項２１】
第１のデバイスによって送られた第１の参照信号を受信するように構成された受信ユニットであって、前記第１の参照信号は、位相追従のために使用され、前記第１の参照信号は、第１のシンボルにマッピングされ、前記第１のシンボルは、データ信号を搬送し第２のシンボルに先行するシンボルを含み、前記第２のシンボルは、時間領域単位において復調参照信号（ＤＭＲＳ）を搬送する開始用シンボルである、受信ユニットと、
前記第１の参照信号を使用することによって位相追従を実施するように構成された処理ユニットと
を備える通信装置。
【請求項２２】
前記データ信号を搬送する開始用シンボルから開始して、前記第１の参照信号は、前記第２のシンボルに先行するシンボルに均等にマッピングされる請求項２１に記載の通信装置。
【請求項２３】
前記第１の参照信号は、物理ダウンリンク制御チャネル（ＰＤＣＣＨ）を搬送する第１のリソース以外のリソースにマッピングされる請求項２１または２２に記載の通信装置。
【請求項２４】
前記第１の参照信号は、以下の信号、すなわち、
同期信号ブロック、チャネル状態情報参照信号、または復調参照信号のうちの１つまたは複数を搬送する第１のリソース以外のリソースにマッピングされる請求項２１または２２に記載の通信装置。
【請求項２５】
プログラムコードを記憶したコンピュータ可読記憶媒体であって、前記前記プログラムコードがコンピュータ上で実行されたとき、前記プログラムコードは前記コンピュータが請求項１乃至８のいずれか一項、または請求項１７乃至２０のいずれか一項に記載の方法を実行することを可能にするコンピュータ可読記憶媒体。
【手続補正２】
【補正対象書類名】明細書
【補正対象項目名】００８２
【補正方法】変更
【補正の内容】
【００８２】
通信インターフェース２０３は、別の通信デバイス、たとえばネットワークデバイスと通信するために、端末２００によって使用され得る。具体的には、ネットワークデバイスは、図８に示されているネットワークデバイス３００であってもよい。具体的には、通信インターフェース２０３は、ロングタームエボリューション（ＬＴＥ）（４Ｇ）通信インターフェースであっても、５Ｇ通信インターフェースまたは将来の新無線通信インターフェースであってもよい。ワイヤレス通信インターフェースに加えて、端末２００は、有線通信インターフェース２０３、たとえばローカルエリアネットワーク（Ｌｏｃａｌ  Ａｒｅａ  Ｎｅｔｗｏｒｋ、ＬＡＮ）インターフェースと共にさらに構成されてもよい。
【手続補正３】
【補正対象書類名】明細書
【補正対象項目名】０２１５
【補正方法】変更
【補正の内容】
【０２１５】
本願のこの実施形態におけるＱＣＬの定義については、ＬＴＥにおける定義を参照されたい。具体的には、ＱＣＬアンテナポートによって送られた信号は、同じ大規模フェージングを受ける。大規模フェージングは、遅延拡散、ドップラー拡散、ドップラーシフト、平均チャネル利得、平均遅延などのうちの１つまたは複数を含む。代替として、本願のこの実施形態におけるＱＣＬの定義については、５ＧにおけるＱＣＬの定義を参照されたい。新無線ＮＲシステムにおけるＱＣＬの定義は、ＬＴＥシステムにおける定義と同様であるが、空間情報が追加されている。たとえば、ＱＣＬアンテナポートによって送られた信号は、同じ大規模フェージングを受ける。大規模フェージングは、遅延拡散、ドップラー拡散、ドップラーシフト、平均チャネル利得、平均遅延、空間パラメータなどのパラメータのうちの１つまたは複数を含む。空間パラメータは、放射角度（ＡＯＤ）、支配的な放射角度（支配的なＡｏＤ）、平均到達角度（Ａｖｅｒａｇｅ  ＡｏＡ）、到達角度（ＡＯＡ）、チャネル相関行列、到達角度の電力方位スペクトル拡散、平均放射角度（Ａｖｅｒａｇｅ  ＡｏＤ）、放射角度の電力方位スペクトル拡散、送信チャネル相関、受信チャネル相関、送信ビームフォーミング、受信ビームフォーミング、空間チャネル相関、フィルタ、空間フィルタパラメータ、または空間受信パラメータのうちの１つまたは複数であってもよい。
【手続補正４】
【補正対象書類名】明細書
【補正対象項目名】０３７０
【補正方法】変更
【補正の内容】
【０３７０】
図１９は、本願による装置の概略構造図である。図１９に示されているように、装置９０は、プロセッサ９０１と、プロセッサ９０１に結合された１つまたは複数のインターフェース９０２とを含み得る。任意選択で、装置９０は、メモリ９０３をさらに含んでもよい。任意選択で、装置９０は、チップであってもよい。
【国際調査報告】
2020516146.tif 000089
2020516146.tif 000090
2020516146.tif 000091
2020516146.tif 000092